(57)【要約】【課題】ＴＤＤ通信システムにおけるアップリンクーダウンリンク構成の適応のためのダウンリンクシグナリングを提供すること。【解決手段】本発明は、受信器及びデコーダを有するユーザー端末(ＵＥ)を含む装置を提供する。受信器は、ｅＮｏｄｅＢ(ｅＮＢ)から各々一つ以上の送信時区間(ＴＴＩ)で一つ以上の物理ダウンリンク制御チャンネル(ＰＤＣＣＨ）を受信する周期の構成を指示する信号を受信するように構成される。一つ以上のＰＤＣＣＨの各々は、同一のダウンリンク制御情報(ＤＣＩ)フォーマットを伝達する。【選択図】図６
2019134479.tif 000002
【特許請求の範囲】
【請求項１】
基地局と通信する端末の通信方法であって、
ダウンリンク制御情報（ＤＣＩ）に関連付けられた無線リソース制御(ＲＲＣ)メッセージを受信する動作と、
時間リソースに関連付けられた設定情報を含む前記ＤＣＩを受信する動作と、ここで、前記ＤＣＩは、前記時間リソースの設定に利用される無線ネットワーク臨時識別子（ＲＮＴＩ）に関連し、及び、
前記設定情報に基づいて前記基地局と通信する動作と、を含み、
前記ＤＣＩを伝達する物理ダウンリンク制御チャンネル（ＰＤＣＣＨ）は、共通検索空間（ＣＳＳ）内で受信され、
前記ＲＲＣメッセージは、前記ＣＳＳに関連付けられた制御チャンネル要素（ＣＣＥ）アグリゲーションレベルに対する情報を含み、及び
前記時間リソースは、ダウンリンク方向の時間リソース、アップリンク方向の時間リソース及びフレキシブル方向の時間リソースのうちの少なくとも一つを含む、端末の通信方法。
【請求項２】
ＤＣＩフォーマットのサイズに関連付けられた情報を受信する動作をさらに含む、請求項１に記載の端末の通信方法。
【請求項３】
前記ＤＣＩに含まれた、前記時間リソースの設定に対する前記設定情報の位置に関連付けられた情報を受信する動作をさらに含む、請求項１に記載の端末の通信方法。
【請求項４】
前記ＤＣＩのＤＣＩフォーマットを伝送するための前記時間リソースの集合に関連付けられた情報を受信する動作をさらに含む、請求項１に記載の端末の通信方法。
【請求項５】
前記ＤＣＩを伝達する前記ＰＤＣＣＨをモニタリングするための情報を受信する動作をさらに含む、請求項１に記載の端末の通信方法。
【請求項６】
前記ＰＤＣＣＨは、セカンダリーセル（ＳＣｅｌｌ）の前記ＣＳＳ内で受信される、請求項１に記載の端末の通信方法。
【請求項７】
端末と通信する基地局の通信方法であって、
ダウンリンク制御情報（ＤＣＩ）に関連付けられた無線リソース制御(ＲＲＣ)メッセージを送信する動作と、
時間リソースに関連付けられた設定情報を含む前記ＤＣＩを送信する動作と、ここで、前記ＤＣＩは、前記時間リソースの設定に利用される無線ネットワーク臨時識別子（ＲＮＴＩ）に関連し、及び
前記設定情報に基づいて前記端末と通信する動作と、を含み、
前記ＤＣＩを伝達する物理ダウンリンク制御チャンネル（ＰＤＣＣＨ）は、共通検索空間（ＣＳＳ）内で送信され、
前記ＲＲＣメッセージは、前記ＣＳＳに関連付けられた制御チャンネル要素（ＣＣＥ）アグリゲーションレベルに対する情報を含み、及び
前記時間リソースは、ダウンリンク方向の時間リソース、アップリンク方向の時間リソース及びフレキシブル方向の時間リソースのうちの少なくとも一つを含む、基地局の通信方法。
【請求項８】
ＤＣＩフォーマットのサイズに関連付けられた情報を送信する動作をさらに含む、請求項７に記載の基地局の通信方法。
【請求項９】
前記ＤＣＩに含まれた、前記時間リソースの設定に対する前記設定情報の位置に関連付けられた情報を送信する動作をさらに含む、請求項７に記載の基地局の通信方法。
【請求項１０】
前記ＤＣＩのＤＣＩフォーマットを伝送するための前記時間リソースの集合に関連付けられた情報を送信する動作をさらに含む、請求項７に記載の基地局の通信方法。
【請求項１１】
前記ＤＣＩを伝達する前記ＰＤＣＣＨをモニタリングするための情報を送信する動作をさらに含む、請求項７に記載の基地局の通信方法。
【請求項１２】
前記ＰＤＣＣＨは、セカンダリーセル（ＳＣｅｌｌ）の前記ＣＳＳ内で送信される、請求項７に記載の基地局の通信方法。
【請求項１３】
基地局と通信する端末であって、
送受信器と、
前記送受信器を制御する少なくとも一つのプロセッサと、を含み、前記少なくとも一つのプロセッサは、
ダウンリンク制御情報（ＤＣＩ）に関連付けられた無線リソース制御(ＲＲＣ)メッセージを受信し、
時間リソースに関連付けられた設定情報を含む前記ＤＣＩを受信し、ここで、前記ＤＣＩは、前記時間リソースの設定に利用される無線ネットワーク臨時識別子（ＲＮＴＩ）に関連し、及び、
前記設定情報に基づいて前記基地局と通信し、
前記ＤＣＩを伝達する物理ダウンリンク制御チャンネル（ＰＤＣＣＨ）は、共通検索空間（ＣＳＳ）内で受信され、
前記ＲＲＣメッセージは、前記ＣＳＳに関連付けられた制御チャンネル要素（ＣＣＥ）アグリゲーションレベルに対する情報を含み、及び、
前記時間リソースは、ダウンリンク方向の時間リソース、アップリンク方向の時間リソース及びフレキシブル方向の時間リソースのうちの少なくとも一つを含む、端末。
【請求項１４】
前記少なくとも一つのプロセッサは、
ＤＣＩフォーマットのサイズに関連付けられた情報をさらに受信する、請求項１３に記載の端末。
【請求項１５】
前記少なくとも一つのプロセッサは、
前記ＤＣＩに含まれた、前記時間リソースの設定に対する前記設定情報の位置に関連付けられた情報をさらに受信する、請求項１３に記載の端末。
【請求項１６】
前記少なくとも一つのプロセッサは、
前記ＤＣＩのＤＣＩフォーマットを伝送するための前記時間リソースの集合に関連付けられた情報をさらに受信する、請求項１３に記載の端末。
【請求項１７】
前記少なくとも一つのプロセッサは、
前記ＤＣＩを伝達する前記ＰＤＣＣＨをモニタリングするための情報をさらに受信する、請求項１３に記載の端末。
【請求項１８】
前記ＰＤＣＣＨは、セカンダリーセル（ＳＣｅｌｌ）の前記ＣＳＳ内で受信される、請求項１３に記載の端末。
【請求項１９】
端末と通信する基地局であって、
送受信器と、
前記送受信器を制御する少なくとも一つのプロセッサと、を含み、前記少なくとも一つのプロセッサは、
ダウンリンク制御情報（ＤＣＩ）に関連付けられた無線リソース制御(ＲＲＣ)メッセージを送信し、
時間リソースに関連付けられた設定情報を含む前記ＤＣＩを送信し、ここで、前記ＤＣＩは前記時間リソースの設定に利用される無線ネットワーク臨時識別子（ＲＮＴＩ）と関連し、及び、
前記設定情報に基づいて前記端末と通信し、
前記ＤＣＩを伝達する物理ダウンリンク制御チャンネル（ＰＤＣＣＨ）は、共通検索空間（ＣＳＳ）内で送信され、
前記ＲＲＣメッセージは、前記ＣＳＳに関連付けられた制御チャンネル要素（ＣＣＥ）アグリゲーションレベルに対する情報を含み、及び、
前記時間リソースは、ダウンリンク方向の時間リソース、アップリンク方向の時間リソース及びフレキシブル方向の時間リソースのうちの少なくとも一つを含む、基地局。
【請求項２０】
前記少なくとも一つのプロセッサは、
ＤＣＩフォーマットのサイズに関連付けられた情報をさらに受信する、請求項１９に記載の基地局。
【請求項２１】
前記少なくとも一つのプロセッサは、
前記ＤＣＩに含まれた、前記時間リソースの設定に対する前記設定情報の位置に関連付けられた情報をさらに受信する、請求項１９に記載の基地局。
【請求項２２】
前記少なくとも一つのプロセッサは、
前記ＤＣＩのＤＣＩフォーマットを伝送するための前記時間リソースの集合に関連付けられた情報をさらに受信する、請求項１９に記載の基地局。
【請求項２３】
前記少なくとも一つのプロセッサは、
前記ＤＣＩを伝達する前記ＰＤＣＣＨをモニタリングするための情報をさらに受信する、請求項１９に記載の基地局。
【請求項２４】
前記ＰＤＣＣＨは、セカンダリーセルの前記ＣＳＳ内で送信される、請求項１９に記載の基地局。
【発明の詳細な説明】
【技術分野】
【０００１】
本発明は、一般的に無線通信に関するもので、特に時分割デュプレックス(ＴＤＤ)通信システムにおいてアップリンクーダウンリンク構成の適応のためのダウンリンクシグナリングに関する。
【背景技術】
【０００２】
無線通信は、現代歴史で最も成功的な革新のうちの一つである。最近では、無線通信サービスに対する加入者の数が５０億を超え、継続して速く増加している。無線データトラフィックの要求は、消費者とスマートフォンとタブレット、“ノートパッド”コンピュータ、ネットブック、及び電子書籍リーダのような他の移動データデバイスのビジネスのうち増加する人気によって急激に増加している。移動データトラフィックでの高い成長を満足させるために、無線インターフェース効率性及び新たなスペクトルの割り当ての改善は、非常に重要である。
【先行技術文献】
【特許文献】
【０００３】
【特許文献１】国際公開第２０１３／０２５２８９号
【発明の概要】
【発明が解決しようとする課題】
【０００４】
したがって、本発明の目的は、時分割デュプレックス(ＴＤＤ)通信システムでアップリンクーダウンリンク構成の適応のためのダウンリンクシグナリングを提供することにある。
【課題を解決するための手段】
【０００５】
上記のような目的を達成するために、本発明の一態様によれば、ｅＮｏｄｅＢ(ｅＮＢ)によりユーザー端末(ＵＥ）に、各々一つ以上の送信時区間(ＴＴＩ)でＵＥが一つ以上の物理ダウンリンク制御チャンネル(ＰＤＣＣＨ)を受信する周期の構成を指示する信号を送信するステップと、ｅＮＢによりＵＥに周期の構成に基づいて一つ以上のＰＤＣＣＨのうち少なくとも一つのＰＤＣＣＨを送信するステップとを有する方法が提供される。一つ以上のＰＤＣＣＨの各々は、同一のダウンリンク制御情報(ＤＣＩ)フォーマットを伝達し、ＤＣＩフォーマットは、ＵＥからのダウンリンク(ＤＬ)データ受信あるいはアップリンク(ＵＬ)データ送信に対して第１のセルで第１の時分割デュプレクシング(ＴＤＤ)ＵＬ‐ＤＬ構成を指示する少なくとも一つのフィールドを含み、ＴＤＤ ＵＬ‐ＤＬ構成は、各々０から９までのシリアルインデックスを有する１０個のＴＴＩを含み、
【０００６】
少なくとも一つのＰＤＣＣＨは、ＵＥにより第２のセルで各ＤＣＩフォーマットを復号化するために使用されるように構成され、周期は１０個のＴＴＩの倍数であり、一つ以上のＴＴＩは周期の最後の１０個のＴＴＩに存在する。
【０００７】
本発明の他の態様によれば、ｅＮｏｄｅＢ(ｅＮＢ)を含む装置が提供される。ｅＮＢは、ユーザー端末(ＵＥ)と通信するように構成される送信器と、各々一つ以上の送信時区間(ＴＴＩ)でＵＥが一つ以上の物理ダウンリンク制御チャンネル(ＰＤＣＣＨ)を受信する周期の構成を指示する信号の送信を開始し、ＵＥに周期の構成に基づいて一つ以上のＰＤＣＣＨのうち少なくとも一つのＰＤＣＣＨ送信を開始するように構成される制御器とを含む。一つ以上のＰＤＣＣＨの各々は、同一のダウンリンク制御情報(ＤＣＩ)フォーマットを伝達し、ＤＣＩフォーマットはＵＥからのダウンリンク(ＤＬ)データ受信又はアップリンク(ＵＬ)データ送信に対して第１のセルで第１の時分割デュプレクシング(ＴＤＤ)ＵＬ‐ＤＬ構成を指示する少なくとも一つのフィールドを含み、ＴＤＤ ＵＬ‐ＤＬ構成は、各々０から９までのシリアルインデックスを有する１０個のＴＴＩを含み、少なくとも一つのＰＤＣＣＨは、ＵＥにより第２のセルで各ＤＣＩフォーマットを復号化するために使用されるように構成され、周期は１０個のＴＴＩの倍数であり、一つ以上のＴＴＩは周期の最後の１０個のＴＴＩに存在する。
【０００８】
また、本発明の他の態様によれば、ユーザー端末(ＵＥ)を含む装置が提供される。ＵＥは、ｅＮｏｄｅＢ(ｅＮＢ)から各々一つ以上の送信時区間(ＴＴＩ)で一つ以上の物理ダウンリンク制御チャンネル(ＰＤＣＣＨ)を受信する周期の構成を指示する信号を受信し、ｅＮＢから周期の構成に基づいて一つ以上のＰＤＣＣＨのうち少なくとも一つのＰＤＣＣＨを受信するように構成される受信器と、第２のセルで少なくとも一つのＰＤＣＣＨにより伝達されるダウンリンク制御情報(ＤＣＩ)フォーマットを復号化するように構成されるデコーダとを含む。一つ以上のＰＤＣＣＨの各々は、同一のＤＣＩフォーマットを伝達し、ＤＣＩフォーマットはダウンリンク(ＤＬ)データ受信又はアップリンク(ＵＬ)データ送信に対して第１のセルで第１の時分割デュプレクシング(ＴＤＤ)アップリンクーダウンリンク(ＵＬ‐ＤＬ)構成を指示する少なくとも一つのフィールドを含み、ＴＤＤ ＵＬ‐ＤＬ構成は各々０から９までのシリアルインデックスを有する１０個のＴＴＩを含み、周期は１０個のＴＴＩの倍数であり、一つ以上のＴＴＩは周期の最後の１０個のＴＴＩに存在する。
【０００９】
以下の詳細な説明に先立ち、本発明の全般で使われる所定単語と語句の定義を説明することが望ましい。“結合する(couple)”とその派生語は、２個以上の要素が相互に物理的接触状態であるかどうかにかかわらず、これら要素間の直接又は間接通信を呼ばれる。“送信する(transmit)”、“受信する(receive)”、及び“通信する”だけでなく、それらの派生語は、直接及び間接通信両方ともを含む。「〜含む(include)」、「〜からなる(comprise)」だけでなく、それらの派生語は限定のない包含を意味する。「又は(or)」は及び/又は(and/or)を含み、「〜に関連する(associated with)」、「それに関連する(associated therewith)」及びそれらの派生語句は、包含する(include)、含まれる(be included within)、受容される(be contained within)、連結する(connect to or with)、接続する(couple to or with)、通信する(be communication with)、協力する(cooperate with)、相互配置する(interleave)、並置する(juxtapose)、近接する(be approximate to)、結合する(be bound to or with)、所有する(have)、性質の所有をする(have a property of)、又は類以(the like)を意味する。「制御器(controller)」は少なくとも一つの動作を制御する装置、システム、又はその部分を意味し、そのような装置は、ハードウェア、ファームウェア、ソフトウェア、又はこれらのうちの少なくとも二つの組み合わせで実現することができる。特定の制御器に関連する機能は、集中しているか、あるいは近距離、又は遠距離に分散されることもある。“少なくとも一つの(at least one of)”は、アイテムのリストとともに使用される場合、それらリストのうち一つ以上の異なる組み合わせが使用でき、リスト内の単に一つのアイテムのみが必要となり得ることを意味する。例えば、“Ａ，Ｂ，Ｃのいうち少なくとも一つ”は、Ａ、Ｂ、Ｃ、ＡとＢ、ＡとＣ、ＢとＣ、及びＡとＢとＣを含む。
【００１０】
また、以下に説明する多様な機能は、一つ以上のコンピュータプログラムにより実現又はサポートでき、そのプログラムの各々はコンピュータ読み取り可能なプログラムコードで構成されてコンピュータ読み取り可能な媒体で実施される。用語“アプリケーション”及び“プログラム”は、一つ以上のコンピュータプログラム、ソフトウェア成分、命令語集合、手順、関数、オブジェクト、クラス、インスタンス、関連データ、又は適合したコンピュータ読み取り可能なプログラムコードの実現に適合したそれらの一部を称する。“コンピュータ読み取り可能なプログラムコード”は、ソースコード、オブジェクトコード、及び実行コードを含むすべてのタイプのコンピュータコードを含む。“コンピュータ読み取り可能な媒体”は、ＲＯＭ(ReadーOnly  Memory)、ＲＡＭ(Random  Access  Memory)、ハードディスクドライブ、コンパクトディスク(ＣＤ)、ＤＶＤ(Digital  Video  Disc)、又は他のタイプのメモリと共に、コンピュータによりアクセスできる所定タイプの媒体を含む。“非一時的(nonーtransitory)”コンピュータ読み取り可能な媒体は、一時的な電気又はその他の信号を伝送する有線、無線、光学、あるいはその他の通信リンクを排除する。非一時的コンピュータ読み取り可能な媒体は、データが永久的に格納される媒体、及び再書き込み可能な光ディスクや削除可能なメモリ装置とともにデータが格納され、以後に上書きされる媒体を含む。
【００１１】
他の所定単語及び語句に対する定義が本発明の全般にわたって提供される。大部分の場合ではないにしても多くの場合、この定義が定義された単語及び語句の以前だけでなく以後の使用にも適用されることは、当業者にはわかることである。
【図面の簡単な説明】
【００１２】
【図１】本発明による無線通信ネットワークの一例を示す図である。
【図２】本発明によるユーザー端末(ＵＥ)の一例を示す図である。
【図３】本発明によるｅＮｏｄｅＢ(ｅＮＢ)の一例を示す図である。
【図４】本発明によるｅＮＢで使用されるダウンリンク制御情報(ＤＣＩ)フォーマットに対する符号化プロセスの一例を示す図である。
【図５】本発明によるＵＥで使用されるＤＣＩフォーマットに対する復号化プロセスの一例を示す図である。
【図６】本発明による適応したＴＤＤ ＵＬ‐ＤＬ構成に対するＴＤＤ‐ＵＬＤＬーＡｄａｐｔ及び有効タイミングを送信するための構成の一例を示す図である。
【図７】本発明による適応したＴＤＤ ＵＬ‐ＤＬ構成に対するＴＤＤ‐ＵＬＤＬーＡｄａｐｔ及び有効タイミングを送信するための構成の一例を示す図である。
【図８】本発明による適応したＴＤＤ ＵＬ‐ＤＬ構成に対するＴＤＤ‐ＵＬＤＬーＡｄａｐｔ及び有効タイミングを送信するための構成の一例を示す図である。
【図９】本発明によるＵＥがＴＤＤ‐ＵＰＤＬ‐Ａｄａｐｔを獲得する方法の一例を示す図である。
【図１０】本発明によるＵＥがＴＤＤ ＵＬ‐ＤＬ構成の適応を提供するＤＣＩフォーマットを検出する方法の一例を示す図である。
【図１１】本発明によるＵＥがＴＤＤ ＵＬ‐ＤＬ構成周期以後に動作する方法の一例を示す図である。
【図１２】本発明によるＵＥがＵＥ専用検索空間(ＵＥーＤＳＳ）でＴＤＤ ＵＬ‐ＤＬ構成の適応を提供するＤＣＩフォーマットを検出する方法の一例を示す図である。
【図１３】本発明による適応した構成のＤＬシグナリングＴＤＤ‐ＵＬＤＬーＡｄａｐｔ及び有効タイミングの送信の一例を示す図である。
【図１４】本発明による適応した構成のＤＬシグナリングＴＤＤ‐ＵＬＤＬーＡｄａｐｔ及び有効タイミングの送信の一例を示す図である。
【図１５】本発明による２個の個別チャンネル状態情報(ＣＳＩ)報告を決定するＵＥに対するＤＬ  ＴＴＩの指示の一例を示す図である。
【図１６】本発明によるＤＣＩフォーマットの一例を示す図である。
【図１７】本発明によるＵＥがＵＥのＴＤＤ‐Ｃｅｌｌに対する適応したＴＤＤ ＵＬ‐ＤＬ構成のインジケータに対する位置を決定する方法の一例を示す図である。
【図１８】本発明によるＤＣＩフォーマットの他の例を示す図である。
【図１９】本発明によるＵＥがＴＤＤ‐Ｃｅｌｌの２個のサブセットに対するＵＥのＴＤＤ‐ＣｅｌｌのＴＤＤ ＵＬ‐ＤＬ再構成のインジケータに対する位置を決定する方法の他の例を示す図である。
【図２０】本発明によるＵＥがＵＥのＴＤＤ‐Ｃｅｌｌに対する適応したＴＤＤ ＵＬ‐ＤＬ構成のインジケータに対する位置を決定する方法の一例を示す図である。
【発明を実施するための形態】
【００１３】
以下、本発明の望ましい実施形態を添付の図面を参照して詳細に説明する。
【００１４】
以下に説明する図１乃至図２０及びこの特許文献で本発明の開示原理を説明するために使用される多様な実施形態は、ただ例示としてのみ提供され、開示の範囲を制限するいかなる方法としても理解されてはならない。本発明の開示原理が適切に配列される無線通信システムで実施可能であることは、当該技術分野における通常の知識を持つ者には理解できることであろう。
【００１５】
本発明は、時分割デュプレックス(ＴＤＤ)を使用する無線通信ネットワークで通信方向の適応に関する。無線通信ネットワークは、(基地局又はｅＮｏｄｅＢのような)送信ポイントからユーザー端末(ＵＥ)に信号を伝達するダウンリンク(ＤＬ)を含む。また、無線通信ネットワークは、ＵＥからｅＮｏｄｅＢのような受信ポイントから信号を伝達するアップリンク(ＵＬ)を含む。また、一般的に端末又は移動局と呼ばれるＵＥは、固定的あるいは移動的であり、セルラーフォン、個人用コンピュータデバイスなどであり得る。一般的に固定局であるｅＮｏｄｅＢは、アクセスポイント又は他の等しい用語として称される。
【００１６】
図１は、本発明による無線ネットワーク１００の一例を示す。図１に示す無線ネットワーク１００の実施形態は、単に説明のためのものである。無線ネットワーク１００の他の実施形態は、本発明の範囲から逸脱することなく使用することができる。
【００１７】
図１に示すように、無線ネットワーク１００は、ｅＮｏｄｅＢ(ｅＮＢ)１０１、ｅＮＢ１０２、及びｅＮＢ１０３を含む。ｅＮＢ１０１は、ｅＮＢ１０２及びｅＮＢ１０３と通信する。ｅＮＢ１０１は、インターネット、独自のインターネットプロトコル(ＩＰ)ネットワーク、あるいは他のデータネットワークのような少なくとも一つのＩＰネットワーク１３０と通信する。
【００１８】
ｅＮＢ１０２は、ｅＮＢ１０２のカバレッジ領域１２０内で複数の第１のユーザー端末(ＵＥ）に対してネットワーク１３０に対する無線広帯域アクセスを提供する。複数の第１のＵＥは、スモールビジネス(ＳＢ)に位置するＵＥ１１１、エンタプライズ(Ｅ)に位置するＵＥ１１２、ＷｉＦｉホットスポット(ＨＳ）に位置するＵＥ１１３、第１のレジデンス(Ｒ)に位置するＵＥ１１４、第２のレジデンス(Ｒ)に位置するＵＥ１１５、及びセルラーフォン、無線ラップトップ、無線ＰＤＡのような移動デバイス(Ｍ)であるＵＥ１１６を含む。ｅＮＢ１０３は、ｅＮＢ１０３のカバレッジ領域１２５内で複数の第２のＵＥに対してネットワーク１３０に対する無線広帯域アクセスを提供する。複数の第２のＵＥは、ＵＥ１１５及びＵＥ１１６を含む。一部の実施形態において、ｅＮＢ１０１ー１０３のうち一つ以上は、相互に通信でき、５Ｇ、ＬＴＥ、ＬＴＥーＡ、ＷｉＭＡＸ、又は他のアドバンスド無線通信技術を使用してＵＥ１１１ー１１６と通信できる。
【００１９】
ネットワークタイプに基づいて、“基地局”又は“アクセスポイント”のように、他の公知の用語が“ｅＮｏｄｅＢ”又は“ｅＮＢ”の代わりに使用することができる。便宜のために、用語“ｅＮｏｄｅＢ”及び“ｅＮＢ”は、本明細書では遠隔端末に無線アクセスを提供するネットワークインフラストラクチャコンポーネントを表すために使われる。また、ネットワークタイプに基づき、“移動局”、“加入者局”、“遠隔端末”、“無線端末”、又は“ユーザーデバイス”のような“ユーザー端末”又は“ＵＥ”の代わりに他の公知の用語が使用され得る。便宜のために、用語“ユーザー端末”及び“ＵＥ”は、ｅＮＢに無線でアクセスする遠隔無線端末を表し、ＵＥが移動デバイス(例えば、移動電話又はスマートフォンなど)であるか、あるいは固定デバイス(例えば、デスクトップコンピュータ又は自動販売機など）とノーマルに見なされるかを表すために使用される。
【００２０】
点線は、カバレッジ領域１２０，１２５の概略的範囲を示し、単に例示及び説明の目的のためにほぼ円形として示す。カバレッジ領域１２０，１２５のようなｅＮＢと関連したカバレッジ領域が、ｅＮＢの構成及び自然的及び人為的な障害物と関連した無線環境での変更に基づいて、不規則的な形態を含む他の形態を有することが明らかにわかるべきである。
【００２１】
以下により具体的に説明するように、ネットワーク１００の多様なコンポーネント(例えば、ｅＮＢ１０１ー１０３及び/又はＵＥ１１１ー１１６）は、ＴＤＤを使用できるネットワーク１００の通信方向の適応をサポートする。
【００２２】
図１が無線ネットワーク１００の一例を示しても、多様な変更が図１に対してなされることができる。例えば、無線ネットワーク１００は、適合した配列で任意の個数のｅＮＢ及び任意の個数のＵＥも含むことができる。また、ｅＮＢ１０１は、任意の個数のＵＥとも直接に通信でき、ＵＥにネットワーク１３０に直接に無線広帯域アクセスを提供できる。同様に、各ｅＮＢ１０２ー１０３は、ネットワーク１３０と直接に通信し、ＵＥにネットワーク１３０に対する直接的な無線広帯域アクセスを提供することができる。さらに、ｅＮＢ１０１，１０２，１０３は、外部電話ネットワーク又は他のタイプのデータネットワークのような他の又は追加的な外部ネットワークにアクセスを提供できる。
【００２３】
図２は、本発明によるＵＥ１１４の一例を示す。図２に示すＵＥ１１４の実施形態は、但し図示のためのものであり、図１での他のＵＥは、同一又は類似の構成を有することができる。しかしながら、ＵＥは、多様な構成が導入され、本発明の範囲をＵＥの特定実現に制限するものではない。
【００２４】
図２に示すように、ＵＥ１１４は、アンテナ２０５、無線周波数(ＲＦ)送受信器２１０、送信(ＴＸ)プロセッシング回路２１５、マイクロホン(microphone)２２０、及び受信(ＲＸ)プロセッシング回路２２５を含む。また、ＵＥ１１４は、スピーカ２３０、メインプロセッサ２４０、入/出力(Ｉ/Ｏ)インターフェース(ＩＦ)２４５、キーパッド２５０、ディスプレイ２５５、及びメモリ２６０を含む。メモリ２６０は、基本オペレーティングシステム(ＯＳ)プログラム２６１及び一つ以上のアプリケーション２６２を含む。
【００２５】
ＲＦ送受信器２１０は、アンテナ２０５からｅＮＢ又は他のＵＥにより送信される入力ＲＦ信号を受信する。ＲＦ送受信器２１０は、入力ＲＦ信号をダウンコンバートして中間周波数(ＩＦ)又は基底帯域信号を生成する。ＩＦ又は基底帯域信号は、ＲＸプロセッシング回路２２５に送信され、ＲＸプロセッシング回路２２５は基底帯域又はＩＦ信号をフィルタリング、復号化、及び/又はデジタル化してプロセシングされた基底帯域信号を生成する。ＲＸプロセッシング回路２２５は、追加的なプロセシングのためにプロセシングされた基底帯域信号を(音声データのための)スピーカ２３０又は(Ｗｅｂブラウジングデータのための)メインプロセッサ２４０に送信する。
【００２６】
ＴＸプロセッシング回路２１５は、マイクロホン２２０からのアナログ又はデジタル音声データ又は他の出力基底帯域データ(例えば、Ｗｅｂデータ、ｅメール、あるいは両方向ビデオゲームデータ)を受信する。ＴＸプロセッシング回路２１５は、出力基底帯域データを符号化、多重化、及び/又はデジタル化してプロセシングされた基底帯域又はＩＦ信号を生成する。ＲＦ送受信器２１０は、ＴＸプロセッシング回路２１５から出力プロセシングされた基底帯域又はＩＦ信号を受信し、基底帯域又はＩＦ信号をアンテナ２０５を介して送信されるＲＦ信号にアップコンバートする。
【００２７】
メインプロセッサ２４０は、一つ以上のプロセッサ又は他のプロセッシングデバイスを含み、ＵＥ１１４の全般的な動作を制御するためにメモリ２６０に格納される基本ＯＳプログラム２６１を実行できる。例えば、メインプロセッサ２４０は、公知の原則により、ＲＦ送受信器２１０、ＲＸプロセッシング回路２２５、及びＴＸプロセッシング回路２１５により、順方向チャンネル信号の受信及び逆方向チャンネル信号の送信を制御できる。一部実施形態において、メインプロセッサ２４０は、少なくとも一つのマイクロプロセッサ又はマイクロ制御器を含む。
【００２８】
メインプロセッサ２４０は、メモリ２６０に在る他のプロセス及びプログラムを実行する。メインプロセッサ２４０は、実行中であるプロセスにより要求される場合、メモリ２６０の内外にデータを移動させる。一部実施形態で、メインプロセッサ２４０は、ＯＳプログラム２６１に基づいて、あるいはｅＮＢ、他のＵＥ、又はオペレータから受信される信号に応答してアプリケーション２６２を実行するように構成される。また、メインプロセッサ２４０は、Ｉ/Ｏインターフェース２４５に結合され、Ｉ/Ｏインターフェース２４５は、ＵＥ１１４にラップトップコンピュータ及びハンドヘルド(handheld)コンピュータのような他のデバイスに接続される能力を提供する。Ｉ/Ｏインターフェース２４５は、これらアクセサリとメインプロセッサ２４０との間の通信経路である。
【００２９】
また、メインプロセッサ２４０は、キーパッド２５０及びディスプレイユニット２５５に結合される。ＵＥ１１４のオペレータは、キーパッド２５０を使用してＵＥ１１４にデータを入力する。ディスプレイ２５５は、Ｗｅｂサイトのようにテキスト及び/又は少なくとも制限されたグラフィックをレンダリングできる液晶クリスタルディスプレイ又は他のディスプレイであり得る。ディスプレイ２５５は、タッチスクリーンを表すことができる。
【００３０】
メモリ２６０は、メインプロセッサ２４０に結合される。メモリ２６０の一部は、ランダムアクセスメモリ(ＲＡＭ)を含み、メモリ２６０の他の部分は、フラッシュメモリ又は他のＲＯＭ(ReadーOnly  Memory)を含むことができる。
【００３１】
以下により詳細に説明するように、(ＲＦ送受信器２１０、ＴＸプロセッシング回路２１５、及び/又はＲＸプロセッシング回路２２５を用いて実現される）ＵＥ１１４の送信及び受信経路は、ＴＤＤシステムでのアップリンクーダウンリンク構成の適応に対するダウンリンクシグナリングをサポートする。
【００３２】
図２がＵＥ１１４の一例を示すが、図２に対して多様な変更が可能である。例えば、図２での多様なコンポーネントは組み合わせるか、加えてサブ分割されるか、あるいは省略され、追加的コンポーネントは、特定の必要に従って追加することができる。特定の実施形態として、メインプロセッサ２４０は、一つ以上の中央プロセッシングユニット(ＣＰＵ)及び一つ以上のグラフィックプロセッシングユニット(ＧＰＵ)のように複数のプロセッサに分割することができる。また、図２にはＵＥ１１４が移動電話機又はスマートフォンとして構成されるが、ＵＥは、他のタイプの移動又は固定デバイスとして動作するように構成されてもよい。また、図２での多様なコンポーネントは、異なるＲＦコンポーネントがｅＮＢ１０１ー１０３及び他のＵＥと通信するために使用される場合のように重複してもよい。
【００３３】
図３は、本発明によるｅＮＢ１０２の一例を示す。図３に示すｅＮＢ１０２の実施形態は、単に説明のためのものであり、図１の他のｅＮＢは、同一又は類似の構成を有することができる。しかしながら、ｅＮＢは、多様な構成が導入され、したがって図３は、本発明の範囲をｅＮＢの特定実現に制限するものではない。
【００３４】
図３に示すように、ｅＮＢ１０２は、複数のアンテナ３０５aー３０５n、複数のＲＦ送受信器３１０ａー３１０ｎ、送信(ＴＸ)プロセッシング回路３１５、及び受信(ＲＸ)プロセッシング回路３２０を含む。また、ｅＮＢ１０２は、制御器/プロセッサ３２５、メモリ３３０、及びバックホールあるいはネットワークインターフェース３３５を含む。
【００３５】
ＲＦ送受信器３１０ａー３１０ｎは、アンテナ３０５ａー３０５ｎからＵＥ又は他のｅＮＢにより送信される信号のように、入力ＲＦ信号を受信する。ＲＦ送受信器３１０ａー３１０ｎは、入力ＲＦ信号をダウンコンバートしてＩＦ又は基底帯域信号を生成する。ＩＦ又は基底帯域信号は、基底帯域又はＩＦ信号をフィルタリング、復号化、及び/又はデジタル化することによってプロセシングされた基底帯域信号を生成するＲＸプロセッシング回路３２０に送信される。ＲＸプロセッシング回路３２０は、追加的なプロセッシングのためにプロセシングされた基底帯域信号を制御器/プロセッサ３２５に送信する。
【００３６】
ＴＸプロセッシング回路３１５は、制御器/プロセッサ３２５から(音声データ、Ｗｅｂデータ、ｅメール、又は対話形ビデオゲームデータのような)アナログ又はデジタルデータを受信する。ＴＸプロセッシング回路３１５は、出力される基底帯域データを符号化、多重化、及び/又はデジタル化してプロセシングされた基底帯域又はＩＦ信号を生成する。ＲＦ送受信器３１０ａー３１０ｎは、ＴＸプロセッシング回路３１５から出力されるプロセシングされた基底帯域又はＩＦ信号を受信し、基底帯域又はＩＦ信号をアンテナ３０５ａー３０５ｎを通じて送信されるＲＦ信号にアップコンバートする。
【００３７】
制御器/プロセッサ３２５は、ｅＮＢ１０２の全般的な動作を制御する一つ以上のプロセッサ又は他のプロセッシングデバイスを含むことができる。例えば、制御器/プロセッサ３２５は、公知の基本原則によりＲＦ送受信器３１０ａ―３１０ｎ、ＲＸプロセッシング回路３２０、及びＴＸプロセッシング回路３１５により順方向チャンネル信号の受信及び逆方向チャンネル信号の送信を制御できる。また、制御器/プロセッサ３２５は、より進化した無線通信機能のような追加的な機能をサポートすることができる。一例として、制御器/プロセッサ３２５は、複数のアンテナ３０５ａー３０５ｎからの出力信号が所望する方向に出力信号を効率的に誘導する(steer)ように加重させる(weighted)ビームフォーミング又は指向性ルーティング動作をサポートできる。より多様な他の機能が制御器/プロセッサ３２５によりｅＮＢ１０２でサポートされ得る。一部実施形態において、制御器/プロセッサ３２５は、少なくとも一つのマイクロプロセッサ又はマイクロ制御器を含む。
【００３８】
制御器/プロセッサ３２５は、基本ＯＳのようなメモリ３３０に存在するプログラム及び他のプロセスを実行させることができる。制御器/プロセッサ３２５は、実行プロセスにより要求される場合、メモリ３３０の内部又は外部にデータを移動できる。
【００３９】
また、制御器/プロセッサ３２５は、バックホール又はネットワークインターフェース３３５に結合される。バックホール又はネットワークインターフェース３３５は、ｅＮＢ１０２がバックホール接続を通じて、あるいはネットワークを介して他のデバイス又はシステムと通信するように許可する。インターフェース３３５は、適合した有線又は無線接続を通じて通信をサポートする。例えば、ｅＮＢ１０２は、セルラー通信システム(例えば、５Ｇ、ＬＴＥ、又はＬＴＥーＡをサポートするシステム）の一部として実現される場合、インターフェース３３５は、ｅＮＢ１０２が有線又は無線バックホール接続を通じて他のｅＮＢと通信することを許可する。ｅＮＢ１０２がアクセスポイントとして実現される場合、インターフェース３３５は、ｅＮＢ１０２が有線又は無線ローカルアクセスネットワークを介して、あるいはより大きいネットワーク(例えば、インターネット)への有線又は無線接続を通じて通信することを許可する。インターフェース３３５は、イーサネット（登録商標）又はＲＦ送受信器のように、有線又は無線通信を通じて通信をサポートする適合した構造を含む。
【００４０】
メモリ３３０は、制御器/プロセッサ３２５に結合される。メモリ３３０の一部は、ＲＡＭを含み、メモリ３３０の他の部分は、フラッシュメモリ又は他のＲＯＭを含むことができる。
【００４１】
以下により具体的に説明するように、(ＲＦ送受信器３１０ａ―３１０ｎ、ＴＸプロセッシング回路３１５、及び/又はＲＸプロセッシング回路３２０を用いて実現される)ｅＮＢ１０２の送信及び受信経路は、ＴＤＤシステムでアップリンクーダウンリンク構成の適応のためのダウンリンクシグナリングをサポートする。
【００４２】
図３は、ｅＮＢ１０２の一例を示すが、多様な変更が図３に対してなされ得る。例えば、ｅＮＢ１０２は、図３に示すような任意の個数の各エレメントを含む。特定の実施形態において、アクセスポイントは複数のインターフェース３３５を含み、制御器/プロセッサ３２５は、異なるネットワークアドレス間のデータをルーティングするルーティング機能をサポートする。もう一つの特定の実施形態として、ＴＸプロセッシング回路３１５の単一例示及びＲＸプロセッシング回路３２０の単一例示を含むことを示すが、ｅＮＢ１０２は、それぞれの多数の例(例えば、ＲＦ送受信器別に一つ）を含むことができる。
【００４３】
一部の無線ネットワークにおいて、ＤＬ信号は、情報コンテンツを伝達するデータ信号、ＤＬ制御情報(ＤＣＩ)を伝達する制御信号、及びパイロット信号として知られている基準信号(ＲＳ)を含む。ｅＮＢは、各物理ＤＬ共有チャンネル(ＰＤＳＣＨ)あるいは物理ＤＬ制御チャンネル(ＰＤＣＣＨ)を介してデータ情報又はＤＣＩを送信できる。ｅＮＢは、ＵＥー共通ＲＳ(ＣＲＳ)、チャンネル状態情報ＲＳ(ＣＳＩーＲＳ)及び復調ＲＳ(ＤＭＲＳ)を含むＲＳの複数のタイプのうち一つ以上を送信できる。ＣＲＳは、ＤＬシステム帯域幅(ＢＷ)を通じて送信され、ＵＥによりデータ又は制御信号を復調し、あるいは測定を遂行するために使用され得る。ＣＲＳオーバーヘッドを減少させるために、ｅＮＢは、ＣＲＳより時間又は周波数ドメインで小さい密度を有するＣＳＩーＲＳを送信する。干渉測定(ＩＭ）に対して、ゼロパワーＣＳＩーＲＳ(ＺＰ  ＣＳＩーＲＳ)に関連したＣＳＩーＩＭリソースが使用できる。ＵＥは、ｅＮＢから上位階層シグナリングを通じてＣＳＩーＲＳ送信パラメータを決定する。ＤＭＲＳは、各ＰＤＳＣＨ又はＰＤＣＣＨのＢＷのみが送信され、ＵＥは、ＰＤＳＣＨ又はＰＤＣＣＨで情報を復調するためにＤＭＲＳを使用することができる。ｅＮＢは、ＵＥのグループに送信されるシステム情報ブロック(ＳＩＢ)を通じてＵＥに１０個の連続的な送信時区間(ＴＴＩ)の各周期でＤＬ  ＴＴＩがマルチキャストーブロードキャスト単一周波数ネットワーク(ＭＢＳＦＮ)ＴＴＩとして構成されることを指示し、ＵＥはＴＴＩの最初に１個のシンボル又は２個のシンボルのみでＣＲＳが送信されると期待することができる。
【００４４】
一部の無線ネットワークで、ＵＬ信号は、情報コンテンツを伝達するデータ信号、ＵＬ制御情報(ＵＣＩ)を伝達する制御信号、及びＲＳを含む。ＵＥは、各物理ＵＬ共有チャンネル(ＰＵＳＣＨ)又は物理ＵＬ制御チャンネル(ＰＵＣＣＨ)を介してデータ情報又はＵＣＩを送信できる。ＵＥがデータ情報とＵＣＩを同時に送信する場合、ＵＥは、ＰＵＳＣＨでデータ情報とＵＣＩを多重化する。ＵＣＩは、ＰＤＳＣＨでのデータ転送ブロック(Transport  Block：ＴＢ)の正確又は不正確な検出を指示するハイブリッド自動再送要求認知(ＨＡＲＱーＡＣＫ)情報、ＵＥがそのバッファにデータを有するか否かを指示するスケジューリング要求(ＳＲ)情報、及びｅＮＢがＵＥにＰＤＳＣＨ送信に対する適合したパラメータを選択することを可能にするチャンネル状態情報(ＣＳＩ)を含むことができる。ＨＡＲＱーＡＣＫ情報は、正確なＰＤＣＣＨ又はデータＴＢ検出に対応してポジティブ認知(ＡＣＫ)、不正確なデータＴＢ検出に対する応答でネガティブ認知(ＮＡＣＫ)及び黙示的又は明示的になり得るＰＤＣＣＨ検出の不在(ＤＴＸ)を含むことができる。ＤＴＸは、ＵＥがＨＡＲＱーＡＣＫ信号を送信しない場合、黙示的である。ＤＴＸは、ＵＥが他の方式でミスされたＰＤＣＣＨを識別できる(また、同一のＮＡＣＫ/ＤＴＸ状態でＮＡＣＫ及びＤＴＸを表すことができる)場合、明示的である。ＵＬ  ＲＳは、ＤＭＲＳ及びサウンディングＲＳ(ＳＲＳ)を含むことができる。ＤＭＲＳは、各ＰＵＳＣＨ又はＰＵＣＣＨのＢＷのみで送信でき、ｅＮＢは、ＤＭＲＳを使用してＰＵＳＣＨ又はＰＵＣＣＨで情報を復調する。ＳＲＳは、ｅＮＢにＵＬＣＳＩを提供するためにＵＥにより送信できる。ＵＥからのＳＲＳ送信は、無線リソース制御(ＲＲＣ)シグナリングのように、上位階層シグナリングによりＵＥに構成された送信パラメータを有する所定のＴＴＩで周期的であり得る(ＰーＳＲＳ）。ＳＲＳ送信は、ＰＵＳＣＨ又はＰＤＳＣＨをスケジューリングするＰＤＣＣＨにより伝達されるＤＣＩフォーマットによりトリガーされる場合に非周期的であり得る(ＡーＳＲＳ）。
【００４５】
ＤＣＩは、いくつかの目的をサービスする。各ＰＤＣＣＨでＤＣＩフォーマットは、各々ＵＥとデータ情報を伝達するＰＤＳＣＨ又はＰＵＳＣＨ送信をスケジューリングできる。一部実施形態において、ＵＥは、ＰＤＳＣＨスケジューリングに対するＤＣＩフォーマット１Ａ及びＰＵＳＣＨスケジューリングに対するＤＣＩフォーマット０をモニタリングする。これら２個のＤＣＩフォーマットは、同一のサイズを有するように設計され、ＤＣＩフォーマット０/１Ａとして一緒に称されることがある。各ＰＤＣＣＨで、他のＤＣＩフォーマットであるＤＣＩフォーマット１Ｃは、ネットワーク構成パラメータに対するＵＥのグループに対するシステム情報ブロック、あるいはＵＥによるランダムアクセス(ＲＡ)に対する応答、あるいはＵＥのグループに対する呼び出し情報を提供するＰＤＳＣＨをスケジューリングする。他のＤＣＩフォーマットであるＤＣＩフォーマット３又はＤＣＩフォーマット３Ａ(ＤＣＩフォーマット３/３Ａとして共に称される)は、各ＰＵＳＣＨ又はＰＵＣＣＨの送信に対してＵＥのグループに送信電力制御(ＴＰＣ)命令を提供できる。
【００４６】
ＤＣＩフォーマットは一般的にＵＥが正確な検出を確認するようにするために巡回冗長検査(Cyclic  Redundancy  Check：ＣＲＣ)ビットを含む。ＤＣＩフォーマットタイプはＣＲＣビットをスクランブリングする(scramble)無線ネットワーク臨時識別子(ＲＮＴＩ)により識別される。ＰＤＳＣＨ又はＰＵＳＣＨを単一ＵＥにスケジューリングするＤＣＩフォーマットに対して、ＲＮＴＩは、セルＲＮＴＩ(ＣーＲＮＴＩ)であり、ＵＥ識別子として動作する。ＳＩＢをＵＥのグループに伝達するＰＤＳＣＨをスケジューリングするＤＣＩフォーマットに対して、ＲＮＴＩは、ＳＩーＲＮＴＩであり得る。ＵＥのグループからのＲＡに対する応答を提供するＰＤＳＣＨをスケジューリングするＤＣＩフォーマットに対して、ＲＮＴＩは、ＲＡーＲＮＴＩであり得る。ＵＥのグループを呼び出すＰＤＳＣＨをスケジューリングするＤＣＩフォーマットに対して、ＲＮＴＩは、ＰーＲＮＴＩであり得る。ＵＥのグループにＴＰＣ命令を提供するＤＣＩフォーマットに対して、ＲＮＴＩは、ＴＰＣーＲＮＴＩであり得る。各ＲＮＴＩタイプは、ＲＲＣシグナリングのような上位階層シグナリングを通じてＵＥで構成することができる(そして、ＣーＲＮＴＩは各ＵＥに固有である)。
【００４７】
図４は、本発明によるｅＮＢで使用されるＤＣＩフォーマットに対する符号化プロセスの一例を示す。図４に示すように、(ｅＮＢ１０１ー１０３のような)ｅＮＢは、各ＰＤＣＣＨで各ＤＣＩフォーマットを別途に符号化及び送信する。ＤＣＩフォーマットが意図するＵＥに対するＲＮＴＩは、ＵＥが特定ＤＣＩフォーマットがＵＥに対して意図されることを識別可能にするために、ＤＣＩフォーマットコードワードのＣＲＣをマスク(mask)する。(符号化されない)ＤＣＩフォーマットビット４１０のＣＲＣは、ＣＲＣ演算動作４２０により決定され、ＣＲＣは、ＣＲＣビットとＲＮＴＩビット４４０との間の排他的ＯＲ(exclusive  OR：ＸＯＲ)動作４３０を使用してマスクされる。ＸＯＲ動作４３０は、ＸＯＲ(０，０)＝０、ＸＯＲ(０，１)＝１、ＸＯＲ(１，０)＝１、ＸＯＲ(１，１)＝０のように定義される。マスクされたＣＲＣビットは、ＣＲＣ付加動作４５０を用いてＤＣＩフォーマット情報ビットに添付される。チャンネル符号化は、(折り畳み符号化のような)チャンネル符号化動作４６０を使用して遂行され、その次に割り当てられたリソースにレートマッチング動作４７０により適用される。インターリビング及び変調動作４８０が遂行され、その出力制御信号４９０が送信される。本発明の実施形態において、ＣＲＣとＲＮＴＩは、両方とも１６ビットを含むが、ＣＲＣ及びＲＮＴＩのうち一つあるいは両方とも１６ビットの以上又はそれ以下を含むことができることは明らかである。
【００４８】
図５は、本発明によるＵＥで使用されるＤＣＩフォーマットに対する復号化プロセスの一例を示す。図５に示すように、(ＵＥ１１１ー１１６のような)ＵＥは、ｅＮＢ送信器の逆動作を遂行してＵＥがＤＬ  ＴＴＩでＤＣＩフォーマット割り当てを有するか否かを判定する。受信された制御信号５１０は、動作５２０で復調され、その結果ビットがデインターリビングされる。ｅＮＢ送信器で適用されるレートマッチングは、動作５３０を通じて復元され、データは動作５４０で復号化される。データを復号化した後、ＤＣＩフォーマット情報ビット５６０は、ＣＲＣビット５５０を抽出した後に獲得される。ＤＣＩフォーマット情報ビットは、ＵＥ  ＲＮＴＩ５８０でＸＯＲ動作を適用することによってデマスクされる(５７０)。ＵＥは、ＣＲＣテスト５９０を遂行する。ＣＲＣテストが通過される場合、ＵＥは、受信された制御信号５１０に対応するＤＣＩフォーマットが有効であると決定し、信号受信又は信号送信に対するパラメータを決定する。ＣＲＣテストが通過されない場合、ＵＥは、推定されたＤＣＩフォーマットを無視する。
【００４９】
ＰＤＣＣＨ送信は、ＰＤＳＣＨ送信と時分割多重化(ＴＤＭ)され、あるいは周波数分割多重化(ＦＤＭ)されることがある。説明の便宜上、ここではＴＤＭのケースが考慮される。しかしながら、本発明は他の多重化方法にも適用可能である。他のＵＥに対するＰＤＣＣＨ送信をブロッキングするＵＥに対するＰＤＣＣＨ送信を防止するために、ＤＬ制御領域の時間ー周波数ドメインで各ＰＤＣＣＨ送信の位置は固有でない。その結果、各ＵＥは複数の復号化動作を遂行してＤＬ  ＴＴＩでＵＥに対して意図されたＰＤＣＣＨを存在するか否かを判定する。各ＰＤＣＣＨを伝達するリソースは、論理ドメインで制御チャンネルエレメント(ＣＣＥ)にグループ化できる。与えられた個数のＤＣＩフォーマットビットに対して、各ＰＤＣＣＨに対するＣＣＥの個数は、チャンネル符号化レートに基づく(ＱＰＳＫ(Quadrature  Phase  Shift  Keying）が変調方式として仮定される)。ｅＮＢは、高いＤＬ信号対干渉及び雑音比(ＳＩＮＲ)を経験しているＵＥより低いＤＬ  ＳＩＮＲを経験しているＵＥに対するＰＤＣＣＨ送信に対してより低いチャン符号化レート及びより多くのＣＣＥを使用することができる。ＣＣＥアグリゲーションレベルは、例えば、１、２、４、及び８個のＣＣＥを含むことができる。
【００５０】
ＤＣＩフォーマット１Ｃ又はＤＣＩフォーマット３/３Ａのように、複数のＵＥに情報を伝達するＤＣＩフォーマットは、ＵＥ共通検索空間(ＣＳＳ）で送信される。複数のＵＥに情報を伝達するＤＣＩフォーマットの送信後にもＣＣＥが十分に残っている場合、ＣＳＳは、個別的なＵＥに各々ＰＤＳＣＨ又はＰＵＳＣＨをスケジューリングするためにＤＣＩフォーマット０/１Ａを伝達できる。ＤＣＩフォーマット０/１Ａのように、単一ＵＥにＰＤＳＣＨ受信又はＰＵＳＣＨ送信のためのスケジューリング情報を伝達するＤＣＩフォーマットは、ＵＥ専用検索空間(ＵＥーＤＳＳ）で送信される。例えば、ＣＳＳは、１６個のＣＣＥを含み、８個のＣＣＥを有する２個のＤＣＩフォーマット、４個のＣＣＥを有する４個のＤＣＩフォーマット、又は８個のＣＣＥを有する１個のＤＣＩフォーマット及び４個のＣＣＥを有する２個のＤＣＩフォーマットをサポートできる。ＣＳＳに対するＣＣＥは、論理ドメインで(ＣＣＥインターリビング前に)まず位置される。
【００５１】
ＴＤＤ通信システムにおいて、一部ＴＴＩで通信方向はＤＬに存在し、一部の他のＴＴＩで通信方向はＵＬに存在する。＜表１＞はフレーム周期と称される１０個のＴＴＩの周期を通じて指示するＵＬ‐ＤＬ構成をリスト化する。“Ｄ”はＤＬ  ＴＴＩを表し、“Ｕ”はＵＬ  ＴＴＩを表し、“Ｓ”は、ＤｗＰＴＳと称されるＤＬ送信フィールド、保護区間(ＧＰ)及びＵｐＰＴＳと称されるＵＬ送信フィールドを含む特定ＴＴＩを表す。全体区間が１個のＴＴＩである条件に対する特定のＴＴＩサブジェクトで各フィールドの区間に対していくつかの組み合わせが存在する。
【００５２】
【表１】
2019134479.tif 000003
【００５３】
＜表１＞でＴＤＤ ＵＬ‐ＤＬ構成は、Ｍ、ＤＬ  ＴＴＩであるフレーム(及びＵＬ  ＴＴＩである残り)別に４０％及び９０％のＤＬ  ＴＴＩを提供する。このような柔軟性(flexibility）にもかかわらず、６４０ｍｓｅｃごとに、又はＳＩＢシグナリングにより頻度の低くアップデートされ、あるいはＲＲＣシグナリングによるＤＬキャリアアグリゲーション及び補助(secondary)セルである場合に、準静的(semiーstatic)ＴＤＤ ＵＬ‐ＤＬ構成は、ショートタームデータトラフィック条件(shortーterm  data  traffic  condition)とよくマッチングされない。本発明の残り部分で、上記のようなＴＤＤ ＵＬ‐ＤＬ構成は、既存のＴＤＤ ＵＬ‐ＤＬ構成と称され、セルでレガシー(legacy)ＵＥにより使用されると仮定する。このような理由で、ＴＤＤ ＵＬ‐ＤＬ構成のより速い適応は、特に少ないあるいは適当な個数の接続されるＵＥに対してシステムスループットを改善させることができる。例えば、ＵＬトラフィックより多くのＤＬトラフィックが存在する場合、ＴＤＤ ＵＬ‐ＤＬ構成は、より多くのＤＬ  ＴＴＩを含むように調整できる。ＴＤＤ ＵＬ‐ＤＬ構成に対するより速い適応のためのシグナリングは、ＰＤＣＣＨでＤＣＩフォーマットにより含まれる数個のメカニズムにより提供することができる。
【００５４】
既存のＴＤＤ ＵＬ‐ＤＬ構成の適応における動作制限は、このような適応を認識できないＵＥが存在可能であることである。上記のようなＵＥは、既存ＵＥと称する。既存ＵＥは、各ＣＲＳを用いてＤＬ  ＴＴＩで測定を遂行するために、上記のようなＤＬ  ＴＴＩは、ＴＤＤ ＵＬ‐ＤＬ構成の非従来的な適応によりＵＬ  ＴＴＩ又は特定ＴＴＩに変更されない。しかしながら、ＵＬ  ＴＴＩは、ｅＮＢが上記のようなＵＥが上記ＵＬ  ＴＴＩで如何なる信号でも送信しないことを保証可能であるため、既存ＵＥに影響を与えずに、ＤＬ  ＴＴＩに変更できる。また、すべての適応されるＴＤＤ ＵＬ‐ＤＬ構成に対して共通である少なくとも一つのＵＬ  ＴＴＩは、ｅＮＢがＰＵＣＣＨ送信に対してＵＬ  ＴＴＩをできるだけ選択可能なように存在する。一部の実現において、このＵＬ  ＴＴＩはＴＴＩ＃２である。
【００５５】
ＴＴＩは、ＴＴＩが既存のＴＤＤ ＵＬ‐ＤＬ構成でＵＬ  ＴＴＩであり、ＤＬ  ＴＴＩに適応される場合にＤＬフレキシブル(flexible)ＴＴＩと称する。ＴＴＩは、ＴＴＩが適応されるＴＤＤ ＵＬ‐ＤＬ構成ではＤＬ  ＴＴＩに適応される基本ＴＤＤ ＵＬ‐ＤＬ構成ではＵＬ  ＴＴＩであるが、ＵＬ  ＴＴＩで残っている場合にはＵＬフレキシブルＴＴＩと称する。ＴＴＩは、ＴＴＩが既存のＴＤＤ ＵＬ‐ＤＬ構成ではＤＬ  ＴＴＩである場合にＤＬ固定(fixed)ＴＴＩと称する。ＴＴＩは、ＵＥがＰＤＳＣＨ受信に応答して(あるいは半永久的にスケジューリングされるＰＤＳＣＨの解除に応答して)ＨＡＲＱーＡＣＫ情報を送信するＵＬ  ＴＴＩを決定するために使用するＴＤＤ ＵＬ‐ＤＬ構成でＵＬ  ＴＴＩである場合にＵＬ固定ＴＴＩと称する。既存のＴＤＤ ＵＬ‐ＤＬ構成で特定ＴＴＩは、ＤＬ  ＴＴＩのみに適応できる。単一セル動作に関して、ＴＤＤ ＵＬ‐ＤＬ構成は、ｅＮＢによりＵＥにＰＤＳＣＨ受信(又はＳＰＳ  ＰＤＳＣＨ解除)に対する応答でＵＥにより送信されるＨＡＲＱーＡＣＫ情報に対する送信タイミングを決定するために構成される。これは、ＤＬ  ＨＡＲＱ基準ＴＤＤ ＵＬ‐ＤＬ構成として称する。ＴＤＤ ＵＬ‐ＤＬ構成は、ｅＮＢによりＵＥにＵＥからｅＮＢへのＰＵＳＣＨ送信に対する応答でＨＡＲＱーＡＣＫ情報に対する、あるいはＰＵＳＣＨ送信をスケジューリングするＤＣＩフォーマットに対する送信タイミングをＵＥに決定するように構成される。これは、ＵＬ  ＨＡＲＱ基準ＴＤＤ ＵＬ‐ＤＬ構成として称する。ＵＬ  ＨＡＲＱ基準ＴＤＤ ＵＬ‐ＤＬ構成は、セルで使われる既存ＴＤＤ ＵＬ‐ＤＬ構成と同一であり得る。
【００５６】
上記を考慮すれば、＜表２＞は、＜表１＞の各ＴＤＤ ＵＬ‐ＤＬ構成に対するフレキシブルＴＴＩ(‘Ｆ’で表示）を指示する。既存ＴＤＤ ＵＬ‐ＤＬ構成でＤＬ  ＴＴＩがＵＬ  ＴＴＩに変更できないため、すべてのＴＤＤ ＵＬ‐ＤＬ構成が適応のために使用されることではない。例えば、ＴＤＤ ＵＬ‐ＤＬ構成２が既存ＴＤＤ ＵＬ‐ＤＬ構成である場合、適応は、ＴＤＤ ＵＬ‐ＤＬ構成５のみに対して存在できる。したがって、ＴＤＤ ＵＬ‐ＤＬ構成に対する適応の指示が一例として、ＵＬ  ＴＴＩで既存ＴＤＤ ＵＬ‐ＤＬ構成でＤＬ  ＴＴＩをスイッチする場合、ＴＤＤ ＵＬ‐ＤＬ構成の適応に対する指示は、ＵＥ１１４により有効でないと考慮され得る。例えば、ＵＥ１１４からの誤検出による適応したＴＤＤ ＵＬ‐ＤＬ構成に対する指示を伝達するＤＣＩフォーマットの有効でない指示をもたらすようになる。
【００５７】
【表２】
2019134479.tif 000004
【００５８】
ＵＬフレキシブルＴＴＩでのＵＬ送信の電力は、ＵＬフレキシブルＴＴＩでの干渉が隣接セルでのＤＬ送信又はＵＬ送信の組み合わせから存在し、これに反してＵＬ固定ＴＴＩでの干渉は、一般的に隣接セルでＵＬ送信から存在するため、ＵＬ固定ＴＴＩでのＵＬ送信の電力と異なることがある。２個の別途のＵＬ電力制御(ＰＣ)プロセスが考慮される。一つは、ＵＬ固定ＴＴＩで使用されることであり、他の一つは、ＵＬフレキシブルＴＴＩで使用されることである。各ＵＬ  ＰＣプロセスは、Ｐ0_PUSCHとαの各々の値を通じて別途のオープンループＰＣ(ＯＬＰＣ)プロセスを有するか、あるいはＴＰＣ命令δPUSCHの別のアプリケーションを通じて別途の閉ループＰＣ(ＣＬＰＣ)プロセスを有することができる。しかしながら、ＵＬフレキシブルＴＴＩに対する単一ＵＬ  ＰＣプロセスを有することは、異なるＵＬフレキシブルＴＴＩが異なる干渉特性を経験できる場合に十分でない。
【００５９】
ダイナミックにスケジューリングされたＰＵＳＣＨ及びＳＲＳ送信のみがＵＬフレキシブルＴＴＩで発生できると仮定する。ＴＤＤ ＵＬ‐ＤＬ構成の適応が周期的なＰＵＳＣＨ又はＳＲＳ送信に対するパラメータの上位階層シグナリングによる構成より速いと仮定するため、Ｐ0_PUSCH(０)及びα(０）は、ＴＤＤ  ＤＬーＵＬ構成に関係なく同一であり得る。Ｐ0_PUSCH(１)及びα(１)の第１の値は、ＵＬ固定ＴＴＩ及びＵＥがＵＬードミナント(dominant)干渉を経験する一部ＵＬフレキシブルＴＴＩに対して使用でき、Ｐ0_PUSCH(１)及びα(１）の第２の値は、ＵＥがＤＬードミナント干渉を経験する残りのＵＬフレキシブルＴＴＩに対して使用できる。第１の値は、ＵＥが(他のＵＥからの信号送信から)ＵＬードミナント干渉を経験する場合に使用する。第２の値は、ＵＥが(他のｅＮＢからの信号送信から)ＤＬードミナント干渉を経験する場合に使用する。ＴＤＤ ＵＬ‐ＤＬ構成の適応を使用する場合、少なくともＤＬードミナント干渉は変更され、ＴＤＤ ＵＬ‐ＤＬ構成の適応は、一部ＵＬフレキシブルＴＴＩでＰ0_PUSCH(１)及びα(１）の他の第２の値の使用を含むことができる。さらに、ＴＰＣ命令δPUSCHに対する値は、ＵＥからのＰＵＳＣＨ又はＳＲＳ送信がＵＬドミナント干渉を経験し、またＤＬードミナント干渉を経験する場合に変わることができる。表記の簡略化のために、Ｐ0_PUSCH(１)及びα(１）は、Ｐ0_PUSCH(０)及びα(０）の次に称される。
【００６０】
ＵＥに対する送信帯域幅を拡張し、より高いデータレートをサポートするために、キャリアアグリゲーション(ＣＡ）が使用され、ＣＡで複数のコンポーネントキャリア(又はセル）はアグリゲートされ、ＵＥへの(ＤＬ  ＣＡ)送信又はＵＥからの(ＵＬ  ＣＡ)送信のために共に使用される。一部実施形態において、最大５個のコンポーネントキャリアがＵＥに対してアグリゲートされ得る。ｅＮＢは、５個以上のコンポーネントキャリアを有することができる。ＤＬ  ＣＡのために使われるコンポーネントキャリアの個数は、ＵＬ  ＣＡのために使用されるコンポーネントキャリアの個数と異なることができる。ＣＡが構成される前に、ＵＥは、ネットワークと１個のみのＲＲＣ接続のみを有することができる。１個のサービングセルは、ＲＲＣ接続成立/再成立/ハンドオーバーの際に移動性情報を提供し、ＲＲＣ接続再成立/ハンドオーバー時にセキュリティ入力を提供する。このセルは、基本セル(Primary  Cell：ＰＣｅｌｌ)と称する。ＵＥの能力に基づき、ＤＬ又はＵＬ補助セル(Secondary  Cell：ＳＣｅｌｌ)は(ＰＣｅｌｌと共に)ＵＥに対して構成されてサービングセルの集合を形成し、追加的なセルは補助セル(ＳＣｅｌｌ)と称される。ＵＥに対して構成されるＰＣｅｌｌ及びＳＣｅｌｌは、上記のような適応が可能になるセルでＴＤＤ ＵＬ‐ＤＬ構成の同一の適応を含む同一のＴＤＤ ＵＬ‐ＤＬ構成を有することができない。ｅＮＢがＣＡとＴＤＤ ＵＬ‐ＤＬ構成の適応をサポートする場合、適応したＴＤＤ ＵＬ‐ＤＬ構成を指示するＤＣＩフォーマットは、複数のセルに対して各々３ビットのインジケータを含むことができる。
【００６１】
本発明の実施形態は、ＵＥのグループ又は個別ＵＥに対してＴＤＤ ＵＬ‐ＤＬ構成の頻繁な適応をサポートするＤＬシグナリングメカニズムを提供する。また、本発明の実施形態は、ＴＤＤ ＵＬ‐ＤＬ構成の適応に対するＤＬシグナリングに対する望ましい検出信頼性を保証する。その上、本発明の実施形態は、ＵＥにＴＤＤ ＵＬ‐ＤＬ構成の適応後に信号を送信し、あるいは受信するために使用するパラメータの新たな集合を通知するメカニズムを提供する。また、本発明の実施形態では、ＵＥが適応したＴＤＤ ＵＬ‐ＤＬ構成を使用する動作のために構成されるセルで適応したＴＤＤ ＵＬ‐ＤＬ構成を使用する動作をサポートするＣＡ動作で構成されるＵＥに対するメカニズムを提供する。
【００６２】
＜ＴＤＤ ＵＬ‐ＤＬ構成を適応させるためのＵＥー共通ＤＬシグナリング＞
この実施形態において、上位階層シグナリングは、ＵＥに(ＴＤＤ ＵＬ‐ＤＬ構成を仮定するためのＴＴＩの個数が有効であることのように)ＴＤＤ ＵＬ‐ＤＬ構成の適応の周期性及びＴＤＤ ＵＬ‐ＤＬ構成の適応を通知するＵＥー共通ＤＬシグナリングの構成を知らせることができる。上位階層シグナリングは、例えば、情報エレメント(ＩＥ)‘ＣｏｎｆｉｇｕｒｅＴＤＤＵＬ‐ＤＬーＡｄａｐｔ’を使用できる。このＵＥー共通ＤＬ制御シグナリング(ＰＤＣＣＨ）は、ＴＤＤＵＬ‐ＤＬーＡｄａｐｔと称される。ＴＤＤＵＬ‐ＤＬーＡｄａｐｔの構成は、(ＴＤＤ ＵＬ‐ＤＬ適応動作の明示により固有に決定されない場合)ＴＤＤＵＬ‐ＤＬーＡｄａｐｔにより伝達されるＤＣＩフォーマット及びＤＣＩフォーマットのＣＲＣをスクランブリングするために使用されるＴＤＤ‐ＲＮＴＩを含むことができる。
【００６３】
(すべてのＵＥ又はＵＥのグループに対する)ＵＥー共通制御シグナリングの場合に、ＨＡＲＱーＡＣＫフィードバックは、ＴＤＤＵＬ‐ＤＬーＡｄａｐｔのためにサポートされる場合、ＴＤＤＵＬ‐ＤＬーＡｄａｐｔの構成は、ＵＥがＴＤＤ‐ＵＬＤＬーＡｄａｐｔの検出に関するＨＡＲＱーＡＣＫ情報(ＤＴＸ又はＡＣＫ)を送信するためのＰＵＣＣＨリソースの構成を含むことができる。例えば、各ＰＵＣＣＨ送信は、可能な第１のＵＬ固定ＴＴＩに存在する。ＨＡＲＱーＡＣＫ情報の送信は、データ転送ブロック(ＴＢ）の受信に対する応答に存在できない。むしろ、この送信は、ＴＤＤＵＬ‐ＤＬーＡｄａｐｔの実際又はミスされた検出に対する応答に存在することができる。
【００６４】
複数のＴＴＩでのＴＤＤ ＵＬ‐ＤＬ構成に対する周期性は、複数のフレームで表現され、例えば、一つのフレームは１０個のＴＴＩを含み、周期性は、システムフレーム番号(ＳＦＮ)に関して定義される。例えば、４０個のＴＴＩ又は４個のフレームのＴＤＤ ＵＬ‐ＤＬ構成に対する適応の周期性に対して、適応は、(有効タイミングが下記に追加的に説明されるように適用されない限り)フレーム０、フレーム４、フレーム８で発生できる。
【００６５】
第１の接近方式で、‘ＣｏｎｆｉｇｕｒｅＴＤＤＵＬ‐ＤＬーＡｄａｐｔ’は、次のようなパラメータのうち一つ以上を提供することによって、ＴＤＤ ＵＬ‐ＤＬ構成(ＴＤＤＵＬ‐ＤＬーＡｄａｐｔ）を調整するためのＵＥー共通又はＵＥーグループー共通ＤＬシグナリングの送信をＵＥに構成する。
【００６６】
ＴＤＤＵＬ‐ＤＬーＡｄａｐｔの連続的な送信間の複数のＴＴＩ又はフレームとして定義されるＴＤＤＵＬ‐ＤＬーＡｄａｐｔの周期性。
【００６７】
ＴＤＤ ＵＬ‐ＤＬ構成の一週期(ＴＴＩの数)内でＴＤＤＵＬ‐ＤＬーＡｄａｐｔ及び各ＴＴＩに対する複数の送信。例えば、ＴＤＤ ＵＬ‐ＤＬ構成が同一に維持される４０個のＴＴＩの周期内で、ＴＤＤＵＬ‐ＤＬーＡｄａｐｔは、(第３１のＴＴＩのように)１回、(第２１のＴＴＩ及び第３１のＴＴＩのように)２回送信できる。
【００６８】
ＣＳＳでＣＣＥの個数及び位置を含むＴＤＤＵＬ‐ＤＬーＡｄａｐｔ送信に対するリソース割り当て。例えば、ＴＤＤＵＬ‐ＤＬーＡｄａｐｔは、ＣＳＳの(インターリビング以前の論理ドメインで)最初の８個のＣＣＥを用いて送信できる。
【００６９】
ＤＣＩフォーマットのタイプは、ＴＤＤＵＬ‐ＤＬーＡｄａｐｔを送信するために使用される。例えば、ＤＣＩフォーマットは、ＤＣＩフォーマット１Ｃ、又はＤＣＩフォーマット３/３Ａ/０/１Ａと同一のサイズを有する。
【００７０】
適応したＴＤＤ ＵＬ‐ＤＬ構成の有効タイミング。
【００７１】
ＴＤＤ‐ＲＮＴＩは、ＴＤＤＵＬ‐ＤＬーＡｄａｐｔにより伝達される各ＤＣＩフォーマットのＣＲＣをスクランブリングするために使用される。
【００７２】
本発明を通じて、別途に明示的に言及されない限り、ＴＤＤＵＬ‐ＤＬーＡｄａｐｔを送信し、ＤＣＩフォーマット１Ｃ又はＤＣＩフォーマット３/３Ａ/０/１Ａのうちいずれか一つと同一のサイズを有するＤＣＩフォーマットは、各々簡潔性のためにＤＣＩフォーマット１Ｃ又はＤＣＩフォーマット３/３Ａ/０/１Ａと称される。これは、各々既存ＤＣＩフォーマット１Ｃ又は既存ＤＣＩフォーマット３/３Ａ/０/１Ａのうちいずれか一つでないことを理解しなければならない。
【００７３】
上記のようなパラメータの一部は、システム動作で定義でき、‘ＣｏｎｆｉｇｕｒｅＴＤＤＵＬ‐ＤＬーＡｄａｐｔ’情報エレメントに含まれる必要がない。例えば、ＤＣＩフォーマット１Ｃと同一のサイズでＴＤＤ‐ＲＮＴＩでスクランブリングされるＤＣＩフォーマットがＴＤＤＵＬ‐ＤＬーＡｄａｐｔを送信するためのデフォルト(default)選択であり得る。追加的又は選択的に、ＵＥは、ＤＣＩフォーマット１Ｃ又はＤＣＩフォーマット３/３Ａ/０/１Ａと同一のサイズを有するＤＣＩフォーマットをモニタリングするように構成され得る。追加的に又は選択的に、ＣＲＣが構成されたＴＤＤ‐ＲＮＴＩを用いてスクランブリングされると仮定する場合、ＵＥは、ＤＣＩフォーマット１Ｃ及びＤＣＩフォーマット３/３Ａ/０/１Ａと同一のサイズを有するＤＣＩフォーマット両方ともを適用可能なＴＴＩごとに復号化でき、成功的なＣＲＣチェックを有するＤＣＩを選択できる。適応したＴＤＤ ＵＬ‐ＤＬ構成の有効タイミングは、ＴＤＤ ＵＬ‐ＤＬ構成が同一の複数のＴＴＩ以後に第１のＴＴＩになるように予め定義される。追加的に又は選択的に、適応したＴＤＤ ＵＬ‐ＤＬ構成の有効タイミングは、ＴＤＤＵＬ‐ＤＬーＡｄａｐｔにより提供され、以後に説明されるようにＴＤＤ‐ＵＬＤＬーＡｄａｐｔの現在周期又はＴＤＤＵＬ‐ＤＬーＡｄａｐｔの次の週期で存在する。
【００７４】
ＴＤＤＵＬ‐ＤＬーＡｄａｐｔに対する送信の個数は、１又は１以上であり、ＵＥは、各適用可能なＴＴＩ(ＤＬ送信をサポートできるＴＴＩ)で各ＤＣＩフォーマットを復号化する。ＵＥがＴＤＤＵＬ‐ＤＬーＡｄａｐｔを復号化するためのＴＴＩを決定するいくつかの接近方式について、以下に説明する。任意の接近方式又はそれらの組み合わせは、ＴＤＤＵＬ‐ＤＬーＡｄａｐｔを復号化するためのＴＴＩを決定する場合のＵＥ動作又はＴＤＤＵＬ‐ＤＬーＡｄａｐｔを送信するためのＴＴＩを決定する場合のｅＮＢ動作を定義するためにシステム配置の際に使用できる。ＤＬ  ＴＴＩ及びＴＤＤＵＬ‐ＤＬーＡｄａｐｔが送信される特定ＴＴＩを一緒にＤＬ  ＴＴＩと称する。
【００７５】
第１の接近方式で、ＴＤＤＵＬ‐ＤＬーＡｄａｐｔに対する開始ＤＬ  ＴＴＩは、‘ＣｏｎｆｉｇｕｒｅＴＤＤＵＬ‐ＤＬーＡｄａｐｔ’情報エレメントからの追加的な構成なしにＴＤＤＵＬ‐ＤＬーＡｄａｐｔ送信の周期性から、ＴＤＤＵＬ‐ＤＬーＡｄａｐｔ送信の個数からＵＥにより黙示的に決定することができる。例えば、Ｐ個のフレームの周期性及びＮ個のＴＤＤＵＬ‐ＤＬーＡｄａｐｔ送信に対して、開始ＤＬ  ＴＴＩは、ＰーＮフレームで第１のＴＴＩとして決定することができる(ここで、Ｐ個のフレームは０，１，・・・，Ｐー１のようにインデックス化される)。一方、ＴＤＤＵＬ‐ＤＬーＡｄａｐｔ送信に対する開始ＴＴＩは定義されず、ＵＥは、ＤＬ送信をサポートできる任意のＴＴＩ(ＤＬ  ＴＴＩ又は特定ＴＴＩ)でＵＥー構成されたＴＤＤ‐ＲＮＴＩを用いてスクランブリングされるＣＲＣを使用して各ＤＣＩフォーマットの検出を試みることができる。
【００７６】
第１の接近方式の拡張として、ＴＤＤ ＵＬ‐ＤＬ構成の同一の適応のためのＴＤＤＵＬ‐ＤＬーＡｄａｐｔの２個の連続する送信間のＴＴＩの個数は、‘ＣｏｎｆｉｇｕｒｅＴＤＤＵＬ‐ＤＬーＡｄａｐｔ’でＵＥにシグナリングできる。ＴＴＩの個数は、Ｂで表す。個数Ｂは、０、５、又は１０であるか、あるいは５の倍数であり、シグナリングされ、あるいは明示され得る。Ｂ＝０である場合、複数のＴＤＤＵＬ‐ＤＬーＡｄａｐｔ送信が存在する場合、送信は、１個のＴＴＩにすべて存在できる。Ｂ＞０である場合、ＴＤＤＵＬ‐ＤＬーＡｄａｐｔ送信に対する開始ＴＴＩは、周期１０＊Ｐ？Ｂ＊Ｎ)＋Ｆ内でＴＴＩインデックスとして決定され、ＴＴＩは、１，２，・・・，１０＊Ｐのような周期内でインデックス化され、Ｆは(例えば)１又は２であり得る。一例として、ＴＤＤ ＵＬ‐ＤＬ構成が同一に維持される４０個のＴＴＩの周期内で、ＴＤＤＵＬ‐ＤＬーＡｄａｐｔは、第３１のＴＴＩ及び第３６のＴＴＩ(Ｐ＝４，Ｎ＝２，Ｂ＝５，Ｆ＝１)で２回送信でき、あるいは第２１のＴＴＩ及び第３１のＴＴＩ(Ｐ＝４、Ｎ＝２，Ｂ＝１０，Ｆ＝１)で２回送信できる。追加的な拡張として、ＴＤＤＵＬ‐ＤＬーＡｄａｐｔ送信に対する開始ＴＴＩは、周期(１０＊Ｐ？Ｂ＊Ｎ)＋ＦーＴ内でＴＴＩインデックスとして決定され、ここで、Ｔは適応周期の最後のＴＴＩに関するオフセットであり、あるいは５の倍数であり得る。Ｂ＝０である場合、Ｔは、５より少なくない個数であり得る。
【００７７】
第２の接近方式で、ＴＤＤＵＬ‐ＤＬーＡｄａｐｔ送信に対する開始ＤＬ  ＴＴＩ及び各反復の個数は、明示的に特定され得る。例えば、ＴＤＤ ＵＬ‐ＤＬ構成の適応の与えられた周期性に対して、開始ＤＬＴ  ＴＩは適応前にＴＤＤ ＵＬ‐ＤＬ構成の最後のフレームでの第１のＴＴＩであり得る。反復が存在する場合、反復は、最後のフレームの第２のＴＴＩ、第６のＴＴＩ、又は第７のＴＴＩに存在できる。したがって、４０個のＴＴＩの周期性に対して、ＴＤＤＵＬ‐ＤＬーＡｄａｐｔ送信に対する開始ＤＬ  ＴＴＩは、第４のフレームで第１のＴＴＩ(例えば、第３１のＴＴＩ)であり、反復が構成される場合、反復は、第３２のＴＴＩ、第３６のＴＴＩ、又は第３７のＴＴＩで発生する。例えば、開始ＤＬ  ＴＴＩは、適応以前のＴＤＤ ＵＬ‐ＤＬ構成の第１のＤＬ  ＴＴＩであり得る。適応前のＴＤＤ ＵＬ‐ＤＬ構成の最後のフレームでＴＤＤ‐ＵＬＤＬーＡｄａｐｔを送信する理由は、ｅＮＢが最後のフレーム前に適応したＴＤＤ ＵＬ‐ＤＬ構成を決定することが不可能であるためである。そうでない場合には、より短い適応周期が選択され得る。したがって、ＵＥによりＴＤＤＵＬ‐ＤＬーＡｄａｐｔを復号化する不要な試しが防止され、それによって偽って(falsely)ポジティブするようになるＣＲＣテストによってＴＤＤＵＬ‐ＤＬーＡｄａｐｔを伝達する場合、ＤＣＩフォーマットを不正確に決定する確率を減少させることができる。
【００７８】
第３の接近方式で、ＴＤＤＵＬ‐ＤＬーＡｄａｐｔ送信のすべてのＴＴＩは、‘ＣｏｎｆｉｇｕｒｅＴＤＤＵＬ‐ＤＬーＡｄａｐｔ’により明示的にシグナリングできる。例えば、既存ＴＤＤ ＵＬ‐ＤＬ構成でＤＬ方向を有すると指示されるＴＴＩのみ(ＤＬ  ＴＴＩ又は特定ＴＴＩ)が、以下に説明されるように考慮される。また、すべてのＴＤＤ ＵＬ‐ＤＬ構成に共通である上記のような最大４個のＴＴＩ(ＴＤＤ ＵＬ‐ＤＬ構成０が含まれる場合、＜表１＞のように第１/第２/第６/第７のＤＬ  ＴＴＩ)又はすべてのＴＤＤ ＵＬ‐ＤＬ構成に共通である上記のような最大５個のＴＴＩ(ＴＤＤ ＵＬ‐ＤＬ構成０を除外したＴＴＩ)が存在することを考慮する。Ｐ個のフレームの周期性に対して、１０Ｐ/４又は１０Ｐ/５個のビットのビットマップの各々は、ＤＬ  ＴＴＩを指示でき、ここでＴＤＤＵＬ‐ＤＬーＡｄａｐｔは、Ｐ個のフレームの各周期で送信される。
【００７９】
第４の接近方式で、同一のＴＤＤＵＬ‐ＤＬーＡｄａｐｔが一回以上同一のＴＴＩで送信される。例えば、最初に８個のＣＣＥは第１の送信でＵＥーＣＳＳで使用され、２番目に８個のＣＣＥは同一のＵＥーＣＳＳで第２の送信で使用できる。ＴＴＩは、以前の３個の接近方式のうちいずれか一つのように決定することができる。
【００８０】
第５の接近方式で、同一のＴＤＤＵＬ‐ＤＬーＡｄａｐｔが既存ＴＤＤ ＵＬ‐ＤＬ構成の任意のＤＬ  ＴＴＩで送信できる。ＴＤＤＵＬ‐ＤＬーＡｄａｐｔを検出するＵＥは、ＴＤＤ ＵＬ‐ＤＬ構成の適応に対する構成された周期性により決定されるように、各シグナリングされたＴＤＤ ＵＬ‐ＤＬ構成が適用されると仮定する。既存ＴＤＤ ＵＬ‐ＤＬ構成の任意のＤＬ  ＴＴＩ(特定ＴＴＩを包含)でＴＤＤＵＬ‐ＤＬーＡｄａｐｔを送信する理由は、ｅＮＢにＴＤＤ‐ＵＬＤＬーＡｄａｐｔを送信するためのＴＴＩを選択する場合に最大フレキシビリティを提供するためである。
【００８１】
ＤＬ  ＣＡで構成されるＵＥ、周波数分割デュプレクシング(ＦＤＤ）を使用するＰＣｅｌｌ、及びＵＥが適応したＴＤＤ ＵＬ‐ＤＬ構成を使用する動作に対して構成されるＴＤＤ  ＳＣｅｌｌに対して、ＴＤＤＵＬ‐ＤＬーＡｄａｐｔの送信は、ＦＤＤ  ＰＣｅｌｌに存在し、ＴＤＤＵＬ‐ＤＬーＡｄａｐｔの送信は、ＴＤＤ  ＳＣｅｌｌで既存ＴＤＤ ＵＬ‐ＤＬ構成により決定されるＴＴＩ又はＦＤＤ  ＰＣｅｌｌのＴＴＩごとに存在する。前者の接近方式(ＴＤＤ  ＳＣｅｌｌで既存ＴＤＤ ＵＬ‐ＤＬ構成により決定されるＴＴＩ）は、ＵＥにＴＤＤＵＬ‐ＤＬーＡｄａｐｔを受信するためのＴＴＩを指示するためにビットマップサイズのような同一のＲＲＣシグナリングを参照する。後者の接近方式(ＦＤＤＰＣｅｌｌの毎ＴＴＩ）は、ｅＮＢがＴＤＤ‐ＵＬＤＬーＡｄａｐｔを送信するためのＴＴＩを選択するために増加するフレキシビリティを提供するが、原則的にはより多くのＴＴＩが指示される必要がある場合、前者の接近方式に対するビットマップサイズより大きいビットマップサイズを必要とする。例えば、(ＴＤＤ ＵＬ‐ＤＬ構成５が既存ＴＤＤ ＵＬ‐ＤＬ構成で使用されないと仮定する場合、フレームで最大８個のＤＬ  ＴＴＩまで指示するために)８個のビットのビットマップサイズは、前者の接近方式と共に使用され、これに対して１０個のビットのビットマップサイズが後者の接近方式と共に使用され得る。
【００８２】
ＤＬ  ＣＡで構成されるＵＥ、ＴＤＤ  ＰＣｅｌｌ、及びＵＥが適応したＴＤＤ ＵＬ‐ＤＬ構成を使用する動作に対して構成されるＴＤＤ  ＳＣｅｌｌに対して、ＵＬＤＬーＡｄａｐｔの送信は、ＴＤＤ  ＰＣｅｌｌで存在し、ＴＤＤ  ＰＣｅｌｌで既存ＴＤＤ ＵＬ‐ＤＬ構成により決定されるＴＴＩに存在する。
【００８３】
適応したＴＤＤ ＵＬ‐ＤＬ構成の有効タイミングは、以後にＴＤＤ  ＤＬーＵＬ構成の適応が有効になるＴＴＩの追加的な個数を指示する値を有するタイマーにより適応できる。このような意味で、適応したＴＤＤ ＵＬ‐ＤＬ構成に対する有効タイミングは、ＴＤＤ ＵＬ‐ＤＬ構成に対する適応の上位階層構成の周期性に関連したオフセットである。また、有効タイミングは、ＵＥがＴＤＤＵＬ‐ＤＬーＡｄａｐｔを検出するＤＬＴＴＩに基づいて黙示的に決定することができる。例えば、ＤＬ  ＴＴＩがＰ個のフレームの周期で第１のＤＬ  ＴＴＩである場合、ＴＤＤＵＬ‐ＤＬーＡｄａｐｔは、Ｐ個のフレームの同一の周期に対して適用可能であり、ＤＬ  ＴＴＩがＰ個のフレームの周期で第１のＤＬ  ＴＴＩでない場合、Ｐ個のフレームの次の週期に対して適用可能である。
【００８４】
ＵＥが情報エレメント‘ＣｏｎｆｉｇｕｒｅＴＤＤＵＬ‐ＤＬーＡｄａｐｔ’に対する上位階層シグナリングを受信した後、ＵＥは、ＴＤＤＵＬ‐ＤＬーＡｄａｐｔを復号化することができる。ＴＤＤＵＬ‐ＤＬーＡｄａｐｔの複数個の送信がＴＤＤ ＵＬ‐ＤＬ構成の調整周期内に存在し、ＴＤＤＵＬ‐ＤＬーＡｄａｐｔの第１の検出が失敗した場合、ＴＤＤＵＬ‐ＤＬーＡｄａｐｔの複数個の送信が‘ＣｏｎｆｉｇｕｒｅＴＤＤ‐ＵＬＤＬーＡｄａｐｔ’から決定されるようにＵＥに対して既に知られているリソースで送信される場合、ＵＥは、すべての各受信されたＴＤＤＵＬ‐ＤＬーＡｄａｐｔのうちソフトコンバイニング(soft  combining）を遂行することができる(ＵＥは、各ＴＤＤＵＬ‐ＤＬーＡｄａｐｔに対して同一のコンテンツを仮定する)。例えば、‘ＣｏｎｆｉｇｕｒｅＴＤＤＵＬ‐ＤＬーＡｄａｐｔ’は、ＵＥにＴＤＤ ＵＬ‐ＤＬ構成に対する４０個のＴＴＩの周期性を通知でき、ＴＤＤＵＬ‐ＤＬーＡｄａｐｔの初期送信に対して４０個のＴＴＩで第２１のＴＴＩを通知でき、ＴＤＤＵＬ‐ＤＬーＡｄａｐｔに対して１０ｍｓｅｃ送信周期性を通知できる。上記のような各ＴＤＤＵＬ‐ＤＬーＡｄａｐｔ送信に対して所定のＣＣＥの使用を仮定する場合、第２１のＴＴＩでＴＤＤＵＬ‐ＤＬーＡｄａｐｔを検出しないＵＥは、他の検出を試みる以前に第３１のＴＴＩで同一のＴＤＤＵＬ‐ＤＬーＡｄａｐｔとＴＤＤＵＬ‐ＤＬーＡｄａｐｔのソフトコンバイニングを遂行することができる。これとは異なり、ＵＥがＴＤＤ ＵＬ‐ＤＬ構成の同一の適応周期で複数個のＴＤＤＵＬ‐ＤＬーＡｄａｐｔを検出する場合、ＵＥは、(複数個のＴＤＤ‐ＵＬ‐ＤＬーＡｄａｐｔの各コンテンツが異なる場合)最後のＴＤＤＵＬ‐ＤＬーＡｄａｐｔのみが有効であると考えられる。
【００８５】
＜表３＞は、‘ＣｏｎｆｉｇｕｒｅＴＤＤＵＬ‐ＤＬーＡｄａｐｔ’情報エレメントに含まれるパラメータの集合をリスト化する。
【００８６】
【表３】
2019134479.tif 000005
【００８７】
以前に説明したように、‘ＣｏｎｆｉｇｕｒｅＴＤＤＵＬ‐ＤＬーＡｄａｐｔ’情報エレメントが(ＴＤＤ ＵＬ‐ＤＬ構成に対する適応の周期性と等しい)“Ｐｅｒｉｏｄｉｃｉｔｙ  ｏｆ  ＴＤＤＵＬ‐ＤＬーＡｄａｐｔ”パラメータのように、＜表３＞でのパラメータのサブセットのみを含めることが可能である。例えば、ＵＥは各ＤＣＩフォーマットがＤＣＩフォーマット１Ｃ又はＤＣＩフォーマット０/１Ａ/３/３Ａのサイズを有することができ、ＣＳＳで送信されると仮定する場合、適応周期でＤＬ送信をサポートするＴＴＩごとにＴＤＤＵＬ‐ＤＬーＡｄａｐｔを復号化できる。ＵＥは、ＤＣＩフォーマットが検出されるＤＬ  ＴＴＩに基づいて新たなＴＤＤ ＵＬ‐ＤＬ構成に対する有効タイミングを決定できる。
【００８８】
図６乃至図８は、本発明によるＴＤＤ‐ＵＬＤＬーＡｄａｐｔ及び適応したＴＤＤ ＵＬ‐ＤＬ構成に対する有効タイミングを送信するための構成の一例を示す。図６乃至図８に示す構成は、単に説明のためのものである。他の構成は、本発明の範囲から逸脱することなく使用することができる。
【００８９】
図６に示すように、ＴＤＤ ＵＬ‐ＤＬ構成の周期性は、４０個のＴＴＩである。ｅＮＢは、６０１に指示されるように、４０個のＴＴＩの周期で第３１のＴＴＩで一回のＴＤＤＵＬ‐ＤＬーＡｄａｐｔを送信する。適応したＴＤＤ ＵＬ‐ＤＬ構成は、６０２に指示されるように４０個のＴＴＩ以後に直ちに有効になる。
【００９０】
図７に示すように、ＴＤＤ ＵＬ‐ＤＬ構成の周期性は４０個のＴＴＩである。ｅＮＢは、７０１ー７０４に指示されるように、４０個のＴＴＩの周期で４回のＴＤＤＵＬ‐ＤＬーＡｄａｐｔを送信する。適応したＴＤＤ ＵＬ‐ＤＬ構成は、７０５で指示されるように４０個のＴＴＩの次の有効な１０個のＴＴＩである。ＴＤＤＵＬ‐ＤＬーＡｄａｐｔがＴＤＤ ＵＬ‐ＤＬ構成周期の第１の送信で検出される場合、ＴＤＤＵＬ‐ＤＬーＡｄａｐｔは、同一の周期に適用可能であり、ＴＤＤＵＬ‐ＤＬーＡｄａｐｔがＴＤＤ ＵＬ‐ＤＬ構成周期の第１の送信で検出されない場合、ＴＤＤＵＬ‐ＤＬーＡｄａｐｔは次の週期に適用可能である。
【００９１】
図８に示すように、ＴＤＤ ＵＬ‐ＤＬ構成の周期性は、４０個のＴＴＩである。ｅＮＢは、８０１ー８０２で指示されるように、４０個のＴＴＩの周期で第２１のＴＴＩ及び第３１のＴＴＩで各々２回のＴＤＤＵＬ‐ＤＬーＡｄａｐｔを送信する。適応したＴＤＤ ＵＬ‐ＤＬ構成は、８０３で指示されるように４０個のＴＴＩの次の有効な１０個のＴＴＩである。
【００９２】
図６乃至図８がＴＤＤＵＬ‐ＤＬーＡｄａｐｔを送信するための構成の一例を示すが、多様な変更が図６乃至図８でなされることができる。例えば、ＴＤＤＵＬ‐ＤＬーＡｄａｐｔの送信は、一部各フレームの第１のＴＴＩのみに示すが、(特定ＴＴＩを含む)追加的なＤＬ  ＴＴＩに存在することができる。図７及び図８に、ＴＤＤＵＬ‐ＤＬーＡｄａｐｔの送信は、１０個のＴＴＩのみが離れているように示す。しかしながら、ＴＤＤＵＬ‐ＤＬーＡｄａｐｔの送信は、ＴＤＤ ＵＬ‐ＤＬ構成の適応に対する周期性を定義する複数のフレームで最後のフレームの第１のＴＴＩ、第２のＴＴＩ、第６のＴＴＩ、又は第７のＴＴＩのような特定フレームの特定ＴＴＩに存在できる。これとは異なり、ＴＤＤＵＬ‐ＤＬーＡｄａｐｔの送信は、フレームの同一のＤＬ  ＴＴＩに存在でき、あるいはＴＤＤＵＬ‐ＤＬーＡｄａｐｔの送信は、既存ＴＤＤ ＵＬ‐ＤＬ構成の任意のＤＬ  ＴＴＩに存在できる。
【００９３】
図９は、本発明によるＵＥがＴＤＤ‐ＵＰＤＬ‐Ａｄａｐｔを獲得する方法９００の一例を示す。図９に示す方法９００の実施形態は、単に説明のみのためのものである。方法９００の他の実施形態は、本発明の範囲から逸脱することなく使用することができる。
【００９４】
図９を参照すると、ステップ９０１で、ＵＥは、情報エレメント‘ＣｏｎｆｉｇｕｒｅＴＤＤＵＬ‐ＤＬーＡｄａｐｔ’の上位階層シグナリングを受信する。ステップ９０３で、ＵＥは、受信された上位階層シグナリングに基づいてＴＤＤＵＬ‐ＤＬーＡｄａｐｔの送信をモニタリングするためのタイミング(ＴＴＩ)及びリソース(ＣＣＥ）を決定する。例えば、ＣｏｎｆｉｇｕｒｅＴＤＤＵＬ‐ＤＬーＡｄａｐｔは、ＴＤＤＵＬ‐ＤＬーＡｄａｐｔ送信が４個のフレームごとに発生することを指示し、ＴＤＤＵＬ‐ＤＬーＡｄａｐｔがＵＥに送信される既存構成(以前の接近方式のうち第１、第２、及び第５の方式の組み合わせ）の(ＤＬ送信をサポートする）ＴＴＩを指示する。ステップ９０５で、ＵＥは、決定されたタイミング及びリソースでＴＤＤＵＬ‐ＤＬーＡｄａｐｔの送信を受信する。例えば、決定されたリソースは、ＣＳＳに存在できる。他の例において、決定されたリソースは、各ＴＴＩに基づき、ＵＥー特定リソースである。
【００９５】
ＵＥは、上位階層シグナリングによりＵＥー特定方式でＴＤＤ ＵＬ‐ＤＬ構成の適応によって活性化され、あるいは非活性化される。例えば、送信又は受信するデータを持っていないＵＥは、ＴＤＤ ＵＬ‐ＤＬ構成の適応により非活性化され、“スリープ(sleep)”モード(又はＤＲＸとも称されること)に進入できる。これは、例えば、ＵＥがＲＲＣ_ＩＤＬＥモードに存在し、あるいはＲＲＣ_ＣＯＮＮＥＣＴＥＤモードでＤＲＸに存在する場合である。ＵＥがｅＮＢと通信を成立する場合、ｅＮＢは、例えば、ＵＥに対するデータトラフィック要求に基づいて適応したＴＤＤ ＵＬ‐ＤＬ構成を使用する動作に対してＵＥを構成するか否かを判定する。ｅＮＢが適応したＴＤＤ ＵＬ‐ＤＬ構成を使用する動作に対してＵＥを構成する場合、ｅＮＢは、上記したように関連するパラメータ(すなわち、ＴＤＤ‐ＲＮＴＩ、ＴＤＤ ＵＬ‐ＤＬ構成の適応に対する周期性）を構成でき、ＣｏｎｆｉｇｕｒｅＴＤＤＵＬ‐ＤＬーＡｄａｐｔのような構成は、適応したＴＤＤ ＵＬ‐ＤＬ構成を使用する動作に対する活性化時に黙示的に動作できる。
【００９６】
ｅＮＢがＴＤＤ ＵＬ‐ＤＬ構成の適応を適用するか否かを示す他の動作は、システム情報を伝達するブロードキャストチャンネルで(１ビットインジケータを用いて)各指示を送信するものである。例えば、ブロードキャストチャンネルは、ｅＮＢに対する同期化後にＵＥが検出する基本ブロードキャストチャンネル、あるいはｅＮＢと持続して通信するためにＵＥが使用する通信パラメータに関連されるＳＩＢを提供するチャンネルであり得る。一部実施形態では、ＴＤＤ ＵＬ‐ＤＬ構成の適応をサポートすることが可能なＵＥのみが指示(１ビットのインジケータ)を識別できることに留意しなければならない。
【００９７】
呼び出し信号は、ＴＤＤ ＵＬ‐ＤＬ構成の適応が存在することを指示するためにＵＥに送信できる。上記のような呼び出し信号を受信するＵＥは、ＴＤＤＵＬ‐ＤＬーＡｄａｐｔを提供するＤＣＩフォーマットを伝達するＰＤＣＣＨをモニタリングし始めることができる。
【００９８】
ＵＥが適応したＴＤＤ ＵＬ‐ＤＬ構成を使用する動作で非活性化され、“スリープ”モードに存在する場合、ＵＥは、既存ＴＤＤ ＵＬ‐ＤＬ構成を使用することができる。適応したＴＤＤ ＵＬ‐ＤＬ構成を使用して動作するＵＥがＵＥー共通情報の受信に関して既存ＴＤＤ ＵＬ‐ＤＬ構成によってＴＴＩ＃６を考慮しない場合、ｅＮＢは、＜表１＞でＴＴＩ＃６が既存ＴＤＤ ＵＬ‐ＤＬ構成では特定ＴＴＩであるが、適応したＴＤＤ ＵＬ‐ＤＬ構成では一般ＤＬ  ＴＴＩの場合に、適応したＴＤＤ ＵＬ‐ＤＬ構成を使用する動作に対して構成されないＵＥがＴＴＩ＃６が特定ＴＴＩであると仮定するためにＴＴＩ＃６で((呼び出しのための)ＰーＲＮＴＩのような)ブロードキャストー関連動作、(システム情報に対する)ＳＩーＲＮＴＩ、あるいは(ランダムアクセスに対する)ＲＡーＲＮＴＩを送信できない。ｅＮＢが適応的ＴＤＤ ＵＬ‐ＤＬ構成を適用することを知っている場合、ＵＥは、ＴＴＩ＃６が既存ＴＤＤ ＵＬ‐ＤＬ構成で特定ＴＴＩである場合、ＴＴＩ＃６で(ＰーＲＮＴＩ、ＳＩーＲＮＴＩ、及びＲＡーＲＮＴＩを有するＰＤＣＣＨのような)ブロードキャストー関連情報をモニタリングする必要がないことがある。
【００９９】
＜ＤＣＩフォーマット検出及びＴＤＤ ＵＬ‐ＤＬ構成を適応させるためのパラメータ＞
【０１００】
この実施形態において、(ＴＤＤＵＬ‐ＤＬーＡｄａｐｔと称されるＰＤＣＣＨにより伝達される)ＴＤＤ ＵＬ‐ＤＬ構成を適応するためのブロック情報エレメントを提供するためのＵＥー共通ＤＣＩフォーマットは、一例としてＤＣＩフォーマット１Ｃ又はＤＣＩフォーマット０/１Ａ/３/３Ａであり得る。ＤＣＩフォーマットに含まれているＣＲＣフィールドは、ＵＥにＤＣＩフォーマットがＴＤＤ ＵＬ‐ＤＬ構成の適応を提供することを指示するために使用され、各々既存機能を意図しない新たなＲＮＴＩタイプであるＴＤＤ‐ＲＮＴＩでスクランブリングできる。ＴＤＤ‐ＲＮＴＩの使用は、(適応したＴＤＤ ＵＬ‐ＤＬ構成を使用して動作することが不可能なＵＥがＴＤＤ‐ＲＮＴＩを使用してＤＣＩフォーマットのＣＲＣフィールドをデスクランブリングせず、それによってＤＣＩフォーマットを検出できないと仮定する場合)適応したＴＤＤ ＵＬ‐ＤＬ構成を使用して動作することが不可能なＵＥがＤＣＩフォーマットを検出することを防止できる。
【０１０１】
ＴＤＤ ＵＬ‐ＤＬ構成を適応させるＤＣＩフォーマットで情報フィールドは、次の中で少なくとも一つを含むことができる。
【０１０２】
適応したＴＤＤ ＵＬ‐ＤＬ構成に対するインジケータ
【０１０３】
ＳＲＳ構成
【０１０４】
電力制御に対するＰ0_PUSCH、α(０)、あるいはδPUSCHの構成：
【０１０５】
(ＤＬフレキシブルＴＴＩでのＺＰ  ＣＳＩーＲＳリソース構成のように)ＣＳＩーＲＳ構成
【０１０６】
(ＵＥがＰーＣＳＩ又はＡーＣＳＩの第１のタイプ又はＰーＣＳＩ又はＡーＣＳＩの第２のタイプを演算するために使用できるＤＬフレキシブルＴＴＩを指示するビットマップを含むフィールドのように)ＵＥにより周期的ＣＳＩ(ＰーＣＳＩ)又は非周期的ＣＳＩ(ＡーＣＳＩ)演算のためのＤＬフレキシブルＴＴＩ
【０１０７】
(ＵＥが第１のＵＬ  ＰＣプロセス又は第２のＵＬ  ＰＣプロセスを用いて送信できるＵＬフレキシブルＴＴＩを指示するビットマップを含むフィールドのような)ＵＬ電力制御のためのＵＬフレキシブルＴＴＩ
【０１０８】
(ＤＬフレキシブルＴＴＩがマルチキャストーブロードキャスト単一周波数ネットワーク(ＭＢＳＦＮ)ＴＴＩのようにＵＥに構成されない場合に、ＣＲＳがＤＬフレキシブルＴＴＩで送信される場合、ＤＬ固定ＴＴＩに関連したＤＬフレキシブルＴＴＩでのＣＲＳ送信電力オフセットのように)ＤＬフレキシブルＴＴＩでのＣＲＳ電力オフセット、及び
【０１０９】
適応したＴＤＤ ＵＬ‐ＤＬ構成の有効タイミング。
【０１１０】
＜表４＞は、上記した情報フィールドの各々に対する複数のビットに対する表示例の値をリスト化する。
【０１１１】
【表４】
2019134479.tif 000006
【０１１２】
ＵＬ‐ＤＬ  ＴＤＤ構成に対して、上記のような７個の構成が存在しても、特定制限は、以前に説明したように一つのＴＤＤ ＵＬ‐ＤＬ構成から他のＴＤＤ ＵＬ‐ＤＬ構成への適応をサポートできる。また、適応したＴＤＤ ＵＬ‐ＤＬ構成を指示するための有用なビットの個数は３から２(与えられたＴＤＤ ＵＬ‐ＤＬ構成の適応は、４個のＴＤＤ ＵＬ‐ＤＬ構成のみに対して存在し、あるいは構成０及び構成６のような一部ＴＤＤ ＵＬ‐ＤＬ構成は適応のために使用できず)あるいは１に減少できる。ＳＲＳ  ＢＷ構成及びＳＲＳ送信ＴＴＩを含むＳＲＳ構成に対して、可能な値の集合のサブセットは、２個のビットで指示されるＳＲＳ  ＢＷ構成の全体個数として指示され、ＳＲＳ送信ＴＴＩ組み合わせに対する全体個数も２個のビットで指示される。
【０１１３】
Ｐ0_PUSCHに対して、４個の値が(一部ＵＬフレキシブルＴＴＩで少なくとも使用するための)上位階層シグナリングによりＵＥに予め構成され、１個の値がＴＤＤ ＵＬ‐ＤＬ構成の適応のためにＤＣＩフォーマットで各フィールドにより指示され得る。αに対して、可能な値のサブセットは、(一部ＵＬフレキシブルＴＴＩで少なくとも使用するための)上位階層シグナリングによってＵＥに予め構成され、１個の値がＴＤＤ ＵＬ‐ＤＬ構成の適応のためにＤＣＩフォーマットで各フィールドにより指示され得る。δPUSCHに対して、第１の集合の値({ー１，０，１，３}ｄＢ)にマッピングされ、あるいは第２の集合の値({ー５，ー２，２，５}ｄＢ)にマッピングされるＰＵＳＣＨをスケジューリングするＤＣＩフォーマットで、２個のビットのＴＰＣフィールドを考慮しなければならないか否かに対する指示が存在する。
【０１１４】
ＤＬフレキシブルＴＴＩでのＺＰ  ＣＳＩーＲＳ構成に対して、可能な４個の構成のうち一つが２個のビットを使用して指示できる。また、ＵＥは、ＰーＣＳＩ又はＡーＣＳＩの２つのタイプ、すなわち干渉が主にＤＬ送信から存在する(ＤＬードミナント)ＤＬ  ＴＴＩに対する第１のタイプ及び干渉が主にＵＬ送信から存在する(ＵＬードミナント)ＤＬ  ＴＴＩに対する第２のタイプを決定できる。第１のＰーＣＳＩ又はＡーＣＳＩタイプに対するＤＬ  ＴＴＩは、すべてのＤＬ固定ＴＴＩ及び一部ＤＬフレキシブルＴＴＩを含み、これに対して第２のＰーＣＳＩ又はＡーＣＳＩタイプに対するＤＬ  ＴＴＩは残りのＤＬフレキシブルＴＴＩを含む。例えば、以下に具体的に説明するように、ＤＬフレキシブルＴＴＩに対してビットマップに対する各値が０である場合、ＵＥは、第１のＣＳＩタイプを決定するためにＤＬフレキシブルＴＴＩを考慮し、ビットマップに対する各値が０でない場合、ＵＥは、第２のＣＳＩタイプを決定するためにＤＬフレキシブルＴＴＩを考慮する。ＴＴＩ＃０、ＴＴＩ＃１、及びＴＴＩ＃５が(ＴＴＩ＃１に対する固定した特定ＴＴＩを含む)ＤＬ固定ＴＴＩであり、ＴＴＩ＃２がＵＬ固定ＴＴＩであると仮定する。また、ＴＴＩ＃６が特定ＴＴＩ又はＤＬ  ＴＴＩである場合、干渉は、少なくともＰＤＣＣＨ送信の目的のためのＤＬ送信から主に存在すると仮定する。
【０１１５】
(ＵＥが第１のＵＬ電力制御(ＰＣ)プロセス又は第２のＵＬ  ＰＣプロセスを使用して送信する)ＵＬフレキシブルＴＴＩは、第１のＰーＣＳＩ又はＡーＣＳＩタイプあるいは第２のＰーＣＳＩ又はＡーＣＳＩタイプの演算のためにＤＬフレキシブルＴＴＩに類似するようにビットマップを用いて指示できる。
【０１１６】
最後に、ＣＲＳがＤＬフレキシブルＴＴＩで送信される場合、ＣＲＳの送信電力は、ＤＬ固定ＴＴＩでの送信電力と異なり、ＣＲＳの送信電力は、ＴＤＤＵＬ‐ＤＬーＡｄａｐｔにより伝達されるＤＣＩフォーマットでの“ＣＲＳ  ｐｏｗｅｒ  ｏｆｆｓｅｔ”フィールドを使用してＵＥにシグナリングされる。＜表４＞で各フィールドの機能について、下記のように具体的に説明する。
【０１１７】
＜表４＞で、ＴＤＤ ＵＬ‐ＤＬ構成を適応させるＤＣＩフォーマットで情報フィールドは、＜表５＞のように簡略化でき、各サイズ(ビットで)は１個の例示だけである。例えば、ＵＬフレキシブルＴＴＩでＵＥに対するＳＲＳ構成は、一例として送信帯域幅を除外したすべての送信パラメータが同一であり、(適合した場合)送信帯域幅がＵＬフレキシブルＴＴＩでＰＵＣＣＨ送信の不在を考慮するために増加するＵＬ固定ＴＴＩでいずれか一つから導出できる。他の例として、各ＤＬフレキシブルＴＴＩで、ＺＰ  ＣＳＩーＲＳ構成は、上記情報エレメント‘ＣｏｎｆｉｇｕｒｅＴＤＤＵＬ‐ＤＬーＡｄａｐｔ’に含まれることができる。
【０１１８】
例えば、以下に説明するように、同一のビットマップがＣＳＩを演算するためのＤＬフレキシブルＤＬ  ＴＴＩ及び２個のＵＬ  ＰＣプロセスのうちいずれか一つを適用するためのＵＬフレキシブルＴＴＩの両方ともを指示できる。復調のためのチャンネル推定が各ＤＬフレキシブルＴＴＩ内でのみ獲得される場合(あるいはＤＬフレキシブルＴＴＩでのＣＲＳ送信電力がＤＬ固定ＴＴＩでのＣＲＳ送信電力と同一である場合)にＣＲＳ電力オフセットは、ＵＥに通知される必要がないことに留意しなければならない。一方、情報フィールド‘ＤＬ  Ｆｌｅｘｉｂｌｅ  ＴＴＩｓ  ｆｏｒ  ＰーＣＳＩ  ｏｒ  ＡーＣＳＩ’、‘ＵＬ  Ｆｌｅｘｉｂｌｅ  ＴＴＩs  for  ＵＬｐｏｗｅｒ  ｃｏｎｔｒｏｌ’、及び‘ＤＬ  Ｆｉｅｘｉｂｌｅ  ＴＴＩｓ  ｆｏｒ  ＰーＣＳＩ  ｏｒ  ＡーＣＳＩ  ａｎｄ  ＵＬ  Ｆｌｅｘｉｂｌｅ  ＴＴＩＳ  ｆｏｒ  ＵＬ  ＰＣ’は、上位階層シグナリングのような他のシグナリングにより提供され得る。
【０１１９】
【表５】
2019134479.tif 000007
【０１２０】
ＤＣＩフォーマット１Ｃは、ＵＥにより復号化される最小サイズを有するＤＣＩフォーマットである。ＤＣＩフォーマット１Ｃは、最も大きいＣＣＥアグリゲーションレベル(４個又は８個のＣＣＥ)のうちいずれか一つを用いてＣＳＳで送信し、それによって最も高い検出信頼性を有することができる。したがって、ＤＣＩフォーマット１Ｃは、ＴＤＤ ＵＬ‐ＤＬ構成の適応の伝達に非常に適合し、適応したＴＤＤ ＵＬ‐ＤＬ構成を指示するための３個のビットだけでなく、＜表４＞又は＜表４Ａ＞からの他の情報フィールドを含むことができる。残りのビットは、偽のＣＲＣ確認による適合しないＤＣＩフォーマットの可能性を減少させるためにＵＥにより使用できる‘０’のような所定値に設定される。同一の機能がＤＣＩフォーマット０/１Ａ/３/３Ａと同一のサイズを有するＤＣＩフォーマットがＴＤＤ ＵＬ‐ＤＬ構成の適応を伝達するために使用される場合に適用される。ＤＣＩフォーマット０/１Ａ/３/３Ａは、ＤＣＩフォーマット１Ｃより大きいサイズを有し、それによってＴＤＤ ＵＬ‐ＤＬ構成の適応に関連するより多くの情報を伝達できるが、コスト側面では一部減少した信頼性を有する。ＤＣＩフォーマット０/１Ａは、ＤＣＩフォーマット３/３Ａと同一のサイズを有し、ＣＳＳで又はＵＥーＤＳＳで送信され得る。
【０１２１】
図１０は、本発明によるＵＥがＴＤＤ ＵＬ‐ＤＬ構成の適応を提供するＤＣＩフォーマットを検出する方法１０００の一例を示す。図１０に示す方法１０００の実施形態は、単に説明のためのものである。方法１０００の他の実施形態は、本発明の範囲から逸脱することなく使用することができる。
【０１２２】
図１０を参照すると、ステップ１０１０で、受信された制御信号１００５は、復調され、その結果ビットはデインターリビングされる。ｅＮＢ送信器で適用されるレートマッチングは、ステップ１０１５を通じて復元され、データは(図６乃至図８に関して以前に説明したように)同一の情報を伝達する制御信号の以前の受信のソフト値を使用してステップ１０２０でコンバイニングされた後にステップ１０２５で復号化される。復号化後に、ＤＣＩフォーマット情報ビット１０３５及びＣＲＣビット１０４０は、ステップ１０３０で分離され、ＣＲＣビットは、ＴＤＤ‐ＲＮＴＩマスク１０５０を使用してＸＯＲ動作を適用することによってステップ１０４５でデマスキングされる。
【０１２３】
ＵＥは、ステップ１０５５で、ＣＲＣテストを遂行する。ステップ１０６０で、ＵＥは、ＣＲＣテストが通過されるか否かを判定する。ＣＲＣテストが通過されない場合、ステップ１０６５で、ＵＥは、推定されたＤＣＩフォーマットを無視する。その後に、ＵＥは、ステップ１０７０で、既存ＵＥとして動作できる。ＣＲＣテストが通過される場合、ステップ１０７５で、ＵＥは、推定されたＤＣＩフォーマットが有効であるか否かを判定する。例えば、ＤＣＩフォーマットでビットのうち一部が‘０’に予め定義されているが、推定されたＤＣＩフォーマットでこれらビットのうち一部が‘０’でない場合、ＵＥは、推定されたＤＣＩフォーマットが有効でないと判定する。すべてのビットが‘０’である場合(あるいは所定値と同一である場合)、ＵＥは、推定されたＤＣＩフォーマットが有効であると判定する。ＵＥが推定されたＤＣＩフォーマットが有効であると判定する場合、ステップ１０８０で、ＵＥは、適応したＴＤＤ ＵＬ‐ＤＬ構成だけでなく、ＳＲＳ  ＢＷ構成及びＳＲＣ送信ＴＴＩ、{Ｐ0_PUSCH，α}構成、フレキシブルＴＴＩでのＣＳＩーＲＳプロセスの構成のようなＳＲＳ構成パラメータを含む適応したＴＤＤ ＵＬ‐ＤＬ構成に対するパラメータを決定できる。ＵＥは、ステップ１０８５で適応したＴＤＤ ＵＬ‐ＤＬ構成が有効である場合、適応したＴＤＤ ＵＬ‐ＤＬ構成を使用して動作できる。
【０１２４】
ＵＥが受信された制御信号１００５に対応する推定されたＤＣＩフォーマットが有効でないと判定する場合、ＵＥは、ステップ１０６５で、推定されたＤＣＩフォーマットを無視する。ＵＥは、ステップ１０７０で、既存ＴＤＤ ＵＬ‐ＤＬ構成を使用して既存ＵＥとして動作し、あるいは以下に説明される図１１でのステップ１１４０のような手順に従う。ＵＥがＴＤＤ‐ＵＬＤＬーＡｄａｐｔ検出に関するＨＡＲＱーＡＣＫ情報(ＤＴＸ又はＡＣＫ)を送信するＰＵＣＣＨリソースで構成される場合、ＵＥは、ＤＣＩフォーマット検出に失敗したことに関するｅＮＢにフィードバックできる。これは、ＣＲＣテスト１０６０が失敗し、あるいは推定されたＤＣＩフォーマットテスト１０７５が失敗した場合に発生する。ＨＡＲＱーＡＣＫフィードバックは、ステップ１０７０又はステップ１１４０間にｅＮＢにＤＴＸ値を黙示的に送信することによって(ＵＥからの実際ＨＡＲＱーＡＣＫ信号の送信なしに)提供できる。推定されたＤＣＩフォーマットが有効である場合、ＵＥは、ステップ１０８０又はステップ１０８５で、ｅＮＢにＡＣＫ値を有するＨＡＲＱーＡＣＫ信号を送信する。
【０１２５】
ＴＤＤ‐ＲＮＴＩは、適応的ＴＤＤ ＵＬ‐ＤＬ構成を使用する動作に対する構成と関連して上位階層シグナリングによりＵＥに対して構成することができる。したがって、ＴＤＤ‐ＲＮＴＩはＵＥー特定することができ、異なるＴＤＤ‐ＲＮＴＩが異なるＵＥに対して使用できる。例えば、ＴＤＤ‐ＲＮＴＩ＃１は、ＵＥの第１のグループに対して使用でき、ＴＤＤ‐ＲＮＴＩ＃２は、ＵＥの第２のグループに対して使用できる(ここで、ＵＥのグループは一つ以上のＵＥを含む)。以下に説明されるように、ＵＥのグループは、各ドミナント干渉セルにより決定される。このような方式で、＜表４＞で情報フィールドのうち一部(例えば、ＵＬ‐ＤＬ構成フィールド)がＵＥー共通であるが、他のパラメータ(例えば、ＣＳＩ測定のためのＤＬフレキシブルＴＴＩ又は(ＵＬ固定ＴＴＩで使用される第１のＵＬ  ＰＣプロセスとは違い)第２のＵＬ電力制御プロセスで使用されるＵＬフレキシブルＴＴＩ)は、ＵＥー特定であり得る。
【０１２６】
第１のＴＤＤ‐ＲＮＴＩを有するＰＤＣＣＨは、同一のＴＴＩ又は第２のＴＤＤ‐ＲＮＴＩを有するＰＤＣＣＨとは異なるＴＴＩで送信できる。また、これは、適応したＴＤＤ ＵＬ‐ＤＬ構成を用いて、ＤＬ  ＣＡで構成されて異なる個数又は異なる順序のＳＣｅｌｌを有するＵＥのグループを処理することを必要とする。ＴＤＤ‐ＲＮＴＩを有するＤＣＩフォーマットを伝達するＰＤＣＣＨは、(ＤＣＩフォーマット１Ｃ又はＤＣＩフォーマット０/１Ａ/３/３Ａと同一のサイズを有するＤＣＩフォーマットのような)ＣＳＳ、あるいはＵＥーＤＳＳで(ＤＣＩフォーマット０/１Ａを用いて)送信できる。また、すべてのそれぞれのＵＥが同一のＴＴＩで第１のＴＤＤ‐ＲＮＴＩを使用してＤＣＩフォーマットを伝達するＰＤＣＣＨを検出できない場合、ＰＤＣＣＨは、以前に説明したように、追加的なＴＴＩで送信できる。
【０１２７】
ＤＲＸがＵＥに対して構成され、ＵＥがＴＤＤＵＬ‐ＤＬーＡｄａｐｔがＴＤＤ ＵＬ‐ＤＬ構成の現在の適応周期で送信されるＴＴＩでＤＲＸモードに存在する場合、ＴＤＤ ＵＬ‐ＤＬ構成の次の適応周期で、ＵＥは、既存ＴＤＤ ＵＬ‐ＤＬ構成を用いて既存ＵＥとして動作できる。一般的に、ＵＥは、(ＴＤＤ ＵＬ‐ＤＬ構成に対する適応周期内で)ＴＤＤＵＬ‐ＤＬーＡｄａｐｔを検出できない。その後、ＵＥは、各セルでｅＮＢとの通信のために既存ＴＤＤ ＵＬ‐ＤＬ構成を仮定する。例えば、ＲＲＣ_IＤＬＥでＵＥは、既存ＴＤＤ ＵＬ‐ＤＬ構成を使用して呼び出しをモニタリングする。
【０１２８】
図１１は、本発明によるＵＥがＴＤＤ ＵＬ‐ＤＬ構成周期後に動作する方法１１００の例を示す。図１１で、方法１１００は、ＵＥがＴＤＤ ＵＬ‐ＤＬ構成周期内でＴＤＤ‐ＵＬＤＬーＡｄａｐｔを検出するか否かに基づく。図１１に示す方法１１００の実施形態は、単に説明のためのものである。方法１１００の他の実施形態は、本発明の範囲から逸脱することなく使用することができる。
【０１２９】
図１１を参照すれば、ステップ１１１０で、ＵＥは、ＴＤＤ ＵＬ‐ＤＬ構成周期内でＴＤＤ‐ＵＬＤＬーＡｄａｐｔに対する少なくとも一つの復号化動作を遂行する。ステップ１１２０で、(ＴＤＤ‐ＵＬＤＬーＡｄａｐｔが検出される場合)少なくとも一つの復号化動作が成功的であるか否かを判定する。少なくとも一つの復号化動作が成功的である場合、ステップ１１３０で、ＵＥは、ＴＤＤＵＬ‐ＤＬーＡｄａｐｔにより指示されたＴＤＤ ＵＬ‐ＤＬ構成を新たな(適応した)ＴＤＤ ＵＬ‐ＤＬ構成として仮定する。一方、少なくとも一つの復号化動作が成功的でない場合、ステップ１１４０で、ＵＥは、既存ＴＤＤ ＵＬ‐ＤＬ構成に従う。
【０１３０】
ＤＲＸがＵＥに対して構成される場合、ｅＮＢは、(ＵＥのＤＲＸサイクルのオンーデュレーション(onーduration)のような)活性化時間で(下記のように)ＵＥーＤＳＳでＴＤＤＵＬ‐ＤＬーＡｄａｐｔを送信できる。これは(例えば、各ＵＥーグループ共通ＴＤＤ‐ＲＮＴＩを用いて)同一のＤＲＸサイクルを有するＵＥのグループに対して意図される。これとは違い、ＤＲＸがＵＥに対して構成される場合、ＵＥは、少なくとも一つのＴＤＤＵＬ‐ＤＬーＡｄａｐｔを受信するために追加してウェイクアップ(wake  up)できる。ＵＥの活性化時間は、ＴＤＤＵＬ‐ＤＬーＡｄａｐｔを伝達する少なくとも一つのＤＣＩフォーマットを受信するために延びることができる。一方、ＤＲＸがＵＥに対して構成される場合、ＵＥのＤＲＸパターンは、ＤＲＸサイクルでＵＥのオンデュレーションがＴＤＤＵＬ‐ＤＬーＡｄａｐｔの少なくとも一つの送信と同時に発生するように調整できる(例えば、第１のＴＤＤＵＬ‐ＤＬーＡｄａｐｔ送信は、ＵＥのオンデュレーションの開始に存在する)。調整は、オンデューレーションが第１のサイクルからより早い時間へ調整され、オンデューレーションが第２のサイクルからより遅い時間へ調整されると共にＤＲＸサイクルーベースごとに存在できる。
【０１３１】
ＵＥがＴＤＤ ＵＬ‐ＤＬ構成周期内でＴＤＤ‐ＵＬＤＬーＡｄａｐｔを検出しない場合、(以前に説明した通り)ＵＥが一部ＤＬフレキシブルＴＴＩに対するＰーＣＳＩを報告すると仮定する場合、ＵＥは、ＰーＣＳＩに対するＯＯＲ(Out  Of  Range)指示を送信できる。このような方式で、ＵＥは、ｅＮＢにＵＥがＴＤＤ ＵＬ‐ＤＬ再構成を提供するＰＤＣＣＨを検出しなかったとフィードバックすることができる。一部のＤＬフレキシブルＴＴＩに対して、有効なＰーＣＳＩ(第２のＰーＣＳＩタイプの第２のＰーＣＳＩ)がＤＬ干渉に比べて一般的により低いＵＬ干渉をキャプチャするために一部ＤＬフレキシブルＴＴＩに対する有効なＰーＣＳＩ(第２のＰーＣＳＩタイプの第２のＰーＣＳＩ)がＤＬ固定ＴＴＩ及び残りのＤＬフレキシブルＴＴＩに対するＰーＣＳＩ(第２のＰーＣＳＩタイプの第１のＰーＣＳＩ)より高いＳＩＮＲを指示される場合、ｅＮＢは、第１のＰーＣＳＩでの指示がＯＯＲ指示でない場合、第２のＰーＣＳＩでのＯＯＲ指示がＴＤＤＵＬ‐ＤＬーＡｄａｐｔのミスされた検出を指示すると決定できる。例えば、第１のＰーＣＳＩがＯＯＲを指示しない場合、ｅＮＢは、第２のＰーＣＳＩでのＯＯＲを各ＵＥがＴＤＤ‐ＵＬＤＬーＡｄａｐｔを検出しない場合のように見なし、ｅＮＢは、ステップ１１４０のようにフォールバック(fallback)ＵＥ動作に対してＵＥと同一に理解することができる。第１のＰーＣＳＩがＯＯＲを指示する場合、ｅＮＢは、第１のＰーＣＳＩ及び第２のＰーＣＳＩでＯＯＲが有効であると見なされ、あるいはｅＮＢがＯＯＲを指示しないＰーＣＳＩ報告を獲得するまでＵＥをスケジューリングすることを防止できる。上記のような実施形態がＰーＣＳＩに関して説明されても、同一の機能がＡーＣＳＩに対しても適用され得る。
【０１３２】
＜ＴＤＤ ＵＬ‐ＤＬ構成を適応させるためのＵＥー専用ＤＬシグナリング＞
【０１３３】
この実施形態で、ＴＤＤ ＵＬ‐ＤＬ構成の適応に関連した情報を提供するＤＬシグナリング(ＴＤＤ‐ＵＬＤＬーＡｄａｐｔ）は、(ＵＥのグループに対して共通のものの代わりに)ＵＥー特定的であり得る。これは、Ｐ0-PUSCH値又はＣＳＩーＲＳ構成のようなＵＥ特定パラメータがＵＥにより経験するようになるチャンネル及び干渉条件によって選択されるようにする。これは、ＵＥがＴＤＤＵＬ‐ＤＬーＡｄａｐｔの検出(ＡＣＫ)又はミス(ＤＴＸ)に関してｅＮＢにＨＡＲＱーＡＣＫフィードバックを提供可能にする。
【０１３４】
ＴＤＤＵＬ‐ＤＬーＡｄａｐｔのＵＥー専用シグナリングに対するＤＣＩフォーマットは、ＤＣＩフォーマット０/１ＡのようなＵＥがＵＥーＤＳＳでモニタリングするＤＣＩフォーマットであり得る。ＤＣＩフォーマットペイロードは、ＵＥー共通ＴＤＤ‐ＵＬＤＬーＡｄａｐｔに関して以前に説明したような情報を含むことができる。既存ＰＤＳＣＨスケジューリング(ＤＣＩフォーマット１Ａ)又はＰＵＳＣＨスケジューリング(ＤＣＩフォーマット０)をＤＣＩフォーマット０/１Ａを有するＴＤＤ ＵＬ‐ＤＬ構成の適応から差別化するために、ＤＣＩフォーマット０/１Ａで特定フィールドは、各々所定値を有するように設定でき、これに反して有用なＲＮＴＩの個数を減少させることを防止するために同一のＣーＲＮＴＩがＰＤＳＣＨ又はＰＵＳＣＨスケジューリングのために使用できる。
【０１３５】
ＤＣＩフォーマット０/１ＡがＴＤＤ ＵＬ‐ＤＬ構成の適応のためのものであるか、あるいはデータスケジューリングのためのものであるかを区別するための識別子は、ＤＣＩフォーマット０/１Ａの既存ペイロードで１個の追加的なビットを用いて明示的にすることができる。例えば、インジケータは、フィールド‘Ｉｎｄｉｃａｔｏｒ  ｆｏｒ  ＵＬ‐ＤＬ  ｃｏｎｆｉｇｕｒａｔｉｏｎ  ａｄａｐｔａｔｉｏｎ’のように定義され、次のような値のうち一つを有することができる。
【０１３６】
‘０’：ＤＣＩフォーマットはＴＤＤ ＵＬ‐ＤＬ構成の適応のためのもの、及び
‘１’：ＤＣＩフォーマットはデータスケジューリングのためのもの。
【０１３７】
ＤＣＩフォーマット０/１ＡがＴＤＤ ＵＬ‐ＤＬ構成の適応のためのものであるか、あるいはデータスケジューリングのためのものであるかを区別するための識別子は、黙示的になることができる。例えば、ＤＣＩフォーマット０又はＤＣＩフォーマット１Ａで、一つ又は複数のフィールドは、各々所定の値を有することができる。ＵＥは、各ＤＣＩフォーマット(ＤＣＩフォーマット０又はＤＣＩフォーマット１Ａ)に対するポジティブＣＲＣテスト後に所定の値を有する一つ又は複数のフィールドを確認することで、ＴＤＤ ＵＬ‐ＤＬ構成の適応を認証できる。認証は、ＤＣＩフォーマットに対するすべてのフィールドが所定の値により設定される場合に獲得される。
【０１３８】
ＵＥは、ＵＥがＴＤＤＵＬ‐ＤＬーＡｄａｐｔの検出(及び認証)に失敗した場合、ＵＥー特定ＤＣＩフォーマット(ＤＣＩフォーマット０又はＤＣＩフォーマット１Ａ）を伝達し、あるいは(ＨＡＲＱーＡＣＫ信号送信がない)ＤＴＸ値ＴＤＤＵＬ‐ＤＬーＡｄａｐｔの検出(以前に説明したような認証を包含)に応答してＡＣＫ値を有するＨＡＲＱーＡＣＫ信号を送信できる。ＵＥが成功的にＴＤＤＵＬ‐ＤＬーＡｄａｐｔを検出及び認証する場合、ＵＥは、ＴＤＤＵＬ‐ＤＬーＡｄａｐｔの有効時間から開始されるシグナリングされた新たなＴＤＤ ＵＬ‐ＤＬ構成を使用することができる。ＵＥがＴＤＤＵＬ‐ＤＬーＡｄａｐｔを検出及び認証できない場合、ＵＥは、既存ＴＤＤ ＵＬ‐ＤＬ構成を仮定して動作するようにフォールバックする。
【０１３９】
ＵＥー特定ＤＣＩフォーマットがＴＤＤ ＵＬ‐ＤＬ構成の適応を指示する場合、(ＴＤＤ ＵＬ‐ＤＬ構成の適応に対するＤＣＩフォーマット機能をＰＤＳＣＨ又はＰＵＳＣＨをスケジューリングする機能と区別するためのフィールド以外の)ＤＣＩフォーマットでの残りのフィールドは＜表４＞で説明したように、ＴＤＤ ＵＬ‐ＤＬ構成の適応に対する情報を伝達するために使用できる。しかしながら、この場合、ｅＮＢは、ＵＥー特定方式で各情報フィールドの値を設定できる。
【０１４０】
図１２は、本発明によるＵＥがＵＥーＤＳＳでＴＤＤ ＵＬ‐ＤＬ構成の適応を提供するＤＣＩフォーマットを検出する方法１２００の一例を示す。図１２に示す方法１２００の実施形態は、単に説明のためのものである。方法１２００の他の実施形態は、本発明の範囲から逸脱せずに使用することができる。
【０１４１】
図１２を参照すると、受信された制御信号１２０５は、ステップ１２１０で、復調され、結果ビットはデインターリビングされる。ｅＮＢ送信器で適用されるレートマッチングは、ステップ１２１５を通じて復元され、データは、ステップ１２２０で復号化される。復号化以後に、ＤＣＩフォーマット情報ビット１２３０及びＣＲＣビット１２３５は、ステップ１２２５で分離あれ、ＣＲＣビットは、ＵＥ  ＣーＲＮＴＩマスク１２４５を用いてＸＯＲ動作を適用することによってステップ１２４０でデマスキングされる。
【０１４２】
ＵＥは、ステップ１２５０で、ＣＲＣテストを遂行する。ＵＥは、ステップ１２５５で、ＣＲＣテストが通過されるか否かを決定する。ＣＲＣテストが通過されない場合、ＵＥは、ステップ１２６０で推定されたＤＣＩフォーマットを無視し、ＵＥは、ステップ１２６５でｅＮＢにＤＣＩフォーマットを検出することが不可能なことに対するフィードバックを提供する。フィードバックは、ｅＮＢに(ＵＥからの実際のＨＡＲＱーＡＣＫ信号送信でない)ＤＴＸ値を黙示的に送信することを含むことができる。この場合、ＵＥは、ＵＥがＴＤＤ ＵＬ‐ＤＬ構成を適応させるための他の任意のシグナリングでも受信しない場合、既存ＴＤＤ ＵＬ‐ＤＬ構成を使用して持続的に動作する(適応したＴＤＤ ＵＬ‐ＤＬ構成を使用して動作しないＵＥと類似している)。
【０１４３】
ＣＲＣテストが通過される場合、ステップ１２７０で、ＵＥは、ステップ１２７５で、各ＤＣＩフォーマットに対するすべての各認証フィールドが所定の値により設定されるか否かを確認することで、ＴＤＤ ＵＬ‐ＤＬ構成の適応に対するＤＣＩフォーマットを認証する。各ＤＣＩフォーマットに対するすべての各認証フィールドが所定の値により設定される場合、ステップ１２８０で、ＵＥは、ｅＮＢにＡＣＫ値を有するＨＡＲＱーＡＣＫ信号を送信でき、ＵＥは、ステップ１２８５で適応したＴＤＤ ＵＬ‐ＤＬ構成に対するパラメータを決定する。パラメータは、少なくとも新たなＵＬ‐ＤＬ構成を含み、ＳＲＳ  ＢＷ構成及びＳＲＳ  ＴＴＩと、{Ｐ0_PUSCH，α}構成と、ＤＬフレキシブルＴＴＩでのＣＳＩーＩＭリソースの構成のような一つ以上のＳＲＳ構成パラメータを含むことができる。ＵＥは、ステップ１２９０で適応したＴＤＤ ＵＬ‐ＤＬ構成が有効になる場合、適応したＴＤＤ ＵＬ‐ＤＬ構成を使用して動作できる。ＤＣＩフォーマット検出が認証テストを通過しない場合、ＵＥは、ステップ１２９５で、ＰＤＳＣＨスケジューリング(ＤＣＩフォーマット１Ａの場合)あるいはＰＵＳＣＨスケジューリング(ＤＣＩフォーマット０である場合)に対するＤＣＩフォーマットを考慮し、ＤＣＩフォーマットの既存の追加プロセッシングを続ける。
【０１４４】
いくつかの組み合わせがＤＣＩフォーマットで一部情報フィールドの値を所定値に設定し、ＤＣＩフォーマットがＤＬーＵＬ構成の適応を提供することを指示し、ＴＤＤ ＵＬ‐ＤＬ構成の適応と関連した情報を提供する残りの情報フィールドの値を使用するために存在する。
【０１４５】
第１の接近方式で、ＤＣＩフォーマット０及びＤＣＩフォーマット１Ａで情報フィールドは、＜表６＞で説明するように設定され得る。エントリ“ＴＤＤ  ｃｏｎｆｉｇｕｒａｔｉｏｎ”は、各ビットが＜表４＞で説明したように、ＴＤＤ ＵＬ‐ＤＬ構成の適応に対する情報を提供することを指示する。
【０１４６】
【表６】
2019134479.tif 000008
【０１４７】
第２の接近方式で、ＴＤＤ ＵＬ‐ＤＬ構成の適応は、単にＤＣＩフォーマット０により提供される。例えば、適応したＴＤＤ ＵＬ‐ＤＬ構成を使用する動作について構成されるＵＥは、情報フィールド“Ｃｙｃｌｉｃ  Ｓｈｉｆｔ  ａｎｄ  Ｏｒｔｈｏｇｏｎａｌ  Ｃｏｖｅｒ  Ｃｏｄｅ  ｆｏｒ  ＤＭＲＳ”に対する‘１１１’の値をＴＤＤ ＵＬ‐ＤＬ構成の適応を構成すると解析できる。ＵＥは、残りの情報フィールドのビットのうち一部をＴＤＤ ＵＬ‐ＤＬ構成の適応のための情報を提供すると解析できる。
【０１４８】
適応したＴＤＤ ＵＬ‐ＤＬ構成に対する有効タイミングは、上位階層シグナリングにより構成され、情報エレメント‘ＣｏｎｆｉｇｕｒｅＴＤＤＵＬ‐ＤＬーＡｄａｐｔ’に含まれ得る。あるいは、適応したＴＤＤ ＵＬ‐ＤＬ構成に対する有効タイミングは、ＴＤＤ ＵＬ‐ＤＬ構成の適応を遂行するＤＣＩフォーマットに含まれることができる。例えば、有効タイミングが上位階層シグナリングにより毎４０個のＴＴＩになると構成される場合、ＵＥは、ＵＥが各ＴＴＩインデックスを知っているために適応したＴＤＤ ＵＬ‐ＤＬ構成を適用するためのＴＴＩがわかる。同様に、有効タイミングがＤＣＩフォーマットにより指示される場合(多くのビットを必要としないようにマルチーＴＴＩ、又はフレーム、粒度(granularity)で可能に使用する場合)、ＵＥに新たなＴＤＤ ＵＬ‐ＤＬ構成を適用するＴＴＩが直接に通知され得る。
【０１４９】
図１３及び図１４は、本発明による適応した構成のＤＬシグナリングＴＤＤ‐ＵＬＤＬーＡｄａｐｔ及び有効タイミング送信の一例を示す。図１３及び図１４に示す実施形態は、単に説明のためのものである。他の実施形態が本発明の範囲から逸脱することなく使用することができる。図１３に示すように、ＴＤＤＵＬ‐ＤＬーＡｄａｐｔは、１３０１で指示されているように第１のフレームのＴＴＩ＃０で受信され、第１のタイマー値は１０ｍｓである。第１のタイマー値に基づいて、適応したＴＤＤ ＵＬ‐ＤＬ構成は、１３０２に指示されているように第２のフレームの開始で有効である。図１４に示すように、ＴＤＤＵＬ‐ＤＬーＡｄａｐｔは、１４０１に指示されているように第１のフレームのＴＴＩ＃０で検出され、第２のタイマー値は２０ｍｓである。第２のタイマー値に基づき、新たな構成は、１４０２に指示されているように第３のフレームの開始で有効である。図１３及び図１４の両方に、タイマー値は、上位階層シグナリングによりＵＥに以前に構成された値の集合から指示され、あるいはＤＬシグナリングＴＤＤＵＬ‐ＤＬーＡｄａｐｔに直接含まれることができる。
【０１５０】
ＤＲＸがＵＥに対して構成される場合、ｅＮＢは、(ＵＥのＤＲＸサイクルのオンデュレーションのように)ＵＥの活性化時間でＵＥーＤＳＳでＴＤＤＵＬ‐ＤＬーＡｄａｐｔを送信する。一般的に、ＵＥがＴＤＤ ＵＬ‐ＤＬ構成周期内でＴＤＤ‐ＵＬＤＬーＡｄａｐｔを検出しない場合、ＵＥは、図１１で説明したように既存ＴＤＤ ＵＬ‐ＤＬ構成を使用することができる。
【０１５１】
＜第１のＣＳＩ又は第２のＣＳＩの測定に対するＤＬ  ＴＴＩ又は第１のＵＬ  ＰＣプロセス又は第２のＵＬ  ＰＣプロセスに対するＵＬ  ＴＴＩの指示＞
【０１５２】
この実施形態において、ＵＥが第１のＣＳＩ及び第２のＣＳＩを測定するためのＴＴＩを決定する方法が説明される。簡略性のために、方法は、一般的なＣＳＩ側面に関してのみ説明し、ＰーＣＳＩ又はＡーＣＳＩに適用できる。ＵＥは、適応したＴＤＤ ＵＬ‐ＤＬ構成でＤＬ  ＴＴＩの第２の集合に対するＣＳＩから別途のＤＬ  ＴＴＩの第１の集合に対するＣＳＩを測定すると仮定される。ＵＥが(ＤＬ固定ＴＴＩと類似した)一部ＤＬフレキシブルＴＴＩでＤＬードミナント干渉を経験して残りのＤＬフレキシブルＴＴＩでＵＬードミナント干渉を経験するためにすべてのＤＬフレキシブルＴＴＩのＣＳＩを決定するために考慮されない。ＵＥの位置を推定し、ＵＥに対するドミナント干渉セルで使用されるＴＤＤ ＵＬ‐ＤＬ構成(この情報は、ＴＤＤ ＵＬ‐ＤＬ構成の適応以前にｅＮＢの間で交換可能)を知っているｅＮＢは、ＵＥに各ＣＳＩを演算するために使用するＤＬフレキシブルＴＴＩを通知することができる。ビットマップは、フレーム別にＵＥが第１のＣＳＩを決定するためにＤＬ固定ＴＴＩと共に使用できるＵＥ  ＤＬフレキシブルＴＴＩを指示し、あるいはＵＥが第２のＣＳＩを決定するために使用できるＤＬフレキシブルＴＴＩを指示するＴＤＤＵＬ‐ＤＬーＡｄａｐｔにより伝達されるＤＣＩフォーマットに含まれることができる。
【０１５３】
ビットマップは、例えば＜表２＞に示すようにフレーム内ですべてのフレキシブルＴＴＩを含むことができる。したがって、ビットマップサイズは、フレーム内でフレキシブルＴＴＩの個数と同一であり得る。実際情報を含んでいるビットマップサイズは、＜表７＞に示すように指示されるＴＤＤ ＵＬ‐ＤＬ構成により可変的である。例えば、すべての構成が適応に対して可能である場合、ＴＴＩ＃６が同一のＣＳＩをＤＬ固定ＴＴＩを有すると仮定する場合、５ビットの最大ビットマップサイズが使用される。そうでない場合、６ビットの最大サイズが必要となる。他の実施形態では、ＴＤＤ ＵＬ‐ＤＬ構成０及びＴＤＤ ＵＬ‐ＤＬ構成６が適応のために可能でない場合、ＴＴＩ＃６が同一のＣＳＩをＤＬ固定ＴＴＩで有すると仮定する場合、３ビットの最大ビットマップサイズが使用される。そうでない場合、４ビットの最大サイズが必要となる。ＣＳＩ決定のために考慮されるＤＬ  ＴＴＩの指示のためのフィールドのサイズは(５ビット又は３ビットのように）固定的であり得る。また、最適化として、ビットのより少ない個数がビットマップのために必要になる場合(例えば、既存ＴＤＤ ＵＬ‐ＤＬ構成及び適応したＴＤＤ ＵＬ‐ＤＬ構成に基づき)、ビットマップは、フィールドに最初に配置され、残りのビットが５ビット又は３ビットの固定した総長さを招く‘０’のように所定値に設定できる。
【０１５４】
あるいは、ビットマップは、フレキシブルＴＴＩの最大個数(すべての可能なＴＤＤ ＵＬ‐ＤＬ構成にかけて)に対応し、既存ＴＤＤ ＵＬ‐ＤＬ構成に基づいて固定的であるＴＴＩに対する各値は、‘０’の値のような所定値に設定され得る。また、フレキシブルＴＴＩがＵＬフレキシブルＴＴＩである場合、ビットマップで各値は、値‘０’のように所定値を有することができる。ＵＥが適応したＴＤＤ ＵＬ‐ＤＬ構成を決定した後に、ＵＥは、ビットマップに対する実際情報サイズを決定できる。
【０１５５】
一実施形態で、ＴＴＩ＃３、ＴＴＩ＃４、ＴＴＩ＃７、ＴＴＩ＃８、及びＴＴＩ＃９がフレキシブルＴＴＩである場合、現在のＴＤＤ ＵＬ‐ＤＬ構成で、ＴＴＩ＃７を除外したすべてのフレキシブルＴＴＩがＤＬ  ＴＴＩである場合、各々ＴＴＩ＃３、ＴＴＩ＃４、ＴＴＩ＃７、ＴＴＩ＃８、及びＴＴＩ＃９に対応する各ビットを有するビットマップ{０，１，０，１，０｝は、ＵＥがＴＴＩ＃４及びＴＴＩ＃８に対して第２のＣＳＩを決定し、ＴＴＩ＃３及びＴＴＩ＃９に対して第１のＣＳＩを決定しなければならないことを指示できる。あるいは、ＤＬフレキシブルＴＴＩ(ＴＴＩ＃３、ＴＴＩ＃４、ＴＴＩ＃８、及びＴＴＩ＃９)に対応する最初に４ビットとＵＬフレキシブルＴＴＩ(ＴＴＩ＃７)に対応する第５のビットを有するビットマップは{０，１，１，０，０}であり得る。
【０１５６】
以前のすべてのＴＴＩがフレキシブルＴＴＩでない場合(ＴＤＤ ＵＬ‐ＤＬ構成１がシステム情報によりシグナリングされ、ＴＴＩ＃４及びＴＴＩ＃９がＤＬ固定ＴＴＩである場合)、ビットマップでの各値は‘０’の値のように予め定められる。この場合、各ビットが各々ＴＴＩ＃３、ＴＴＩ＃４、ＴＴＩ＃７、ＴＴＩ＃８、及びＴＴＩ＃９に対応する、ＵＥにシグナリングされるビットマップの一例は{１，０，０，１，０}であり、ＵＥは、ＴＴＩ＃３及びＴＴＩ＃８に対する第２のＣＳＩを決定し、ＴＴＩ＃９に対する第１のＣＳＩを決定することができる。一方、フレキシブルＴＴＩ(ＴＴＩ＃３、ＴＴＩ＃７、及びＴＴＩ＃８)に対応する３個の第１のビットと固定ＴＴＩ(ＴＴＩ＃４及びＴＴＩ＃９)に対応する第４のビット及び第５のビットを有するビットマップは{１，０，１，０，０}であり得る。これとは異なり、ＤＬフレキシブルＴＴＩ(ＴＴＩ＃３及びＴＴＩ＃８)に対応する２個の第１のビットと固定ＴＴＩ又はＵＬフレキシブルＴＴＩ(ＴＴＩ＃４、ＴＴＩ＃７、ＴＴＩ＃９)に対応する最後の３個のビットを有するビットマップは{１，１，０，０，０}であり得る。ビットマップでエレメントの値がシステム情報によりシグナリングされるＴＤＤ ＵＬ‐ＤＬ構成と一致しない場合、関連したＤＣＩフォーマットは有効でないと見なされ、ＵＥは、検出されたＴＤＤＵＬ‐ＤＬーＡｄａｐｔにより伝達されるＤＣＩフォーマットを無視できる。
【０１５７】
ビットマップで各ビットに対して、‘１’の値は、第１のＣＳＩ演算に対して考慮される各ＤＬフレキシブルＴＴＩを指示し、一方、‘０’の値は、第２のＣＳＩ演算に対して考慮される各ＤＬフレキシブルＴＴＩを指示することができる(あるいはその逆も同様である)。ビットマップは、ＴＤＤＵＬ‐ＤＬーＡｄａｐｔにより伝達されるＤＣＩフォーマットに含まれることができる。ＴＤＤＵＬ‐ＤＬーＡｄａｐｔはＵＥーＤＳＳ又はＣＳＳで送信される。同一のビットマップがＵＥのグループに対して使用可能である。
【０１５８】
【表７】
2019134479.tif 000009
【０１５９】
図１５は、本発明による２個の別途のＣＳＩを決定するＵＥに対するＤＬ  ＴＴＩの指示の一例を示す。図１５に示す実施形態は、単に説明のためのものである。他の実施形態は、本発明の範囲から逸脱することなく使用され得る。
【０１６０】
図１５に示すように、ＵＥ１ーＵＥ４  １５０１ー１５０４は、セル＃２  １５２０によりサービスされ、ＴＤＤ ＵＬ‐ＤＬ構成２はセル＃２  １５２０に対するＴＤＤ ＵＬ‐ＤＬ構成である。ＵＥ１  １５０１及びＵＥ２  １５０２は、セル＃１１５１０に近く、ＴＴＩ＃０  １５４４のようにＤＬフレキシブルＴＴＩ＃４  １５５４で、ＤＬ固定ＴＴＩと類似した干渉を経験するようになる。したがって、ＴＤＤＵＬ‐ＤＬーＡｄａｐｔにより伝達されるＤＣＩフォーマットに含まれるビットマップから第２のビットは、‘０’に設定される。逆に、ＵＥ１及びＵＥ２がＤＬフレキシブルＴＴＩ＃３  １５５２でＤＬ受信に対して、セル＃１  １５４２のＴＴＩ＃３でＵＬ送信からのドミナントＵＬ干渉を経験するため、ビットマップの第１のビットは、‘１’に設定される。ＴＤＤ‐ＲＮＴＩ＃１でスクランブルされるＣＲＣを有するＤＣＩフォーマットを伝達する同一のＴＤＤＵＬ‐ＤＬーＡｄａｐｔは、ＵＥ１及びＵＥ２に使用することができる。ＵＥ１及びＵＥ２は、第２のＣＳＩを決定するためにＤＬフレキシブルＴＴＩ＃３及びＴＴＩ＃８を考慮し、第１のＣＳＩを演算するために固定ＤＬ  ＴＴＩと共にＤＬフレキシブルＴＴＩ＃４及びＴＴＩ＃９を考慮することができる。
【０１６１】
ＵＥ３  １５０３及びＵＥ４  １５０４は、セル＃３  １５３０に近く、ＤＬフレキシブルＴＴＩ＃８  １５５６でＤＬ固定ＴＴＩと類似した干渉を経験する。したがって、ＵＥ３及びＵＥ４に対する各ビットマップから第４のビットは、‘０’に設定される。これと反対に、ＤＬフレキシブルＴＴＩ＃３  １５５２及びＴＴＩ＃４  １５５４で、ＵＥ３及びＵＥ４は、セル＃３のＴＴＩ＃３  １５６２及びＴＴＩ＃４  １５６４でＵＬ送信からのＵＬドミナントＵＬ干渉を経験する。したがって、各ビットマップで第１のビット及び第２のビットは、‘１’に設定される。ＴＤＤ‐ＲＮＴＩ＃２を用いてスクランブルされるＣＲＣを有するＤＣＩフォーマットを伝達する同一のＴＤＤ‐ＵＬＤＬーＡｄａｐｔがＵＥ３及びＵＥ４に対して新たなＴＤＤ ＵＬ‐ＤＬ構成を通知するために使用される。ＵＥ３及びＵＥ４は、第２のＣＳＩを演算するためにＤＬフレキシブルＴＴＩ＃３及びＴＴＩ＃４を考慮し、第１のＣＳＩを演算するためにＤＬ固定ＴＴＩと共にＤＬフレキシブルＴＴＩ＃８及びＴＴＩ＃９を考慮することができる。
【０１６２】
ＡーＣＳＩ演算に対して、第１のＺＰ  ＣＳＩーＲＳリソースは、第１のＣＳＩを決定するための目的で以前に識別されるような一つ以上の第１のＤＬ  ＴＴＩで構成されることができ、第２のＺＰ  ＣＳＩーＲＳリソースは、第２のＣＳＩを決定するための目的のために以前に識別されるような一つ以上の第２のＤＬ  ＴＴＩで構成され得る。
【０１６３】
同様に、ＵＥが第１のＵＬ  ＰＣプロセス又は第２のＵＬ  ＰＣプロセスを用いてＰＵＳＣＨ又はＳＲＳを送信するＵＬフレキシブルＴＴＩを指示するビットマップに対して、ビットマップは、例えば＜表２＞に示すように、フレーム内のすべてのＵＬフレキシブルＴＴＩを含むことができる。したがって、ビットマップサイズは、フレーム内のＵＬフレキシブルＴＴＩの実際個数又は最大個数と同一であり得る。ＵＥがＵＬフレキシブルＵＬ  ＴＴＩで第１のＵＬ  ＰＣプロセスを使用する場合(例えば、ＵＬ固定ＴＴＩに対して)、ビットマップで各値は、‘０’であり得る。ＵＥが(ＵＬ固定ＴＴＩに対してとは異なり)ＵＬフレキシブルＴＴＩで第２のＵＬ  ＰＣプロセスを使用する場合、ビットマップで各値は‘１’であり得る。フレキシブルＴＴＩがＤＬ  ＴＴＩであり、ＵＬ  ＴＴＩでない場合、ビットマップで各値は、‘０’の値のようにＵＥに知られている所定の値であり得る。例えば、ＴＴＩ＃３、ＴＴＩ＃４、ＴＴＩ＃６、ＴＴＩ＃７、ＴＴＩ＃８、及びＴＴＩ＃９がフレキシブルＴＴＩであることを考慮する場合(＜表２＞)、ビットマップサイズは、６ビットである。あるいは、ビットマップサイズは、常に第１のＵＬ  ＰＣプロセスと関連したＴＴＩ＃２を有する７ビットである。
【０１６４】
また、第２のＣＳＩ演算のためのＤＬフレキシブルＴＴＩ及び第２のＵＬ  ＰＣプロセスに対するＵＬフレキシブルＴＴＩを指示するビットマップを単一ビットマップで結合することも可能である。ＵＥは、ＴＤＤＵＬ‐ＤＬーＡｄａｐｔにより伝送されるＤＣＩフォーマットに含まれる適応したＴＤＤ ＵＬ‐ＤＬ構成に対するインジケータに基づき、フレキシブルＴＴＩのうちいずれがＤＬ  ＴＴＩであり、いずれがＵＬ  ＴＴＩであるかを知っているため、ＵＥは、ビットマップで各エレメントに対して各エレメントが第１のＣＳＩ又は第２のＣＳＩを指示するかを決定し(フレキシブルＴＴＩがＤＬ  ＴＴＬである場合)、あるいは各エレメントが第１のＵＬ  ＰＣプロセス又は第２のＵＬ  ＰＣプロセスを指示するかを判定する(フレキシブルＴＴＩがＵＬ  ＴＴＩである場合)。
【０１６５】
一例として、ＴＴＩ＃３、ＴＴＩ＃４、ＴＴＩ＃６、ＴＴＩ＃７、ＴＴＩ＃８、及びＴＴＩ＃９がフレキシブルＴＴＩであり、現在のＴＤＤ ＵＬ‐ＤＬ構成で、ＴＴＩ＃７を除外したすべてのフレキシブルＴＴＩがＤＬ  ＴＴＩ又は特定ＴＴＩである場合、ビットマップ{０，１，１，１，１，０｝は、ＵＥにＴＴＩ＃４及びＴＴＩ＃８で第２のＣＳＩを決定し、ＴＴＩ＃３、ＴＴＩ＃６、及びＴＴＩ＃９で第１のＣＳＩを決定し、ＴＴＩ＃６及びＴＴＩ＃７で第２のＵＬ  ＰＣプロセスを用いてＰＵＳＣＨ又はＳＲＳを送信することを指示する。例えば、以前のすべてのＴＴＩがフレキシブルＴＴＩでない場合(ＴＤＤ ＵＬ‐ＤＬ構成１が既存のＴＤＤ ＵＬ‐ＤＬ構成であり、ＴＴＩ＃４及びＴＴＩ＃９がＤＬ固定ＴＴＩである場合)、ビットマップで各値は‘０’のように予め決定される。ＵＥにシグナリングされる例示のビットマップは{１，０，１，１，１，０}であり、ＵＥは、ＴＴＩ＃３及びＴＴＩ＃８に対する第２のＣＳＩを決定し、ＴＴＩ＃６及びＴＴＩ＃９に対する第１のＣＳＩを決定し、ＴＴＩ＃６及びＴＴＩ＃７で第２のＵＬ  ＰＣプロセスを用いてＰＵＳＣＨ又はＳＲＳを送信する。ビットマップでエレメントの値が既存のＴＤＤ ＵＬ‐ＤＬ構成と一致しない場合、ＵＥは、検出されたＴＤＤＵＬ‐ＤＬーＡｄａｐｔにより伝達されるＤＣＩフォーマットを無視できる。
【０１６６】
第１のＣＳＩ演算又は第２のＣＳＩ演算に対するＤＬフレキシブルＴＴＩを指示するビットマップ、第１のＵＬ  ＰＣプロセス又は第２のＵＬ  ＰＣプロセスに対するＵＬフレキシブルＴＴＩを指示するビットマップ、あるいは第１又は第２のＣＳＩ演算のためのＤＬフレキシブルＴＴＩ及び第１又は第２のＵＬ  ＰＣプロセスのためのＵＬフレキシブルＴＴＩ両方ともを指示するビットマップは、ＤＣＩフォーマットに存在するか、あるいはＲＲＣシグナリング又はＭＡＣシグナリングのように他のシグナリングに存在することができる。
【０１６７】
＜フレキシブルＤＬ  ＴＴＩでＣＲＳに対する電力設定＞
【０１６８】
この実施形態において、ＤＬ固定ＴＴＩだけでなく、ＤＬフレキシブルＴＴＩで送信することができる。ｅＮＢは、ＵＥに一つ以上のビットを含む各“ＣＲＳプレゼンス(presence)”フィールドを通じてＣＲＳ送信がＤＬフレキシブルＴＴＩで発生するか否かを通知することができる。“ＣＲＳプレゼンス”フィールドは、上位階層シグナリングによりＵＥに提供され、“ＣＲＳプレゼンス”フィールドは'‘ＣｏｎｆｉｇｕｒｅＴＤＤＵＬ‐ＤＬーＡｄａｐｔ’に含まれることができる。ＣＲＳがＤＬ  ＴＴＩの第１のＯＦＤＭシンボルにおけるシステム動作でデフォルトにより存在する場合、この指示は、ＤＬ  ＴＴＩがノーマルＤＬ  ＴＴＩであるか、あるいはＭＢＳＦＮ  ＴＴＩであるかを指示すると解析できる(ＣＲＳは、最初に１個又は２個のＯＦＤＭシンボルのみに存在し、残りのＯＦＤＭシンボルに存在しない)。
【０１６９】
ｅＮＢからのＤＬ信号は、一般的にＵＥからのＵＬ信号より実質的により大きい電力を用いて送信される。その理由で、ＤＬフレキシブルＴＴＩで隣接セルでＤＬ信号の送信からＵＬフレキシブルＴＴＩでＵＬ信号の送信での深刻な干渉を防止するために、ＤＬ送信電力が実際に減少することを必要とする。特定の目的のために、ＤＬ信号は、４ｄＢ(decibel)以内のようにＣＲＳ送信電力の小さい範囲以内に存在する電力を用いて送信されることが必要である。しかしながら、ＵＥがチャンネル測定のように、測定に対して異なるＤＬ  ＴＴＩからのＣＲＳを使用する場合(ＤＬ固定ＴＴＩ、それともＤＬフレキシブルＴＴＩ)、ＵＥは、ＤＬ固定ＴＴＩとＤＬフレキシブルＴＴＩでのＣＲＳ送信間の電力オフセットが存在するか否かを知り、この電力オフセットの値を知ることが有利である。さらに、直交振幅変調(ＱＡＭ)を用いて変調され、ＣＲＳベースチャンネル測定を使用して復調されるデータに対して、ＵＥは、データとＣＲＳとの間のリソースエレメント別エネルギー(ＥＰＲＥ）の比がＤＬ固定ＴＴＩ又はＤＬフレキシブルＴＴＩの各シンボルで同一であり、あるいはこの比がＤＬフレキシブルＴＴＩの集合に対してＵＥに追加的にシグナリングされると仮定する。
【０１７０】
第１の接近方式で、ｅＮＢは適応したＴＤＤ ＵＬ‐ＤＬ構成を通知するＤＣＩフォーマットにＤＬ  ＴＴＩ又はＵＬ  ＴＴＩとなり得るフレキシブルＴＴＩの最大個数と同一のサイズを有するビットマップを含むことができる。このビットマップは、第１のＣＳＩ又は第２のＣＳＩの演算のためのフレキシブルＴＴＩを指示するために使用され、あるいは第１のＵＬ  ＰＣプロセス  又は第２のＵＬ  ＰＣプロセスのために使用されるットマップと別個である。ビット値‘０’は、各ＤＬフレキシブルＴＴＩでＣＲＳ送信電力がＤＬ固定ＴＴＩでのＣＲＳ送信電力と同一であることを指示し、その一方、ビット値‘１’は、各ＤＬフレキシブルＴＴＩでのＣＲＳ送信電力がＤＬ固定ＴＴＩでのＣＲＳ送信電力に比べて減少することを表すことができる(これに対する逆も同様である)。ＣＲＳ送信電力の減少量は、ＴＤＤＵＬ‐ＤＬーＡｄａｐｔに対するＤＣＩフォーマットで他のフィールドにより指示でき、“ＣＲＳ  ｐｏｗｅｒ  ｏｆｆｓｅｔ”と称され、あるいはＲＲＣシグナリングのような上位階層シグナリングにより構成され得る。例えば、“ＣＲＳ  ｐｏｗｅｒ  ｏｆｆｓｅｔ”フィールドは、２個のビットを含むことができる。値‘００’は、ＤＬ固定ＴＴＩでのＣＲＳ送信電力に比べてＤＬフレキシブルＴＴＩで０ｄＢのＣＲＳ電力減少を指示できる。値‘０１’は、２ｄＢのＣＲＳ電力減少を指示でき、値‘１０’は４ｄＢのＣＲＳ電力減少を指示でき、値‘１１’は６ｄＢのＣＲＳ電力減少を指示できる。
【０１７１】
第２の接近方式で、２ビットの“ＣＲＳ  ｐｏｗｅｒ  ｏｆｆｓｅｔ”フィールドは、ＴＤＤＵＬ‐ＤＬーＡｄａｐｔに対するＤＣＩフォーマットに含まれることができ、関連した値はすべてのＤＬフレキシブルＴＴＩに(あるいはＵＬ  ＴＴＩとなるＤＬフレキシブルＴＴＩのみに)適用可能であり得る。第１の接近方式に対して第２の接近方式の利点は、減少したＣＲＳ送信電力を使用するＤＬフレキシブルＴＴＩを指示する追加的なビットマップが存在しないことであり、それによってより小さいシグナリングオーバーヘッドが存在することである。第１の接近方式に対応する第２の接近方式の可能な短所は、すべての干渉セルからＤＬ  ＴＴＩに使用されるＤＬフレキシブルＴＴＩでも(すなわち、第２のセルでＤＬフレキシブルＴＴＩである第１のセルでのＵＬフレキシブルＴＴＩが全く存在しなくても)ＣＲＳ送信電力の減少が発生する必要がある。
【０１７２】
第３の接近方式で、ＣＲＳは、ｅＮＢがＵＥにＤＬ固定ＴＴＩでのＣＲＳ送信電力に対して各ＣＲＳ電力オフセットを指示しなくてもＤＬフレキシブルＴＴＩから減少した電力で送信できる。しかしながら、この場合、ｅＮＢは、ＵＥに１ビット“ＣＲＳ  ｐｏｗｅｒ”フィールドを使用するように、上位階層シグナリングでＤＬ固定ＴＴＩ及びＤＬフレキシブルＴＴＩでＵＥにより同一の、あるいは異なるＣＲＳ送信電力が仮定できるか否かを通知することができる。このフィールドは、適応的ＴＤＤ ＵＬ‐ＤＬ構成を使用する動作に対する構成の一部として上位階層シグナリングによりＵＥに提供することができる。ＵＥは、特に各ＰＤＳＣＨでＱＡＭがデータ変調のために使用される場合、チャンネル推定及びデータ復調のために各ＤＬ  ＴＴＩ内でＣＲＳのみを考慮することができる。また、ＵＥは、ＣＲＳとデータ信号との間の相対的送信電力がＤＬ固定ＴＴＩ及びＤＬフレキシブルＴＴＩで同一であると仮定する。
【０１７３】
＜ＣＡ動作を考慮するシグナリング＞
【０１７４】
この実施形態において、ＵＥは、セルの集合でＣＡ動作に対して構成され、セルの集合のサブセットで適応的ＴＤＤ ＵＬ‐ＤＬ構成を有する動作に対して構成される。複数のセルに対して適応したＴＤＤ ＵＬ‐ＤＬ構成に関する情報を伝達するＤＣＩフォーマットに対して、ＵＥは、セルのサブセットで各セルに対して、適応したＴＤＤ ＵＬ‐ＤＬ構成の各インジケータ(適応したＴＤＤ ＵＬ‐ＤＬ構成の３ビットインジケータのように)に対するＤＣＩフォーマットで各位置が構成される。この構成は、例えば、ＲＲＣシグナリング又はＭＡＣシグナリングにより存在できる。
【０１７５】
適応的ＴＤＤ ＵＬ‐ＤＬ構成を有する動作は、ＵＥにＣＡのために構成されるすべてのセル又はセルのサブジェクトでサポートできる。例えば、セルの一部は、このような動作をサポートせず、あるいはＦＤＤも使用することができるが、適応的ＴＤＤ ＵＬ‐ＤＬ構成を有する動作は、ＴＤＤを使用するセルのサブジェクトでサポートされ得る。下記で、用語“ＴＤＤ‐Ｃｅｌｌ”は、ＵＥが適応的ＴＤＤ ＵＬ‐ＤＬ構成を使用する動作に対して構成されるセル(ＣＡ動作に対して構成されるだけでなく)のみを表す。
【０１７６】
ＴＤＤＵＬ‐ＤＬーＡｄａｐｔに対するＤＣＩフォーマットがＸ個のＴＤＤ‐Ｃｅｌｌに対する各ＴＤＤ ＵＬ‐ＤＬ再構成のＸ個のインジケータを伝達する場合、Ｎｕｍ_Ｃｅｌｌ個のＴＤＤ‐Ｃｅｌｌでの適応的ＴＤＤ ＵＬ‐ＤＬ構成を使用する動作に対して構成されたＵＥは、Ｎｕｍ_Ｃｅｌｌ個のＴＤＤ‐Ｃｅｌｌの各々に対するＣｅｉｌｉｎｇ(ｌｏｇ２Ｘ)個のビットを用いてＴＤＤ ＵＬ‐ＤＬ再構成のインジケータに対するＤＣＩフォーマットでの各位置が構成される。関数Ｃｅｉｌｉｎｇ(ｙ）は、ｙ以上の最小整数を発生させる。ＴＤＤ‐Ｃｅｌｌは、例えば、ＴＤＤ‐Ｃｅｌｌの物理セルＩＤ(ＰＣＩＤ)、その位置、又はグローバル識別子により識別される。例えば、２個のＴＤＤ‐Ｃｅｌｌに対して、同一のキャリアを有するが、異なるＰＣ  ＩＤを有する場合、異なるＴＤＤ‐Ｃｅｌｌとして取り扱われる。本発明の実施形態の一部において、異なるＴＤＤ‐Ｃｅｌｌは、異なるキャリアを有するが、本発明はそれに限定されるものではない。
【０１７７】
＜表８＞は、ＵＥがＵＥのＮｕｍ_Ｃｅｌｌ個のＴＤＤ‐Ｃｅｌｌ各々に対応する適応したＴＤＤ ＵＬ‐ＤＬ構成のＴＤＤＵＬ‐ＤＬーＡｄａｐｔ各々のインジケータに対するＤＣＩフォーマットでの位置を決定する構成の一例を示す。＜表８＞において、各ＴＤＤ‐Ｃｅｌｌに対して、Ｃｅｉｌｉｎｇ(ｌｏｇ２Ｘ)個のビットは、ＤＣＩフォーマットで適応したＴＤＤ ＵＬ‐ＤＬ構成のインジケータに対する各位置を指示するために使用される。一方、Ｘ個のビットのビットマップは、ＴＤＤ‐Ｃｅｌｌの各々に対して使用され、値‘１’は、各インジケータに対するＤＣＩフォーマットでの位置を指示し、残りのビットマップ値はすべて‘０’である(これに対する逆も同様である)。
【０１７８】
【表８】
2019134479.tif 000010
【０１７９】
一例として、各ＴＤＤ‐Ｃｅｌｌで適応的ＴＤＤ ＵＬ‐ＤＬ構成をサポートするキャリアｘ１，ｘ２，ｘ３，ｘ４を有する異なる４個のＴＤＤ‐Ｃｅｌｌに対して、ＵＥ１は、第１及び第３のＴＤＤ‐ＣｅｌｌでＣＡ動作に対して構成され、ＵＥ２は、第２及び第４のＴＤＤ‐ＣｅｌｌでＣＡ動作に対して構成され得る。Ｘ＝４個のセルに対する適応したＴＤＤ ＵＬ‐ＤＬ構成のインジケータを提供するＤＣＩフォーマットに対して、ＴＤＤ‐ＣｅｌｌのＵＥー特定インデックスがＵＥ１及びＵＥ２の両方ともに対して{１，２}であっても、ＵＥ１は、位置値‘００’及び‘１０’を通じてＤＣＩフォーマットで第１及び第３のインジケータをモニタリングするように構成され、その一方、ＵＥ２は、位置値‘０１’及び‘１１’を通じてＤＣＩフォーマットで第２及び第４のインジケータをモニタリングするように構成することができる。さらに、ＵＥ３が各々キャリアｘ２、ｘ３、ｘ４でのＣＡ動作に対して構成されるインデックス{１，２，３}を有する３個のＴＤＤ‐Ｃｅｌｌを有する場合、位置値‘０１'、‘１０’、及び‘１１’は、各々ＤＣＩフォーマットでインジケータを指示するために使用できる。あるいは、ＵＥ１は、値‘１０００’及び‘００１０’を有する各位置ビットマップを通じてＤＣＩフォーマットで第１及び第３のインジケータをモニタリングするように構成され、ＵＥ２は、値‘０１００’及び‘０００１’を有する各位置ビットマップを通じてＤＣＩフォーマットで第２及び第４のインジケータをモニタリングように構成され、ＵＥ３は、値‘０１００’、‘００１０’、及び‘０００１’を有する各位置ビットマップを通じてＤＣＩフォーマットで第２、第３、及び第４のインジケータをモニタリングするように構成される。
【０１８０】
図１６は、本発明によるＤＣＩフォーマットの一例を示す。ＤＣＩフォーマット１６００での位置は、各位置がＴＤＤ‐Ｃｅｌｌセルに対応する適応したＴＤＤ ＵＬ‐ＤＬ構成に対するインジケータを提供する。図１６に示すＤＣＩフォーマット１６００の実施形態は、単に説明のためのものである。他の実施形態は、本発明の範囲から逸脱することなく使用することができる。
【０１８１】
図１６を参照すると、ＤＣＩフォーマット１６００は、各Ｘ個のＴＤＤ‐Ｃｅｌｌに対する適応したＴＤＤ ＵＬ‐ＤＬ構成のＸ個のインジケータを提供する。ＵＥーｊ１６６０は、適応したＴＤＤ ＵＬ‐ＤＬ構成に対する第１のインジケータ及び第ｉのインジケータの各々に対する第１の位置１６３０及び第ｉの位置１６４０をモニタリングするように構成される。ＵＥーｋ１６７０は、適応したＴＤＤ ＵＬ‐ＤＬ構成に対する第１のインジケータ及び第Ｘのインジケータの各々に対して第１の位置１６３０及び第Ｘの位置１６５０をモニタリングするように構成される。
【０１８２】
ＵＥが適応したＴＤＤ ＵＬ‐ＤＬ構成に対するＤＣＩフォーマットで各インジケータに対する位置を受信する代わりに、ＵＥは、ＵＥのＮｕｍ_Ｃｅｌｌ個のＴＤＤ‐Ｃｅｌｌの整列されるリスト又はＵＥのＮｕｍ_Ｃｅｌｌ個のＴＤＤ‐Ｃｅｌｌの整列するリストを受信することができる。また、ＵＥは、ＤＣＩフォーマットでＸ個のインジケータ内でＮｕｍ_Ｃｅｌｌ個のＴＤＤ‐Ｃｅｌｌに対する適応したＴＤＤ ＵＬ‐ＤＬ構成のインジケータに対する各位置を指示するビット値‘１’と、そうでない場合、残りのすべてのビットに対してビット値‘０’を有するＮｕｍ_Ｃｅｌｌ個のビットを含むＸビットのビットマップを受信することができる(これに対する逆も同様である)。例えば、整列されたリストは、ＵＥに対する各ＴＤＤ_ＣｅｌｌがＣｅｉｌｉｎｇ(ｌｏｇ２  Ｎｕｍ_Ｃｅｌｌ)個のビットによりインデックス化される場合、全体Ｎｕｍ_Ｃｅｌｌ＊Ｃｅｉｌｉｎｇ(ｌｏｇ２Ｎｕｍ_Ｃｅｌｌ)個のビットを有することができる。ＵＥのＮｕｍ_Ｃｅｌｌ個のＴＤＤ‐Ｃｅｌｌの整列されたリストがＤＣＩフォーマットでＸ個のインジケータのリストに対して調整された各ＴＤＤ‐Ｃｅｌｌを有する場合、ＵＥのＮｕｍ_Ｃｅｌｌ個のＴＤＤ‐Ｃｅｌｌの整列されたリストは、シグナリングで省略できる。ビットマップは、適応したＴＤＤ ＵＬ‐ＤＬ構成に対するＸ個のインジケータでＮｕｍ_Ｃｅｌｌ個のＴＤＤ‐Ｃｅｌｌの位置をマークするマスクとして動作する。
【０１８３】
＜表９＞は、ＵＥが各ＤＣＩフォーマットでＵＥのＮｕｍ_Ｃｅｌｌ個のＴＤＤ‐Ｃｅｌｌの適応したＴＤＤ ＵＬ‐ＤＬ構成のインジケータに対する位置を決定するための構成を示す。
【０１８４】
【表９】
2019134479.tif 000011
【０１８５】
例えば、適応したＴＤＤ ＵＬ‐ＤＬ構成のインジケータがＤＣＩフォーマットで各々Ｘ個の位置に存在するキャリアｘ１、ｘ２、ｘ３、ｘ４を有する４個のＴＤＤ‐Ｃｅｌｌが存在し、ＵＥ２が各キャリアｘ４及びｘ２でインデックス{１，２}を有するＴＤＤ‐Ｃｅｌｌを有する場合、ＵＥ２は、キャリアの整列されたリスト{ｘ２，ｘ４}及びビットマップ‘０１０１’を受信することができる。その後、ＵＥ２は、リストで第１のキャリアであるｘ２でＴＤＤ‐Ｃｅｌｌに対する適応したＴＤＤ ＵＬ‐ＤＬ構成に対するインジケータがＤＣＩフォーマットで第１の位置に存在すると決定する。ＵＥ２は、リストで第２のキャリアであるｘ４でＴＤＤ‐Ｃｅｌｌに対する適応したＴＤＤ ＵＬ‐ＤＬ構成に対するインジケータがＤＣＩフォーマットで第４の位置に存在すると決定する。最適化として、ＵＥ２が各キャリアｘ２及びｘ４でインデックス{１，２}を有するＴＤＤ‐Ｃｅｌｌを有する場合、ＵＥ２のＴＤＤ‐Ｃｅｌｌの整列されたリスト又はＵＥ２のＴＤＤ‐Ｃｅｌｌの整列されたリストは、シグナリングで省略でき、ビットマップのみがシグナリングされ得る。
【０１８６】
あるいは、ＵＥは、ＵＥのグループに適応したＴＤＤ ＵＬ‐ＤＬ構成を指示するためのＤＣＩフォーマットでＸ個の位置に対応するＸ個のＴＤＤ‐Ｃｅｌｌの整列されたリスト(各キャリア周波数に従い)を受信することができる。各Ｙ個のＴＤＤ‐Ｃｅｌｌに対応するＵＥのグループに対して構成されるＹ個のＴＤＤ‐Ｃｅｌｌが存在する場合、Ｘ個のＴＤＤ‐Ｃｅｌｌの整列されたリストのシグナリングは、Ｘ＊Ｃｅｉｌｉｎｇ(ｌｏｇ２Ｙ)個のビットを使用することができる。例えば、キャリアｘ１，ｘ２，ｘ３，ｘ４がＤＣＩフォーマットで各々第１の位置、第２の位置、第３の位置、及び第４の位置に対応する整列されたリストでシグナリングされるＸ＝４個のキャリアである場合、各キャリアｘ４及びｘ２でインデックス{１，２}を有するＴＤＤ‐Ｃｅｌｌを有するＵＥ２は、ＤＣＩフォーマットでＸ個の位置のうち第４の位置は、ＵＥの第１のＴＤＤ‐ＣｅｌｌのＴＤＤ ＵＬ‐ＤＬ再構成のためのものであり、ＤＣＩフォーマットでＸ個の位置のうち第２の位置は、ＵＥの第２のＴＤＤ‐Ｃｅｌｌに対するＴＤＤ ＵＬ‐ＤＬ再構成のためのものとして決定する。
【０１８７】
ＰＣｅｌｌで送信される適応したＴＤＤ ＵＬ‐ＤＬ構成に対するＤＣＩフォーマットがＰＣｅｌｌに関連したすべてのＴＤＤ‐Ｃｅｌｌに対するＴＤＤ ＵＬ‐ＤＬ再構成に対するすべてのインジケータを提供する十分な能力を持っていない場合、ＵＥは、ＴＤＤ ＵＬ‐ＤＬ再構成に対してより大きいサイズを有するＤＣＩフォーマットを受信するように構成することができる。例えば、ＤＣＩフォーマット１Ｃと同一のサイズを有するＤＣＩフォーマットの代わりに、ＵＥは、適応したＴＤＤ ＵＬ‐ＤＬ構成に対してＤＣＩフォーマット３/３Ａと同一のサイズを有するＤＣＩフォーマットをモニタリング(復号化)するように構成される。ＵＥは、他のＴＤＤ‐Ｃｅｌｌに対して適応したＴＤＤ ＵＬ‐ＤＬ構成に対する一つ又は複数の追加的なＤＣＩフォーマットを受信するように構成できる。
【０１８８】
ＴＤＤ‐Ｃｅｌｌに対する適応したＴＤＤ ＵＬ‐ＤＬ構成のインジケータを提供するＵＥのグループに対するＤＣＩフォーマットは、Ｓ個のＤＣＩフォーマット(あるいはＤＣＩフォーマットのＳ個のサブセットに対する拡張)に分割され得る。各ＤＣＩフォーマットｓ(ｓ＝１，２，・・・，ｓ）は、ＤＣＩ_Ｆｏｒｍａｔ_Ｉｎｄｉｃａｔｏｒを有する。分割は、例えば、各ＤＣＩフォーマットを送信するために使用される他の時間ードメインリソース、各ＤＣＩフォーマットに対するＣＲＣをスクランブリングするために使用される異なるＴＤＤ‐ＲＮＴＩ、ＴＤＤ ＵＬ‐ＤＬ再構成のインジケータが各ＤＣＩフォーマットに含まれているキャリアの異なるサブセット、各ＤＣＩフォーマットに対する異なるサイズ、あるいはそれらのうち２以上の組み合わせに基づく。ＵＥに対するシグナリングは、各ＤＣＩフォーマットｓに対して、ＤＣＩ_Ｆｏｒｍａｔ_ＩｎｄｉｃａｔｏｒとＤＣＩフォーマットで適応したＴＤＤ ＵＬ‐ＤＬ構成のインジケータに対する各位置に対する指示を含むことができる。シグナリングは、一つのＤＣＩフォーマットでｓ個のＤＣＩフォーマットからの上記したようなシグナリングの拡張であり得る。
【０１８９】
(＜表７＞の拡張のような)＜表９＞は、ＵＥがそのＮｕｍ_Ｃｅｌｌ個のＴＤＤ‐ＣｅｌｌのＴＤＤ ＵＬ‐ＤＬ再構成のインジケータに対するＤＣＩフォーマット及びＤＣＩフォーマットでの位置を決定するための構成の例を示す。ＤＣＩフォーマットｓでインジケータに対する位置を通知するシグナリングは、ＤＣＩ_Ｆｏｒｍａｔ_Ｉｎｄｉｃａｔｏｒを通知するシグナリング情報と一緒に存在する。ＵＥに対して、異なるＤＣＩフォーマットは、ＴＤＤ ＵＬ‐ＤＬ再構成のインジケータに対して同一又は異なる個数の位置を有することができる。
【０１９０】
【表１０】
2019134479.tif 000012
【０１９１】
一方、各シグナリングに対する記述(description）は、＜表１０＞(＜表８＞の拡張)のようである。ＵＥは、第ｓのＤＣＩフォーマットに対するＵＥのＮｕｍ_Ｃｅｌｌ_Ｓｕｂｓｅｔ_ｓ個のＴＤＤ‐Ｃｅｌｌの整列されたリスト(又は、第ｓのＤＣＩフォーマットに対するＵＥのＮｕｍ_Ｃｅｌｌ_Ｓｕｂｓｅｔ_ｓ個のＴＤＤ‐Ｃｅｌｌに対応するＵＥの各ＴＤＤ‐Ｃｅｌｌの整列したリスト)を受信することができる。ＵＥは、Ｎｕｍ_Ｃｅｌｌ_Ｓｕｂｓｅｔ_ｓ個のビットを含むＸ_ｓビットのビットマップを受信でき、ここで、‘１’の値を有するビットは、第ｓのＤＣＩフォーマットでＸ個のインジケータ内のＮｕｍ_Ｃｅｌｌｓ_Ｓｕｂｓｅｔ_ｓ個のＴＤＤ‐Ｃｅｌｌに対する各ＴＤＤ ＵＬ‐ＤＬ再構成のインジケータに対する各位置を指示し、ビットマップで残りのビットは‘０’の値を有する(その逆に対しても同一である)。第ｓのＤＣＩフォーマット(ｓ＝１，・・・，Ｓ）は、第ｓのＤＣＩ_Ｆｏｒｍａｔ_Ｉｎｄｉｃａｔｏｒを通じる上位階層シグナリングによりＵＥに指示される。ＵＥに対する第ｓのサブセットでＮｕｍ_Ｃｅｌｌｓ_Ｓｕｂｓｅｔ_ｓ個のＴＤＤ‐Ｃｅｌｌに対する整列されたリストが第ｓのＤＣＩ_Ｆｏｒｍａｔ_Ｉｎｄｉｃａｔｏｒを有するＤＣＩフォーマットでＸ_ｓ個のインジケータのリストに対して調整される各ＴＤＤ‐Ｃｅｌｌを有する場合、ＵＥのＮｕｍ_Ｃｅｌｌ個のＴＤＤ‐Ｃｅｌｌの整列されたリストは、シグナリングで省略可能である。
【０１９２】
【表１１】
2019134479.tif 000013
【０１９３】
あるいは、ＵＥに対する各シグナリングは、ＤＣＩフォーマットの各サブセットｓに対するＴＤＤ適応したＵＬ‐ＤＬ構成のインジケータが第ｓのＤＣＩ_Ｆｏｒｍａｔ_Ｓｕｂｓｅｔ_Ｉｎｄｉｃａｔｏｒと一緒に存在するＴＤＤ‐Ｃｅｌｌの整列されたリストとなり得る。
【０１９４】
これから、ＴＤＤ‐Ｃｅｌｌに対するＴＤＤ ＵＬ‐ＤＬ再構成の適応に対して、ＤＣＩフォーマットをＳ個のＤＣＩフォーマットに分割する複数の接近方式について説明する。このような接近方式の組み合わせは、サポートされる。
【０１９５】
第１の接近方式で、ＴＤＤ ＵＬ‐ＤＬ再構成に対するＤＣＩフォーマットのＳ個のＤＣＩフォーマットへの分割は、ＤＣＩフォーマットを送信するための他の時間ードメインリソース(他のＴＴＩ）に基づく。各第ｓのＤＣＩフォーマットの送信は、他のｓ’ＤＣＩフォーマットの送信に関連したリソースと直交する時間ードメインリソース(例えば、ＴＴＩ）の集合と関連され、ｓ’＝１，・・・，ｓー１，ｓ＋１，・・・，Ｓである(ここで、ｓはｓ’と異なる)。各ＤＣＩフォーマットに対する時間ードメインリソースの構成は、一例として本発明の第１の実施形態のように‘Ｃｏｎｆｉｇｕｒｅ  ＴＤＤＵＬ‐ＤＬーＡｄａｐｔ’に含まれることができる。例えば、第１のＤＣＩフォーマットに対して、ＴＴＩの第１の集合は、ＵＥが第１のＤＣＩフォーマットを送信するために構成され得る。第２のＤＣＩフォーマットに対して、ＴＴＩの第２の集合は、ＵＥが第２のＤＣＩフォーマットを送信するために構成できる。
【０１９６】
一実施形態において、キャリアｘ１，ｘ２，ｘ３，ｘ４を有するＴＤＤ‐Ｃｅｌｌに対する適応したＴＤＤ ＵＬ‐ＤＬ構成に対するインジケータは、ＴＴＩの第１の集合で送信されるように構成される第１のＤＣＩフォーマットでのＸ_１＝４個の位置(各々第１、第２、第３、及び第４の位置)に対応する。キャリアｘ５、ｘ６を使用するＴＤＤ‐Ｃｅｌｌに対する適応したＴＤＤ ＵＬ‐ＤＬ構成に対するインジケータは、ＴＴＩの第２の集合で送信されるように構成される第２のＤＣＩフォーマットでのＸ_２＝２個の位置(各々第１の位置及び第２の位置)に対応する。各キャリアｘ２及びｘ５に対するＴＤＤ‐Ｃｅｌｌに対するインデックス{１，２}を有するＵＥ４には、ＵＥ４の第１のＴＤＤ‐Ｃｅｌｌに対する適応したＴＤＤ ＵＬ‐ＤＬ構成のインジケータに対するＴＴＩの第１の集合で送信されるように構成された第１のＤＣＩフォーマットでＸ_１個の位置のうち第２の位置が構成される。ＵＥ４は、ＵＥ４の第２のＴＤＤ‐Ｃｅｌｌに対する適応したＴＤＤ ＵＬ‐ＤＬ構成のインジケータに対するＴＴＩの第２の集合で送信されるように構成される第２のＤＣＩフォーマットでＸ_２個の位置のうち第１の位置が構成される。
【０１９７】
図１７は、本発明によるＵＥがＵＥのＴＤＤ‐Ｃｅｌｌに対する適応したＴＤＤ ＵＬ‐ＤＬ構成のインジケータに対する位置を決定する方法１７００の一例を示す。方法１７００で、位置は、２個のＤＣＩフォーマットにより提供される。図１７に示す方法１７００の実施形態は、単に説明だけのためのものである。方法１７００の他の実施形態は、本発明の範囲から逸脱することなく使用できる。
【０１９８】
図１７を参照すると、ステップ１７１０で、ＵＥは、ＴＤＤ‐Ｃｅｌｌで適応したＴＤＤ ＵＬ‐ＤＬ構成のインジケータに対してＤＣＩフォーマットで位置の構成と、２個のＤＣＩフォーマットに対する関連したＤＣＩフォーマットインジケータと、２個のＤＣＩフォーマットの各々を送信するためのＴＴＩの構成を受信する。ステップ１７２０で、ＵＥは、適応したＴＤＤ ＵＬ‐ＤＬ構成に対するＤＣＩフォーマットの送信をサポートするＴＴＩで、ＤＣＩフォーマットが第１のＤＣＩフォーマットであるか否かを判定する。ＤＣＩフォーマットが第１のＤＣＩフォーマットである場合、ステップ１７３０で、ＵＥは、第１のＤＣＩフォーマットと関連した各ＴＤＤ‐Ｃｅｌｌで適応したＴＤＤ ＵＬ‐ＤＬ構成のインジケータに対する第１のＤＣＩフォーマットでの位置を決定する。ＤＣＩフォーマットが第１のＤＣＩフォーマットでない場合、ＵＥは、第２のＤＣＩフォーマットに関連した各ＴＤＤ‐Ｃｅｌｌで適応したＴＤＤ ＵＬ‐ＤＬ構成のインジケータに対する第２のＤＣＩフォーマットでの位置を決定する。
【０１９９】
第２の接近方式で、他のＴＤＤ‐ＲＮＴＩは、ＰＣｅｌｌに関連したＴＤＤ‐Ｃｅｌｌに対する適応したＴＤＤ ＵＬ‐ＤＬ構成に対するインジケータを伝達する複数のＤＣＩフォーマットの各々に対する各ＣＲＣをスクランブリングするために使用できる。情報エレメント‘ＣｏｎｆｉｇｕｒｅＴＤＤＵＬ‐ＤＬーＡｄａｐｔ'で、ＴＴＩの集合は、各ＤＣＩフォーマットが送信される各構成されたＴＤＤ‐ＲＮＴＩに対して構成できる。例えば、第１のＴＤＤ‐ＲＮＴＩは、第１のＤＣＩフォーマットに対して使用でき、第２のＴＤＤ‐ＲＮＴＩは、第２のＤＣＩフォーマットに対して使用でき、第１のＤＣＩフォーマットは適応したＴＤＤ ＵＬ‐ＤＬ構成の有効性周期の最後のフレームの第１のＴＴＩで送信されるように構成でき、一方、第２のＤＣＩフォーマットは、有効性周期の最後のフレームの第２のＴＴＩで送信されるように構成できる。ＵＥは、ＵＥのＴＤＤ‐Ｃｅｌｌに対する適応したＴＤＤ ＵＬ‐ＤＬ構成のインジケータに対する位置が構成可能である。位置の構成は、各ＤＣＩフォーマットのＣＲＣをスクランブリングするために使用されるＴＤＤ‐ＲＮＴＩのインジケータを含むことができ、あるいは(＜表１０＞、＜表１１＞、又は＜図１７＞のように)ＤＣＩ_Ｆｏｒｍａｔ_Ｉｎｄｉｃａｔｏｒは、ＴＤＤ‐ＲＮＴＩのインジケータであり得る。
【０２００】
一実施形態では、キャリアｘ１，ｘ２，ｘ３，ｘ４を有するＴＤＤ‐Ｃｅｌｌに対する適応したＴＤＤ ＵＬ‐ＤＬ構成に対するインジケータは、ＴＤＤ‐ＲＮＴＩ１を使用する第１のＤＣＩフォーマットでＸ_１＝４個の位置(各々第１、第２、第３、及び第４の位置)に対応する。キャリアｘ５、ｘ６を使用するＴＤＤ‐Ｃｅｌｌに対する適応したＴＤＤ ＵＬ‐ＤＬ構成に対するインジケータは、ＴＤＤ‐ＲＮＴＩ２を使用する第２のＤＣＩフォーマットでＸ_２＝２個の位置(各々第１の位置及び第２の位置)に対応する。各キャリアｘ２及びｘ５でＴＤＤ‐Ｃｅｌｌに対するインデックス{１，２}を有するＵＥ４には、ＵＥ４の第１のＴＤＤ‐Ｃｅｌｌに対する適応したＴＤＤ ＵＬ‐ＤＬ構成のインジケータに対してＴＤＤ‐ＲＮＴＩ１を使用する第１のＤＣＩフォーマットでＸ_１個の位置のうち第２の位置が構成できる。ＵＥ４は、ＵＥ４の第２のＴＤＤ‐Ｃｅｌｌに対する適応したＴＤＤ ＵＬ‐ＤＬ構成のインジケータに対してＴＤＤ‐ＲＮＴＩ２を使用する第２のＤＣＩフォーマットでＸ_２個の位置のうち第１の位置が構成できる。
【０２０１】
第３の接近方式で、Ｓ個のＤＣＩフォーマットに対するＴＤＤ ＵＬ‐ＤＬ再構成に対するＤＣＩフォーマットに対する分割は、他の各ＴＤＤ‐Ｃｅｌｌに基づく。ＴＤＤ‐Ｃｅｌｌのサブセットのインジケータは、ＤＣＩフォーマットでのフィールドのように、適応したＴＤＤ ＵＬ‐ＤＬ構成を指示するＤＣＩフォーマットに含まれる。ＵＥのグループのすべてのＴＤＤ‐Ｃｅｌｌの集合は、ＴＤＤ‐Ｃｅｌｌのサブセットに分割され、ＴＤＤ‐Ｃｅｌｌの各サブセットに対応するＴＤＤ‐Ｃｅｌｌの適応したＴＤＤ ＵＬ‐ＤＬ構成に対するインジケータは、各ＤＣＩフォーマットで指示できる。(＜表１０＞、＜表１１＞、又は＜図１７＞のように)ＤＣＩ_Ｆｏｒｍａｔ_Ｉｎｄｉｃａｔｏｒは、ＴＤＤ‐Ｃｅｌｌのサブセットのインジケータである。
【０２０２】
一実施形態では、キャリアｘ１，ｘ２，ｘ３，ｘ４を有するＴＤＤ‐Ｃｅｌｌは、第１のサブセットに存在し、サブセットインジケータ‘０’を含む第１のＤＣＩフォーマットでＸ_１＝４個の位置(各々第１、第２、第３、及び第４の位置)に対応する。キャリアｘ５，ｘ６，ｘ７，ｘ８は、第２のサブセットに存在し、サブセットインジケータ‘１’を含む第２のＤＣＩフォーマットでＸ_２＝４個の位置(各々第１、第２、第３、及び第４の位置)に対応する。ＵＥ５が各キャリアｘ２，ｘ５，ｘ７でインデックス{１，２，３}を有するＴＤＤ‐Ｃｅｌｌを有する場合、ＵＥ５は、第１のＤＣＩフォーマットに対して値‘０１００’を有するビットマップと第２のＤＣＩフォーマットに対して値‘１０１０’を有するビットマップを受信することができる。ＵＥ５は、第１のＤＣＩフォーマットでＸ_１＝４個の位置のうち第２の位置がＵＥ５の第１のＴＤＤ‐Ｃｅｌｌに対する適応したＴＤＤ ＵＬ‐ＤＬ構成のインジケータに対するものであると決定する。ＵＥ５は、第２のＤＣＩフォーマットでＸ_２＝４個の位置のうち第１の位置及び第３の位置は、ＵＥ５の第２及び第３のＴＤＤ‐Ｃｅｌｌの各々に対する適応したＴＤＤ ＵＬ‐ＤＬ構成のインジケータのためのものであると決定する。
【０２０３】
図１８は、本発明による他のＤＣＩフォーマット１８００の一例を示す。ＤＣＩフォーマット１８００は、ＴＤＤ‐Ｃｅｌｌサブセットインジケータ及び各位置がＴＤＤ‐Ｃｅｌｌに対応する適応したＴＤＤ ＵＬ‐ＤＬ構成に対するインジケータの位置を含む。図１８に示すＤＣＩフォーマット１８００の実施形態は、単に説明のためのものである。他の実施形態が本発明の範囲から逸脱することがなく使用されることができる。図１８を参照すると、ＴＤＤ‐Ｃｅｌｌサブセットインジケータ１８２０は、適応したＴＤＤ ＵＬ‐ＤＬ構成に対するインジケータを伝達するＤＣＩフォーマット１８００に追加され得る。位置１８３０ー１８５０は、図１６での位置１６３０ー１６５０と同様である。
【０２０４】
図１９は、本発明によるＵＥがＴＤＤ‐Ｃｅｌｌの２個のサブセットに対するＵＥのＴＤＤ‐Ｃｅｌｌの適応したＴＤＤ ＵＬ‐ＤＬ再構成のインジケータに対する位置を決定する他の方法１９００の一例を示す。図１９に示す方法１９００の実施形態は、単に説明のためのものである。方法１９００の他の実施形態は、本発明の範囲から逸脱することなく使用され得る。
【０２０５】
図１９を参照すると、ステップ１９１０で、ＵＥは、適応したＴＤＤ ＵＬ‐ＤＬ構成のインジケータに対するＤＣＩフォーマットで位置の構成を受信し、ＤＣＩフォーマットは、‘ＴＤＤ‐Ｃｅｌｌサブセットインジケータ’フィールドを含む。ステップ１９２０で、ＵＥは、ＤＣＩフォーマットでＴＤＤ‐Ｃｅｌｌサブセットインジケータフィールドが‘０’の値を有するか否かを判定する。その結果、上記フィールドが‘０’の値を有する場合、ステップ１９３０で、ＵＥは、ＴＤＤ‐Ｃｅｌｌが第１のサブセットに存在する場合に適応したＴＤＤ ＵＬ‐ＤＬ構成のインジケータに対するＤＣＩフォーマットでの位置を決定する。ＤＣＩフォーマットでＴＤＤ‐Ｃｅｌｌサブセットインジケータフィールドが‘０’の値を有しない場合、ステップ１９４０で、ＵＥは、ＴＤＤ‐Ｃｅｌｌが第２のサブセットに存在する場合、適応したＴＤＤ ＵＬ‐ＤＬ構成のインジケータに対するＤＣＩフォーマットでの位置を決定する。
【０２０６】
第４の接近方式では、適応したＴＤＤ ＵＬ‐ＤＬ構成のＳ個のＤＣＩフォーマットへの分割は、ＤＣＩフォーマットの他の各サイズを基にする。他のＤＣＩフォーマットは、他のサイズを有することができる。ＤＣＩ_Ｆｏｒｍａｔ_Ｉｎｄｉｃａｔｏｒは、ＤＣＩフォーマットのサイズのインジケータであり得る。例えば、２個のＤＣＩフォーマットが使用され、一つのＤＣＩフォーマットは、ＤＣＩフォーマット１Ｃと同一のサイズを有し、他のフォーマットはＤＣＩフォーマット３/３Ａと同一のサイズを有することができる。ＤＣＩフォーマットのサイズは、例えば、‘ＣｏｎｆｉｇｕｒｅＴＤＤＵＬ‐ＤＬーＡｄａｐｔ’に含まれることによって構成され得る。
【０２０７】
一実施形態において、キャリアｘ１，ｘ２，ｘ３，ｘ４を有するＴＤＤ‐Ｃｅｌｌに対する適応したＴＤＤ ＵＬ‐ＤＬ構成に対するインジケータは、ＤＣＩフォーマット３/３Ａと同一のサイズを有する第１のＤＣＩフォーマットでＸ_１＝４個の位置(各々第１、第２、第３、及び第４の位置)に対応する。キャリアｘ５、ｘ６に対する適応したＴＤＤ ＵＬ‐ＤＬ構成に対するインジケータは、ＤＣＩフォーマット１Ｃと同一のサイズを有する第２のＤＣＩフォーマットでＸ_２＝２の位置(各々第１及び第２の位置)に対応する。各々キャリアｘ２及びｘ５でＴＤＤ‐Ｃｅｌｌに対するインデックス{１，２}を有するＵＥ４は、第１のＴＤＤ‐Ｃｅｌｌに対する適応したＴＤＤ ＵＬ‐ＤＬ構成のインジケータに対する第１のＤＣＩフォーマットでＸ_１の位置のうち第２の位置が構成される。また、ＵＥ４は、第２のＴＤＤ‐Ｃｅｌｌに対する適応したＴＤＤ ＵＬ‐ＤＬ構成のインジケータに対する第２のＤＣＩフォーマットでＸ_２の位置のうち第１の位置が構成される。
【０２０８】
ＰＣｅｌｌのＣＳＳで送信されるＴＤＤ‐Ｃｅｌｌに対する適応したＴＤＤ ＵＬ‐ＤＬ構成のインジケータを伝達するＤＣＩフォーマットの代わりに、ＵＥは、そのＳＣｅｌｌのうち一つ以上の各ＣＳＳで(ＳＣｅｌｌであるＴＤＤ‐Ｃｅｌｌのように)一つ以上のようなＤＣＩフォーマットを受信するように構成され得る。これは、ＰＣｅｌｌと関連したすべてのＴＤＤ‐Ｃｅｌｌに対する適応したＴＤＤ ＵＬ‐ＤＬ構成のインジケータを伝達するすべてのＤＣＩフォーマットを送信するためのＰＣｅｌｌでのＣＳＳ能力不足を緩和させることができる。したがって、ＰＣｅｌｌのＣＳＳが同一のＰＣｅｌｌを有するＴＤＤ‐Ｃｅｌｌで適応したＴＤＤ ＵＬ‐ＤＬ構成に対してすべてのインジケータを受け入れる十分な空間を持っていない場合(適応したＴＤＤ ＵＬ‐ＤＬ構成を指示する複数のＤＣＩフォーマットがＰＣｅｌｌのＣＳＳで送信される必要がある理由のように)、ＵＥは、(シグナリング及び動作がＰＣｅｌｌのＣＳＳに対する説明と類似する)ＴＤＤ‐ＣｅｌｌのようにＳＣｅｌｌのＣＳＳで、あるいはＰＣｅｌｌのＵＥーＤＳＳ、ＵＥーＤＳＳ又はＳＣｅｌｌ、ＲＲＣシグナリング、ＭＡＣシグナリングによりＵＥのＴＤＤ‐Ｃｅｌｌの一部に対して適応したＴＤＤ ＵＬ‐ＤＬ構成を指示するＤＣＩフォーマットを受信するように構成される。
【０２０９】
一実施形態で、各適応したＴＤＤ ＵＬ‐ＤＬ構成を使用する動作を有するＮｕｍ_Ｃｅｌｌと関連したＰＣｅｌｌに対して、そしてＮｕｍ_Ｃｅｌｌ_ＩｎｄｉｃａｔｅｄＩｎＰＣｅｌｌＤＣＩ  ＴＤＤ‐Ｃｅｌｌに対する適応したＴＤＤ ＵＬ‐ＤＬ構成を指示するＤＣＩフォーマットの能力(各ＴＤＤ‐Ｃｅｌｌに対して３ビットのＴＤＤ ＵＬ‐ＤＬ再構成フィールドを使用するように)に対して、単一ＤＣＩフォーマットは、すべてのＮｕｍ_Ｃｅｌｌに対して適応したＴＤＤ ＵＬ‐ＤＬ構成に対する指示をサポートすることができない。ここで、Ｎｕｍ_Ｃｅｌｌ_ＩｎｄｉｃａｔｅｄＩｎＰＣｅｌｌＤＣＩ＜Ｎｕｍ_Ｃｅｌｌである。その結果、複数のＤＣＩフォーマットが使用される。複数のＤＣＩフォーマットの全部は、以前に説明されたように、ＰＣｅｌｌで送信され、あるいは複数のＤＣＩフォーマットのうち一部は、ＴＤＤ‐Ｃｅｌｌである各々一つ以上のＳＣｅｌｌの一つ以上のＣＳＳで送信される。これは、適応したＴＤＤ ＵＬ‐ＤＬ構成の有効区間に対する最後のフレームのＤＬ固定ＴＴＩのように、ＤＣＩフォーマットが送信されるＴＴＩでＰＣｅｌｌのＣＳＳで混雑を減少させるために遂行できる。
【０２１０】
＜表８＞は、ＵＥがＰＣｅｌｌで送信されるＤＣＩフォーマット及びＵＥのＳＣｅｌｌのうちいずれか一つで送信されるＤＣＩフォーマットでＵＥのＴＤＤ‐Ｃｅｌｌに対する適応したＴＤＤ ＵＬ‐ＤＬ構成のインジケータに対する位置を決定するための構成の一例を示す。ＤＣＩフォーマットで同一の個数のＸ個のインジケータがＰＣｅｌｌ及びＳＣｅｌｌで送信されると仮定する。しかしながら、一般的に、ＰＣｅｌｌ及びＳＣｅｌｌで送信されるＤＣＩフォーマットでインジケータの個数は異なることがある。
【０２１１】
【表１２】
2019134479.tif 000014
【０２１２】
他の実施形態では、ＵＥ４がキャリア{ｘ４，ｘ２，ｘ５}で各々ＣＡインデックス{１，２，３}を有する３個のＴＤＤ‐Ｃｅｌｌを有すると仮定し、キャリアｘ５は、ＰＣｅｌｌで送信されるＤＣＩフォーマットにより提供される適応したＴＤＤ ＵＬ‐ＤＬ構成に対するインジケータを有するＴＤＤ‐Ｃｅｌｌに対応するＸ＝４個のキャリア{ｘ１，ｘ２，ｘ３，ｘ４}のリストに属しない。ＵＥ４に対する構成は、適応したＴＤＤ ＵＬ‐ＤＬ構成のインジケータに対してＰＣｅｌｌで送信されるＤＣＩフォーマットでＸ＝４の可能な位置のうち、位置(第４及び第２の位置）を指示するインデックス‘１１’及び‘０１’を含む。また、ＵＥ４に対する構成は、適応したＴＤＤ ＵＬ‐ＤＬ構成に対する各インジケータがＴＤＤ‐Ｃｅｌｌで送信されるＤＣＩフォーマットにより提供されるＴＤＤ‐Ｃｅｌｌ(ＳＣｅｌｌ)となるキャリアｘ５でインデックス３を有するＴＤＤ‐Ｃｅｌｌの指示(例えば、‘１０’)を含んでもよい。その後、ＵＥ４は、ＴＤＤ‐Ｃｅｌｌで送信されるＤＣＩフォーマットからＵＥ４の第３のＴＤＤ‐Ｃｅｌｌに対する適応したＴＤＤ ＵＬ‐ＤＬ構成のインジケータを受信することに決定できる。
【０２１３】
図２０は、本発明によるＵＥがＵＥのＴＤＤ‐Ｃｅｌｌに対する適応したＴＤＤ ＵＬ‐ＤＬ構成のインジケータに対する位置を決定する方法２０００の一例を示す。図２０に示す方法２０００の実施形態は、単に説明のためのものである。方法２０００の他の実施形態が本発明の範囲から逸脱することなく使用されることができる。
【０２１４】
図２０を参照すると、ステップ２０１０で、ＵＥは、ＴＤＤ‐Ｃｅｌｌに対する適応したＴＤＤ ＵＬ‐ＤＬ構成に対するインジケータの位置の構成を受信する。ステップ２０２０で、ＵＥは、各ＴＤＤ‐Ｃｅｌｌに対して、各適応したＴＤＤ ＵＬ‐ＤＬ構成のインジケータに対する位置がＰＣｅｌｌで送信されるＤＣＩフォーマットに存在するか否かを判定する。各適応いたＴＤＤ ＵＬ‐ＤＬ構成のインジケータに対する位置がＰＣｅｌｌで送信されるＤＣＩフォーマットに存在する場合、ステップ２０３０で、ＵＥは、ＤＣＩフォーマットで各位置でインジケータによって適応したＴＤＤ ＵＬ‐ＤＬ構成を決定する。そうでない場合には、ステップ２０４０で、ＵＥは、構成されたＳＣｅｌｌで送信されるＤＣＩフォーマットで各位置でインジケータに従って適応したＴＤＤ ＵＬ‐ＤＬ構成を決定する。
【０２１５】
ＵＥがＣＡ動作に対して構成される場合、ＤＬ  ＨＡＲＱ基準ＴＤＤ ＵＬ‐ＤＬ構成又はＵＬ  ＨＡＲＱ基準ＴＤＤ ＵＬ‐ＤＬ構成の異なる解析は、単一セル動作よりはＳＣｅｌｌでの適応したＴＤＤ ＵＬ‐ＤＬ構成を使用する動作に対して必要となる。ＣＡ動作を使用する場合、ＵＥからのＨＡＲＱーＡＣＫ情報は、ＰＣｅｌｌで送信される。また、ＵＥに対するＰＤＳＣＨ送信又はＳＣｅｌｌでＵＥからのＰＵＳＣＨ送信は、ＳＣｅｌｌで送信される各ＤＣＩフォーマットを伝達するＰＤＣＣＨによりスケジューリングし(セルフスケジューリング(selfーscheduling)と称する)、あるいはＰＣｅｌｌ又は他のＳＣｅｌｌとなる異なるセルで送信される各ＤＣＩフォーマットを伝達するＰＤＣＣＨによりスケジュールできる(クロススケジューリングと称する)。クロススケジューリングの場合には、ＰＤＣＣＨが送信されるセルはスケジューリングセルと称し、各ＰＤＳＣＨ又はＰＵＳＣＨ送信が発生するＳＣｅｌｌは、スケジュールされたセル(scheduled  cell)と称する。ＳＣｅｌｌでＣＡび適応したＴＤＤ ＵＬーＵＬ構成を使用する動作に対して、ＤＬ  ＨＡＲＱ基準ＴＤＤ ＵＬ‐ＤＬ構成及びＵＬ  ＨＡＲＱ基準ＴＤＤ ＵＬ‐ＤＬ構成に対する別途の定義が適応したＴＤＤ ＵＬ‐ＤＬ構成を使用する単一セルと比較して必要となる。次のケースは、ＳＣｅｌｌでのＰＤＳＣＨスケジューリングに応答してＵＥからＨＡＲＱーＡＣＫ情報の送信がＰＣｅｌｌ上に存在することを仮定することが考慮される。
【０２１６】
ケース１：セルフスケジューリング及びＴＤＤ  ＰＣｅｌｌ。ＤＬＨＡＲＱ基準ＴＤＤ ＵＬ‐ＤＬ構成は、構成されたＤＬＨＡＲＱ基準ＴＤＤ ＵＬ‐ＤＬ構成及びＰＣｅｌｌで使用されるＴＤＤ ＵＬ‐ＤＬ構成から決定される。ＵＥからのＨＡＲＱーＡＣＫ情報の送信に対するＵＬ  ＴＴＩの集合は、構成されたＤＬ  ＨＡＲＱ基準ＴＤＤ ＵＬ‐ＤＬ構成とＰＣｅｌｌで使用されるＴＤＤ ＵＬ‐ＤＬ構成との間に共通であるすべてのＵＬ  ＴＴＩを含むように決定される。したがって、ＨＡＲＱーＡＣＫ情報ペイロード及びタイミングは、以上のＵＬ  ＴＴＩの共通集合により決定される。ＵＬ  ＨＡＲＱ基準ＴＤＤ ＵＬ‐ＤＬ構成は、既存のＴＤＤ ＵＬ‐ＤＬ構成になるとを考慮され、ＵＥは、ＳＣｅｌｌに対するＲＲＣシグナリングにより構成される。
【０２１７】
ケース２：セルフスケジューリング及びＦＤＤ  ＰＣｅｌｌ。ＤＬ  ＨＡＲＱ基準ＴＤＤ ＵＬ‐ＤＬ構成は、ＵＥに対して構成されるが、単一セル動作に対して異なる機能を有する。ＤＬ  ＨＡＲＱ基準ＴＤＤ ＵＬ‐ＤＬ構成は、現在送信されるＨＡＲＱーＡＣＫ情報のペイロードを決定することに対してのみ適用可能であり、ＦＤＤ  ＰＣｅｌｌでのタイミングに従う代わりにＤＬ  ＨＡＲＱ基準ＴＤＤ ＵＬ‐ＤＬ構成のタイミングを決定することに対しては適用不可能である。ＰＣｅｌｌの各ＴＴＩでＨＡＲＱーＡＣＫ情報は、ＵＥがＴＴＩでＳＣｅｌｌでＤＬデータ送信を受信するか否かに関係なく、またＵＥがＳＣｅｌｌでＤＬ受信に対して使用する適応したＴＤＤ ＵＬ‐ＤＬ構成でＴＴＩがＵＬ  ＴＴＩであるか否かに関係なく、ＤＬ  ＨＡＲＱ基準構成によるＤＬデータ送信をサポートするＴＴＩでＳＣｅｌｌに対するＨＡＲＱーＡＣＫ情報を含むことによって、あるいはＤＬ  ＨＡＲＱ  ＴＤＤ ＵＬ‐ＤＬ基準構成によるＤＬデータ送信をサポートしないＴＴＩでＳＣｅｌｌに対するＨＡＲＱーＡＣＫを含まないと決定される。ＵＬ  ＨＡＲＱ基準ＴＤＤ ＵＬ‐ＤＬ構成は、既存のＴＤＤ ＵＬ‐ＤＬ構成であると考慮され、ＵＥは、ＳＣｅｌｌに対するＲＲＣシグナリングにより構成される。
【０２１８】
ケース３：クロススケジューリング及びＴＤＤ  ＰＣｅｌｌ。ＤＬ  ＨＡＲＱ基準ＴＤＤ ＵＬ‐ＤＬ構成は、ケース１のように考慮される。ＵＬ  ＨＡＲＱ基準ＴＤＤ ＵＬ‐ＤＬ構成は、ＳＣｅｌｌに対してＲＲＣシグナリングによりＵＥに送信される既存のＴＤＤ ＵＬ‐ＤＬ構成から及びＰＣｅｌｌで使用されるＴＤＤ ＵＬ‐ＤＬ構成から決定される。ＵＥへのＨＡＲＱーＡＣＫ情報の送信、あるいはＵＥからのＰＵＳＣＨ送信をスケジューリングするＤＣＩフォーマットの送信に対するＤＬ  ＴＴＩをＳＣｅｌｌに対した構成された既存ＴＤＤ ＵＬ‐ＤＬ構成、またＰＣｅｌｌで使用されるＴＤＤ ＵＬ‐ＤＬ構成に共通であるＤＬ  ＴＴＩとして決定される。
【０２１９】
ケース４：クロススケジューリング及びＦＤＤ  ＰＣｅｌｌ。ＤＬ  ＨＡＲＱ基準ＴＤＤ ＵＬ‐ＤＬ構成は、ケース２のような機能と考えられる。ＵＬ  ＨＡＲＱ基準ＴＤＤ ＵＬ‐ＤＬ構成は、既存のＴＤＤ ＵＬ‐ＤＬ構成であり、ＵＥは、ＳＣｅｌｌに対するＲＲＣシグナリングにより構成される。
【０２２０】
以上、本発明の詳細な説明においては具体的な実施形態に関して説明したが、様々な変形及び変更が可能であることは、当該技術分野における通常の知識を持つ者には明らかである。このような変形及び変更は、本発明の特許請求の範囲の記載及びこれと均等なものに基づいてなされるべきである。
【符号の説明】
【０２２１】
１００  無線ネットワーク
１２０  カバレッジ領域
１２５  カバレッジ領域
１３０  ネットワーク
２０５  アンテナ
２１０  送受信器
２１５  プロセッシング回路
２２０  マイクロホン
２２５  プロセッシング回路
２３０  スピーカ
２４０  メインプロセッサ
２４５  入/出力インターフェース
２５０  キーパッド
２５５  ディスプレイユニット
２６０  メモリ
２６１  プログラム
２６２  アプリケーション
３０５ａ  アンテナ
３１０ａ  送受信器
３１５  プロセッシング回路
３２０  プロセッシング回路
３２５  プロセッサ
３３０  メモリ
３３５  ネットワークインターフェース。
【図１】
2019134479.tif 000015
【図２】
2019134479.tif 000016
【図３】
2019134479.tif 000017
【図４】
2019134479.tif 000018
【図５】
2019134479.tif 000019
【図６】
2019134479.tif 000020
【図７】
2019134479.tif 000021
【図８】
2019134479.tif 000022
【図９】
2019134479.tif 000023
【図１０】
2019134479.tif 000024
【図１１】
2019134479.tif 000025
【図１２】
2019134479.tif 000026
【図１３】
2019134479.tif 000027
【図１４】
2019134479.tif 000028
【図１５】
2019134479.tif 000029
【図１６】
2019134479.tif 000030
【図１７】
2019134479.tif 000031
【図１８】
2019134479.tif 000032
【図１９】
2019134479.tif 000033
【図２０】
2019134479.tif 000034